(57)【要約】セッション管理ネットワーク要素の間のハンドオーバを実現するための通信方法、装置、及びシステムが提供される。この出願において、ターゲット中間セッション管理ネットワーク要素についての情報を取得した後、モビリティ管理ネットワーク要素は、ソースセッション管理ネットワーク要素についての情報をターゲットセッション管理ネットワーク要素に送信する。ソースセッション管理ネットワーク要素についての情報を取得した後、ターゲットセッション管理ネットワーク要素は、ソースセッション管理ネットワーク要素についての情報に基づいて、第１のメッセージをソースセッション管理ネットワーク要素に送信する。第１のメッセージをターゲット中間セッション管理ネットワーク要素から受信した後、ソースセッション管理ネットワーク要素は、第１のメッセージに基づいて、ソース中間ユーザプレーンネットワーク要素に転送トンネルを確立するように指示する。この出願の方式によれば、ソース中間ユーザプレーンネットワーク要素とターゲット中間ユーザプレーンネットワーク要素との間の転送トンネルが確立され、それによって、ソース中間ユーザプレーンネットワーク要素は、転送トンネルを通じて、データをターゲット中間ユーザプレーンネットワーク要素に転送して、ターゲット中間セッション管理ネットワーク要素からソースセッション管理ネットワーク要素へのハンドオーバを実現し、セッションを維持し、端末デバイスのサービス連続性を保証することができる。
2021517430.tif 000002
【特許請求の範囲】
【請求項１】
通信方法であって、前記方法は、
ターゲット中間セッション管理ネットワーク要素によって、ソースセッション管理ネットワーク要素についての情報を取得するステップと、
前記ターゲット中間セッション管理ネットワーク要素によって、前記ソースセッション管理ネットワーク要素についての前記情報に基づいて、前記ソースセッション管理ネットワーク要素に第１のメッセージを送信するステップであって、前記第１のメッセージは、ソース中間ユーザプレーンネットワーク要素とターゲット中間ユーザプレーンネットワーク要素との間の転送トンネルの確立のために利用可能であり、前記ソース中間ユーザプレーンネットワーク要素は、前記ソースセッション管理ネットワーク要素によって制御され、かつソース基地局に通信可能に接続されるユーザプレーンネットワーク要素であり、前記ターゲット中間ユーザプレーンネットワーク要素は、前記ターゲット中間セッション管理ネットワーク要素によって制御され、かつターゲット基地局に通信可能に接続されるユーザプレーンネットワーク要素である、ステップと、
を含む、方法。
【請求項２】
前記ターゲット中間セッション管理ネットワーク要素によって、前記ソースセッション管理ネットワーク要素についての前記情報に基づいて、前記ソースセッション管理ネットワーク要素に第１のメッセージを送信する前記ステップの前に、
前記ターゲット中間セッション管理ネットワーク要素によって、第１の指示情報を取得するステップであって、前記第１の指示情報は、前記ターゲット中間セッション管理ネットワーク要素に前記転送トンネルを確立するように指示する、ステップをさらに含む、
請求項１に記載の方法。
【請求項３】
前記ターゲット中間セッション管理ネットワーク要素によって、第１の指示情報を取得するステップは、
前記ターゲット中間セッション管理ネットワーク要素によって、前記第１の指示情報を前記ソースセッション管理ネットワーク要素から取得するステップ、又は
前記ターゲット中間セッション管理ネットワーク要素によって、前記第１の指示情報をモビリティ管理ネットワーク要素から取得するステップを含む、
請求項２に記載の方法。
【請求項４】
前記ターゲット中間セッション管理ネットワーク要素によって、第１の指示情報を取得する前記ステップの後に、前記ターゲット中間セッション管理ネットワーク要素によって、前記第１の指示情報に従って、前記ターゲット中間ユーザプレーンネットワーク要素に、前記転送トンネルを確立するように指示するステップをさらに含む、
請求項２又は３に記載の方法。
【請求項５】
前記第１のメッセージは、前記ターゲット中間ユーザプレーンネットワーク要素に対応する転送トンネル情報を含む、
請求項１〜４のいずれか１項に記載の方法。
【請求項６】
ターゲット中間セッション管理ネットワーク要素によって、ソースセッション管理ネットワーク要素についての情報を取得する前記ステップは、
前記ターゲット中間セッション管理ネットワーク要素によって、前記ソースセッション管理ネットワーク要素についての前記情報をモビリティ管理ネットワーク要素から取得するステップを含む、
請求項１〜５のいずれか１項に記載の方法。
【請求項７】
前記方法は、
前記ターゲット中間セッション管理ネットワーク要素によって、転送トンネルリリースタイマを設定するステップと、
前記転送トンネルリリースタイマが終了したとき、前記ターゲット中間セッション管理ネットワーク要素によって、前記中間ユーザプレーンネットワーク要素に、前記転送トンネルをリリースするように指示するステップと
をさらに含む、
請求項１〜６のいずれか１項に記載の方法。
【請求項８】
前記方法は、
前記ターゲット中間セッション管理ネットワーク要素によって、前記ソースセッション管理ネットワーク要素についての前記情報に基づいて、セッション情報を前記ソースセッション管理ネットワーク要素から取得するか、又は、前記ターゲット中間セッション管理ネットワーク要素によって、前記セッション情報をモビリティ管理ネットワーク要素から受信するステップと、
前記ターゲット中間セッション管理ネットワーク要素によって、前記セッション情報に基づいて、前記ターゲット中間ユーザプレーンネットワーク要素とアンカーユーザプレーンネットワーク要素との間のトンネルを確立するステップと、
をさらに含み、
前記セッション情報は、以下のもの、即ち、前記アンカーユーザプレーンネットワーク要素のアップリンクトンネル情報、及びアンカーセッション管理ネットワーク要素についての情報の少なくとも１つを含み、前記アンカーセッション管理ネットワーク要素は、前記アンカーユーザプレーンネットワーク要素を制御するセッション管理ネットワーク要素である
請求項１〜７のいずれか１項に記載の方法。
【請求項９】
前記ソースセッション管理ネットワーク要素は、前記ソース基地局に通信可能に接続されるユーザプレーンネットワーク要素を制御するセッション管理ネットワーク要素である
請求項１〜８のいずれか１項に記載の方法。
【請求項１０】
通信方法であって、前記方法は、
ソースセッション管理ネットワーク要素によって、第１のメッセージをターゲット中間セッション管理ネットワーク要素から受信するステップであって、前記第１のメッセージは、ソース中間ユーザプレーンネットワーク要素とターゲット中間ユーザプレーンネットワーク要素との間の転送トンネルの確立に利用可能であり、前記ソース中間ユーザプレーンネットワーク要素は、前記ソースセッション管理ネットワーク要素によって制御され、かつソース基地局に通信可能に接続されるユーザプレーンネットワーク要素であり、前記ターゲット中間セッション管理ネットワーク要素は、ターゲット基地局に通信可能に接続される前記ターゲット中間ユーザプレーンネットワーク要素を制御するセッション管理ネットワーク要素である、ステップと、
前記ソースセッション管理ネットワーク要素によって、前記第１のメッセージに基づいて、前記ソース中間ユーザプレーンネットワーク要素に前記転送トンネルを確立するように指示するステップと
を含む、方法。
【請求項１１】
ソースセッション管理ネットワーク要素によって、第１のメッセージをターゲット中間セッション管理ネットワーク要素から受信する前記ステップの前に、
前記ソースセッション管理ネットワーク要素によって、前記転送トンネルが確立される必要があると決定するステップと、
前記ソースセッション管理ネットワーク要素によって、第１の指示情報を前記ターゲット中間セッション管理ネットワーク要素又はモビリティ管理ネットワーク要素に送信するステップであって、前記第１の指示情報は、前記ターゲット中間セッション管理ネットワーク要素に前記転送トンネルを確立するように指示する、ステップとをさらに含む、
請求項１０に記載の方法。
【請求項１２】
前記ソースセッション管理ネットワーク要素によって、前記転送トンネルが確立される必要があると決定する前記ステップは、
前記ソースセッション管理ネットワーク要素又は前記ソース中間ユーザプレーンネットワーク要素が、端末デバイスに送信されるべきダウンリンクデータを持っているときに、前記ソースセッション管理ネットワーク要素によって、前記転送トンネルが確立される必要があると決定するステップを含む
請求項１１に記載の方法。
【請求項１３】
前記第１のメッセージは、前記ターゲット中間ユーザプレーンネットワーク要素に対応する転送トンネル情報を含む
請求項１０〜１２のいずれか１項に記載の方法。
【請求項１４】
前記方法は、
前記ソースセッション管理ネットワーク要素によって、転送トンネルリリースタイマを設定するステップと、
前記転送トンネルリリースタイマが終了したとき、前記ソース中間ユーザプレーンネットワーク要素に前記転送トンネルをリリースするように指示するステップと
をさらに含む
請求項１０〜１３のいずれか１項に記載の方法。
【請求項１５】
前記方法は、
前記ソースセッション管理ネットワーク要素によって、セッション情報を前記ターゲット中間セッション管理ネットワーク要素に送信し、それによって前記ターゲット中間セッション管理ネットワーク要素が、前記ターゲット中間ユーザプレーンネットワーク要素とアンカーユーザプレーンネットワーク要素との間のトンネルを確立する、ステップ、又は
前記ソースセッション管理ネットワーク要素によって、セッション情報をモビリティ管理ネットワーク要素に送信し、それによって前記モビリティ管理ネットワーク要素が前記セッション情報を前記ターゲット中間セッション管理ネットワーク要素に送信する、ステップと
をさらに含み、
前記セッション情報は、以下のもの、即ち、前記アンカーユーザプレーンネットワーク要素のアップリンクトンネル情報、及びアンカーセッション管理ネットワーク要素についての情報の少なくとも１つを含み、前記アンカーセッション管理ネットワーク要素は、前記アンカーユーザプレーンネットワーク要素を制御するセッション管理ネットワーク要素である
請求項１０〜１４のいずれか１項に記載の方法。
【請求項１６】
装置であって、前記装置は、処理ユニットとトランシーバユニットとを備え、
前記処理ユニットは、ソースセッション管理ネットワーク要素についての情報を取得するように構成され、
前記トランシーバユニットは、前記ソースセッション管理ネットワーク要素についての前記情報に基づいて、第１のメッセージを前記ソースセッション管理ネットワーク要素に送信するように構成され、
前記第１のメッセージは、ソース中間ユーザプレーンネットワーク要素とターゲット中間ユーザプレーンネットワーク要素との間の転送トンネルの確立のために利用可能であり、
前記ソース中間ユーザプレーンネットワーク要素は、前記ソースセッション管理ネットワーク要素によって制御され、かつソース基地局に通信可能に接続されるユーザプレーンネットワーク要素であり、
前記ターゲット中間ユーザプレーンネットワーク要素は、ターゲット中間セッション管理ネットワーク要素によって制御され、かつターゲット基地局に通信可能に接続されるユーザプレーンネットワーク要素である、
装置。
【請求項１７】
前記トランシーバユニットは、第１の指示情報を取得するようにさらに構成され、前記第１の指示情報は、前記ターゲット中間セッション管理ネットワーク要素に前記転送トンネルを確立するように指示する
請求項１６に記載の装置。
【請求項１８】
前記第１の指示情報が取得された後、前記処理ユニットは、前記第１の指示情報に従って、前記ターゲット中間ユーザプレーンネットワーク要素に、前記転送トンネルを確立するように指示するようにさらに構成される
請求項１７に記載の装置。
【請求項１９】
前記第１のメッセージは、前記ターゲット中間ユーザプレーンネットワーク要素に対応する転送トンネル情報を含む
請求項１６〜１８のいずれか１項に記載の装置。
【請求項２０】
前記処理ユニットは、
転送トンネルリリースタイマを設定し、
前記転送トンネルリリースタイマが終了したときに、前記中間ユーザプレーンネットワーク要素に前記転送トンネルをリリースするように指示する
ようにさらに構成される
請求項１６〜１９のいずれか１項に記載の装置。
【請求項２１】
前記トランシーバユニットは、前記ソースセッション管理ネットワーク要素についての前記情報に基づいて、セッション情報を前記ソースセッション管理ネットワーク要素から取得するか、又は、前記セッション情報をモビリティ管理ネットワーク要素から受信するようにさらに構成され、
前記処理ユニットは、前記セッション情報に基づいて、前記ターゲット中間ユーザプレーンネットワーク要素とアンカーユーザプレーンネットワーク要素との間のトンネルを確立するようにさらに構成され、
前記セッション情報は、次のもの、即ち、前記アンカーユーザプレーンネットワーク要素のアップリンクトンネル情報、及びアンカーセッション管理ネットワーク要素についての情報の少なくとも１つを含み、前記アンカーセッション管理ネットワーク要素は、前記アンカーユーザプレーンネットワーク要素を制御するセッション管理ネットワーク要素である
請求項１６〜２０のいずれか１項に記載の装置。
【請求項２２】
前記ソースセッション管理ネットワーク要素は、前記ソース基地局に通信可能に接続されるユーザプレーンネットワーク要素を制御するセッション管理ネットワーク要素である
請求項１６〜２１のいずれか１項に記載の装置。
【請求項２３】
装置であって、前記装置は、処理ユニットと、トランシーバユニットとを備え、
前記トランシーバユニットは、第１のメッセージをターゲット中間セッション管理ネットワーク要素から受信するように構成され、前記第１のメッセージは、ソース中間ユーザプレーンネットワーク要素とターゲット中間ユーザプレーンネットワーク要素との間の転送トンネルの確立のために利用可能であり、前記ソース中間ユーザプレーンネットワーク要素は、ソースセッション管理ネットワーク要素によって制御され、かつソース基地局に通信可能に接続されるユーザプレーンネットワーク要素であり、前記ターゲット中間セッション管理ネットワーク要素は、ターゲット基地局に通信可能に接続される前記ターゲット中間ユーザプレーンネットワーク要素を制御するセッション管理ネットワーク要素であり、
前記処理ユニットは、前記第１のメッセージに基づいて、前記ソース中間ユーザプレーンネットワーク要素に前記転送トンネルを確立するように指示するように構成される、
装置。
【請求項２４】
前記トランシーバユニットが前記第１のメッセージを前記ターゲット中間セッション管理ネットワーク要素から受信する前に、前記処理ユニットは、前記転送トンネルが確立される必要があると決定するようにさらに構成され、
前記トランシーバユニットは、前記第１の指示情報を前記ターゲット中間セッション管理ネットワーク要素又はモビリティ管理ネットワーク要素に送信するようにさらに構成され、前記第１の指示情報は、前記ターゲット中間セッション管理ネットワーク要素に前記転送トンネルを確立するように指示する
請求項２２に記載の装置。
【請求項２５】
前記処理ユニットが、前記転送トンネルが確立される必要があると決定するように構成されることは、特に、
前記ソースセッション管理ネットワーク要素又は前記ソース中間ユーザプレーンネットワーク要素が、端末デバイスに送信されるべきダウンリンクデータを持っているときに、前記転送トンネルが確立される必要があると決定することを含む
請求項２３に記載の装置。
【請求項２６】
前記トランシーバユニットは、
セッション情報を前記ターゲット中間セッション管理ネットワーク要素に送信し、それによって前記ターゲット中間セッション管理ネットワーク要素が、前記ターゲット中間ユーザプレーンネットワーク要素とアンカーユーザプレーンネットワーク要素との間のトンネルを確立するようにするか、又は
セッション情報をモビリティ管理ネットワーク要素に送信し、それによって前記モビリティ管理ネットワーク要素が、前記セッション情報を前記ターゲット中間セッション管理ネットワーク要素に送信するようにする、
ようにさらに構成され、
前記セッション情報は、次のもの、即ち、前記アンカーユーザプレーンネットワーク要素のアップリンクトンネル情報、及びアンカーセッション管理ネットワーク要素についての情報の少なくとも１つを含み、前記アンカーセッション管理ネットワーク要素は、前記アンカーユーザプレーンネットワーク要素を制御するセッション管理ネットワーク要素である
請求項２２〜２４のいずれか１項に記載の装置。
【請求項２７】
装置であって、前記装置は、プロセッサとメモリとを備え、前記メモリは、コンピュータプログラムを格納し、前記プロセッサは、前記メモリに格納された前記コンピュータプログラムを呼び出して実行して、請求項１〜９、又は１０〜１５のいずれか１項に記載の前記方法を実行するように構成される
装置。
【請求項２８】
通信システムであって、前記通信システムは、ターゲット中間セッション管理ネットワーク要素と、ソースセッション管理ネットワーク要素とを含み、
前記ターゲット中間セッション管理ネットワーク要素は、前記ソースセッション管理ネットワーク要素についての情報を取得し、前記ソースセッション管理ネットワーク要素についての前記情報に基づいて、第１のメッセージを前記ソースセッション管理ネットワーク要素に送信するように構成され、
前記ソースセッション管理ネットワーク要素は、前記第１のメッセージを前記ターゲット中間セッション管理ネットワーク要素から受信し、前記第１のメッセージに基づいて、ソース中間ユーザプレーンネットワーク要素に転送トンネルを確立するように指示するように構成され、
前記第１のメッセージは、前記ソース中間ユーザプレーンネットワーク要素とターゲット中間ユーザプレーンネットワーク要素との間の転送トンネルの確立のために利用可能であり、前記ソース中間ユーザプレーンネットワーク要素は、前記ソースセッション管理ネットワーク要素によって制御され、かつソース基地局に通信可能に接続されるユーザプレーンネットワーク要素であり、前記ターゲット中間ユーザプレーンネットワーク要素は、前記ターゲット中間セッション管理ネットワーク要素によって制御され、かつターゲット基地局に通信可能に接続されるユーザプレーンネットワーク要素である
通信システム。
【請求項２９】
前記ソースセッション管理ネットワーク要素は、前記転送トンネルが確立される必要があると決定し、第１の指示情報を前記ターゲット中間セッション管理ネットワーク要素に送信するようにさらに構成され、前記第１の指示情報は、前記ターゲット中間セッション管理ネットワーク要素に前記転送トンネルを確立するように指示する
請求項２８に記載のシステム。
【請求項３０】
前記通信システムは、モビリティ管理ネットワーク要素をさらに含み、
前記モビリティ管理ネットワーク要素は、前記転送トンネルが確立される必要があると決定し、前記第１の指示情報を前記ターゲット中間セッション管理ネットワーク要素に送信するように構成され、前記第１の指示情報は、前記ターゲット中間セッション管理ネットワーク要素に前記転送トンネルを確立するように指示する
請求項２８に記載のシステム。
【請求項３１】
請求項１〜９のいずれか１項に記載の前記通信方法を実行するように構成された
プロセッサ。
【請求項３２】
請求項１０〜１５のいずれか１項に記載の前記通信方法を実行するように構成された
プロセッサ。
【請求項３３】
請求項１〜９のいずれか１項に記載の前記通信方法を実行するように構成された
装置。
【請求項３４】
請求項１０〜１５のいずれか１項に記載の前記通信方法を実行するように構成された
装置。
【請求項３５】
コンピュータ可読記録媒体であって、前記コンピュータ可読記録媒体は、命令を格納し、前記命令がコンピュータ上で実行されたとき、前記コンピュータは、請求項１〜９のいずれか１項、又は請求項１０〜１５のいずれか１項に記載の前記通信方法を実行することが可能になる、コンピュータ可読記録媒体。
【請求項３６】
コンピュータプログラム製品であって、前記コンピュータプログラム製品は、命令を格納し、前記命令がコンピュータ上で実行されたとき、前記コンピュータは、請求項１〜９のいずれか１項、又は請求項１０〜１５のいずれか１項に記載の前記通信方法を実行することが可能になる、コンピュータプログラム製品。
【発明の詳細な説明】
【技術分野】
【０００１】
本出願は、２０１８年３月３０日に中国国家知識産権局で出願された「ＣＯＭＭＵＮＩＣＡＴＩＯＮＳ  ＭＥＴＨＯＤ，ＡＰＰＡＲＡＴＵＳ，ＡＮＤ  ＳＹＳＴＥＭ」と題する中国特許出願第２０１８１０２７８０４５．３号明細書に対する優先権を主張するものであり、その全体が参照により本明細書に組み込まれる。
【０００２】
本出願は、通信技術の分野に関し、特に、通信方法、装置、及びシステムに関する。
【背景技術】
【０００３】
従来の通信システムは、アクセスネットワークと、コアネットワークの２つの部分を含む。アクセスネットワークは、移動体通信システムのエッジにあり、端末デバイスをコアネットワークに接続することを扱う。コアネットワークは、端末デバイスを様々なデータネットワーク（ｄａｔａ  ｎｅｔｗｏｒｋ、ＤＮ）に接続し、課金及びモビリティ管理などの機能を実施することを担う。アクセスネットワークのアクセス機能は、主として基地局を用いることにより実施される。コアネットワークは、主として、以下のコアネットワークデバイスを含む、即ち、モビリティ管理ネットワーク要素、セッション管理ネットワーク要素、ユーザプレーンネットワーク要素などである。
【０００４】
端末デバイスがデータネットワークへのアクセスを要求するとき、コアネットワークは、端末デバイスに対してセッションを確立する。このように端末デバイスは、通信サービスを行うために、セッションに基づいて、データをデータネットワークに送信することができる。コアネットワークがセッションを確立するとき、以下の手順が行われる。
【０００５】
まず、端末デバイスが、セッションの確立を要求する、又はサービスを要求する要求メッセージを基地局に送り、基地局は、端末デバイスによって送られた要求メッセージを、モビリティ管理ネットワーク要素に送る。モビリティ管理ネットワーク要素は、要求メッセージに基づいて、セッション管理ネットワーク要素を決定し、セッション要求を、セッション管理ネットワーク要素に送る。セッション要求を受信した後、セッション管理ネットワーク要素は、セッション管理ネットワーク要素のサービスエリアにおけるユーザプレーンネットワーク要素を選択して、ユーザプレーンネットワーク要素に対するセッション確立手順を開始する。最後に、完全なセッションが確立される。
【０００６】
いくつかのシナリオでは、端末デバイスのセッションは、例えば、基地局に接続された中間ユーザプレーンネットワーク要素、及びＤＮに接続されたアンカーユーザプレーンネットワーク要素など、複数のユーザプレーンネットワーク要素に関連し得る。中間ユーザプレーンネットワーク要素及びアンカーユーザプレーンネットワーク要素が、異なるサービスエリアに位置する場合、対応するサービスエリアのセッション管理ネットワーク要素は、中間ユーザプレーンネットワーク要素又はアンカーユーザプレーンネットワーク要素をそれぞれ管理する必要がある。言い換えると、中間セッション管理ネットワーク要素は、中間ユーザプレーンネットワーク要素が位置するサービスエリア１において中間ユーザプレーンネットワーク要素を管理し、またアンカーセッション管理ネットワーク要素は、アンカーユーザプレーンネットワーク要素が位置するサービスエリア２においてアンカーユーザプレーンネットワーク要素を管理する。
【０００７】
端末デバイスのモビリティにより、端末デバイスは、サービスエリア１からサービスエリア３へと移動することがある。この場合、コアネットワークにおいて、サービスエリア３における新しい中間ユーザプレーンネットワーク要素が、端末デバイスのサービス連続性を保証するために、端末デバイスのセッションを再確立するように選択される必要がある。従って、コアネットワークにおいて、サービスエリア３における中間セッション管理ネットワーク要素が、新しい中間ユーザプレーンネットワーク要素を管理する必要がある。
【０００８】
しかし、現在、セッション管理ネットワーク要素間でハンドオーバを実施するための技術的な解決策が存在しない。その結果、コアネットワークにおいて、新しい中間ユーザプレーンネットワーク要素を管理する中間セッション管理ネットワーク要素が、サービスエリア３において決定されることができない。従って、セッションは、再確立されることができない。
【発明の概要】
【０００９】
本出願は、セッション管理ネットワーク要素間のハンドオーバを実施するための通信方法、装置、及びシステムを提供する。
【００１０】
第１の態様によれば、本出願の実施形態は、通信方法を提供し、また方法は、セッション管理ネットワーク要素、又はセッション管理ネットワーク要素におけるチップによって実施され得る。セッション管理ネットワーク要素は、５Ｇ通信におけるＳＭＦエンティティであり得るが、将来の通信において、セッション管理機能を有する別のエンティティであってもよい。方法は、以下のステップを含む、即ち、まず、ターゲット中間セッション管理ネットワーク要素は、ソースセッション管理ネットワーク要素に関する情報を取得し、次いで、ソースセッション管理ネットワーク要素に関する情報に基づいて、ソースセッション管理ネットワーク要素に第１のメッセージを送る。ソースセッション管理ネットワーク要素は、ソース基地局と通信可能に接続されたユーザプレーンネットワーク要素を制御するセッション管理ネットワーク要素である。第１のメッセージは、ソース中間ユーザプレーンネットワーク要素からターゲット中間ユーザプレーンネットワーク要素への転送トンネルを確立するために使用され、ソース中間ユーザプレーンネットワーク要素は、ソースセッション管理ネットワーク要素により制御され、かつソース基地局に通信可能に接続されたユーザプレーンネットワーク要素であり、またターゲット中間ユーザプレーンネットワーク要素は、ターゲット中間セッション管理ネットワーク要素により制御され、かつターゲット基地局と通信可能に接続されたユーザプレーンネットワーク要素である。
【００１１】
前述の方法によれば、ソース中間ユーザプレーンネットワーク要素からターゲット中間ユーザプレーンネットワーク要素への転送トンネルが確立され、従って、ソース中間ユーザプレーンネットワーク要素は、転送トンネルを介してターゲット中間ユーザプレーンネットワーク要素にデータを転送し、ターゲット中間セッション管理ネットワーク要素から、ソースセッション管理ネットワーク要素へのハンドオーバを実施し、端末デバイスのセッションを維持し、端末デバイスのサービス連続性を保証することができる。
【００１２】
可能な設計では、ターゲット中間セッション管理ネットワーク要素が、ソースセッション管理ネットワーク要素に関する情報に基づいて、第１のメッセージをソースセッション管理ネットワーク要素に送る前に、ターゲット中間セッション管理ネットワーク要素は、まず第１の指示情報を取得し得る。第１の指示情報は、ターゲット中間セッション管理ネットワーク要素に、転送トンネルを確立するように指示する。
【００１３】
前述の方法によれば、ターゲット中間セッション管理ネットワーク要素は、第１の指示情報を取得することにより、現在、転送トンネルが確立される必要があると決定し、次いで、転送トンネルを確立することができる。これは、転送トンネルを確立する柔軟性及び効率を向上させることができる。
可能な設計では、ターゲット中間セッション管理ネットワーク要素は、複数の方法で第１の指示情報を取得するが、２つの方法が列挙される。
【００１４】
方法１：ターゲット中間セッション管理ネットワーク要素は、ソースセッション管理ネットワーク要素から第１の指示情報を取得し得る。この場合、ターゲット中間セッション管理ネットワーク要素は、第１の指示情報を取得するために、ソースセッション管理ネットワーク要素と直接対話することができる。
方法２：ターゲット中間セッション管理ネットワーク要素は、第１の指示情報を、モビリティ管理ネットワーク要素から取得する。
【００１５】
前述の方法によれば、第１の指示情報は、異なるネットワーク要素により、ターゲット中間セッション管理ネットワーク要素に送られ得る。転送トンネルを確立する異なる方法が提供され、異なるシナリオに適用されて、広範囲なアプリケーションシナリオを保証し得るようにする。
【００１６】
可能な設計では、第１の指示情報を取得した後、ターゲット中間セッション管理ネットワーク要素は、第１の指示情報に従って、ターゲット中間ユーザプレーンネットワーク要素に、転送トンネルを確立するように示し得る。
【００１７】
前述の方法によれば、第１の指示情報は、転送トンネルを確立するための表示として使用され、従って、転送トンネルは、成功裏に確立されることができ、転送トンネルを確立する効率が向上されることができる。
【００１８】
可能な設計では、第１のメッセージは、転送トンネルを識別するために使用される情報を含んでもよく、特に、第１のメッセージは、ターゲット中間ユーザプレーンネットワーク要素に対応する転送トンネル情報を含む。
【００１９】
前述の方法によれば、第１のメッセージは、ターゲット中間ユーザプレーンネットワーク要素に対応する転送トンネル情報を含み、従って、ターゲット中間セッション管理ネットワーク要素は、簡便にかつ迅速に転送トンネルを確立することができる。
【００２０】
可能な設計では、ターゲット中間セッション管理ネットワーク要素が、ソースセッション管理ネットワーク要素と直接対話できるようにするために、ターゲット中間セッション管理ネットワーク要素は、ソースセッション管理ネットワーク要素に関する情報を取得する必要がある。具体的には、ターゲット中間セッション管理ネットワーク要素は、ソースセッション管理ネットワーク要素に関する情報を、モビリティ管理ネットワーク要素から取得する。
【００２１】
前述の方法によれば、ターゲット中間セッション管理ネットワーク要素は、ソースセッション管理ネットワーク要素に関する情報を取得し、従って、ターゲット中間セッション管理ネットワーク要素は、ソースセッション管理ネットワーク要素と直接対話することができる。ソースセッション管理ネットワーク要素が、ターゲット中間セッション管理ネットワーク要素と直接対話する方法は、比較的速く、効率的であり、転送トンネルを確立する効率が向上されることができる。
【００２２】
可能な設計では、転送トンネルを確立した後、ターゲット中間セッション管理ネットワーク要素は、転送トンネルリリースタイマを設定し、転送トンネルリリースタイマが終了したとき、ターゲット中間セッション管理ネットワーク要素は、中間ユーザプレーンネットワーク要素に、転送トンネルをリリースするように指示する。
【００２３】
前述の方法によれば、トンネルリソースが節約できるように、転送トンネルリリースタイマが設定される。転送トンネルがリリースされるとき、転送トンネルリリースタイマが終了したかどうかだけが決定される必要があり、ターゲット中間セッション管理ネットワーク要素は、他のシグナリングを送る必要がなく、従って、シグナリングリソースが、有効に節約されることができる。
【００２４】
可能な設計では、転送トンネルに加えて、ターゲット中間ユーザプレーンネットワーク要素とアンカーユーザプレーンネットワーク要素の間のトンネルが、さらに確立され得る。具体的な処理は以下のようになる、即ち、
【００２５】
ターゲット中間セッション管理ネットワーク要素は、ソースセッション管理ネットワーク要素に関する情報に基づいて、ソースセッション管理ネットワーク要素からセッション情報を取得する、又はターゲット中間セッション管理ネットワーク要素は、モビリティ管理ネットワーク要素からセッション情報を受信する、また
【００２６】
ターゲット中間セッション管理ネットワーク要素は、セッション情報に基づいて、ターゲット中間ユーザプレーンネットワーク要素とアンカーユーザプレーンネットワーク要素の間でトンネルを確立する。
【００２７】
セッション情報は、以下の少なくとも一方を含む、即ち、アンカーユーザプレーンネットワーク要素のアップリンクトンネル情報、及びアンカーセッション管理ネットワーク要素に関する情報であり、またアンカーセッション管理ネットワーク要素は、アンカーユーザプレーンネットワーク要素を制御するセッション管理ネットワーク要素である。
【００２８】
前述の方法によれば、データネットワークと端末デバイスの間で送信される必要のあるデータは、ターゲット中間ユーザプレーンネットワーク要素とアンカーユーザプレーンネットワーク要素の間のトンネルを介して送信され得るが、従って、端末デバイスは、適時にデータを受信し、送ることができ、それにより、端末デバイスのサービス連続性を保証する。
【００２９】
可能な設計では、第１の指示情報は、セッション情報で搬送され得る。
【００３０】
前述の方法によれば、セッション情報及び第１の指示情報は、共に送られてもよく、従って、シグナリングリソースが、有効に節約され、効率が向上されることができる。
【００３１】
可能な設計では、ソースセッション管理ネットワーク要素に関する情報は、セッション情報において搬送され得る。
【００３２】
前述の方法によれば、セッション情報、及びソースセッション管理ネットワーク要素に関する情報は、共に送られてもよく、従って、シグナリングソースは、有効に節約され、効率が向上されることができる。
【００３３】
第２の態様によれば、本出願の実施形態は、通信方法を提供し、方法は、セッション管理ネットワーク要素、又はセッション管理ネットワーク要素におけるチップにより実施され得る。セッション管理ネットワーク要素は、５Ｇ通信におけるＳＭＦエンティティであり得るが、将来の通信において、セッション管理機能を有する別のエンティティであってもよい。方法は、以下のステップを含む、即ち、まず、ソースセッション管理ネットワーク要素は、ターゲット中間セッション管理ネットワーク要素から第１のメッセージを受信し、次いで、第１のメッセージに基づいて、ソース中間ユーザプレーンネットワーク要素に、転送トンネルを確立するように指示する。
【００３４】
第１のメッセージは、ソース中間ユーザプレーンネットワーク要素からターゲット中間ユーザプレーンネットワーク要素への転送トンネルを確立するために使用され、ソース中間ユーザプレーンネットワーク要素は、ソースセッション管理ネットワーク要素により制御され、かつソース基地局と通信可能に接続されたユーザプレーンネットワーク要素であり、またターゲット中間セッション管理ネットワーク要素は、ターゲット基地局と通信可能に接続されたターゲット中間ユーザプレーンネットワーク要素を制御するセッション管理ネットワーク要素である。
【００３５】
前述の方法によれば、ソース中間ユーザプレーンネットワーク要素からターゲット中間ユーザプレーンネットワーク要素への転送トンネルが確立され、従って、ソース中間ユーザプレーンネットワーク要素は、データを、転送トンネルを介して、ターゲット中間ユーザプレーンネットワーク要素に転送して、ターゲット中間セッション管理ネットワーク要素からソースセッション管理ネットワーク要素へのハンドオーバを実施し、セッションを維持し、端末デバイスのサービス連続性を保証することができる。
【００３６】
可能な設計では、ソースセッション管理ネットワーク要素が、ターゲット中間セッション管理ネットワーク要素から第１のメッセージを受信する前に、ソースセッション管理ネットワーク要素は、まず転送トンネルは確立される必要があると決定し、次いで、第１の指示情報を、ターゲット中間セッション管理ネットワーク要素、又はモビリティ管理ネットワーク要素に送り得る。第１の指示情報は、ターゲット中間セッション管理ネットワーク要素に、転送トンネルを確立するように指示する。
【００３７】
前述の方法によれば、転送トンネルが確立される必要があると決定したとき、ソース中間セッション管理ネットワーク要素は、ターゲット中間セッション管理ネットワーク要素に、転送トンネルを確立するように指示する第１の指示情報を送る。こうすることは、転送トンネルを確立する柔軟性及び効率を向上させることができる。
【００３８】
可能な設計では、ソースセッション管理ネットワーク要素は、複数の方法で、転送トンネルが確立される必要があると決定し得る。ソースセッション管理ネットワーク要素又はソース中間ユーザプレーンネットワーク要素が、端末デバイスに送られるダウンリンクデータを有するとき、ソースセッション管理ネットワーク要素は、転送トンネルは確立される必要があると決定し得る。
【００３９】
前述の方法によれば、転送トンネルは、ダウンリンクデータが、端末デバイスに送られる必要のあるときに確立される。ソースセッション管理ネットワーク要素又はソース中間ユーザプレーンネットワーク要素は、ダウンリンクデータを、転送トンネルを介して、端末デバイスに送ってもよく、従って、端末デバイスは、データを適時に受信することができる。
【００４０】
可能な設計では、第１のメッセージは、転送トンネルを識別するために使用される情報を含み得る、具体的には、第１のメッセージは、ターゲット中間ユーザプレーンネットワーク要素に対応する転送トンネル情報を含む。
【００４１】
前述の方法によれば、第１のメッセージは、ターゲット中間ユーザプレーンネットワーク要素に対応する転送トンネル情報を含み、従って、ターゲット中間セッション管理ネットワーク要素は、簡便に、かつ迅速に転送トンネルを確立することができる。
【００４２】
可能な設計では、転送トンネルを確立した後、ソースセッション管理ネットワーク要素は、転送トンネルリリースタイマを設定してもよく、転送トンネルリリースタイマが終了したとき、ソースセッション管理ネットワーク要素は、ソース中間ユーザプレーンネットワーク要素に、転送トンネルをリリースするように指示する。
【００４３】
前述の方法によれば、トンネルリソースが節約できるように、転送トンネルリリースタイマが設定される。転送トンネルがリリースされるとき、転送トンネルリリースタイマが終了したかどうかだけが、決定される必要があり、ソース中間セッション管理ネットワーク要素は、他のシグナリングを送る必要がなく、従って、シグナリングリソースが有効に節約されることができる。
【００４４】
可能な設計では、その転送トンネルに加えて、ターゲット中間ユーザプレーンネットワーク要素と、アンカーユーザプレーンネットワーク要素との間で、トンネルがさらに確立され得る。具体的な処理は、以下のようになる、即ち、
【００４５】
ソースセッション管理ネットワーク要素は、セッション情報をターゲット中間セッション管理ネットワーク要素に送り、従って、ターゲット中間セッション管理ネットワーク要素は、ターゲット中間ユーザプレーンネットワーク要素とアンカーユーザプレーンネットワーク要素の間でトンネルを確立する、又は
【００４６】
ソースセッション管理ネットワーク要素は、セッション情報をモビリティ管理ネットワーク要素に送り、従って、モビリティ管理ネットワーク要素は、セッション情報を、ターゲット中間セッション管理ネットワーク要素に送る。
【００４７】
セッション情報は、以下の少なくとも一方を含む、即ち、アンカーユーザプレーンネットワーク要素のアップリンクトンネル情報、及びアンカーセッション管理ネットワーク要素に関する情報であり、またアンカーセッション管理ネットワーク要素は、アンカーユーザプレーンネットワーク要素を制御するセッション管理ネットワーク要素である。
【００４８】
前述の方法によれば、データネットワークと端末デバイスの間で送信される必要のあるデータは、ターゲット中間ユーザプレーンネットワーク要素とアンカーユーザプレーンネットワーク要素の間のトンネルを介して送信され得るが、従って、端末デバイスは、データを適時に受信し、送ることができ、それにより、端末デバイスのサービス連続性を保証する。
【００４９】
可能な設計では、第１の指示情報は、セッション情報で搬送され得る。
【００５０】
前述の方法によれば、セッション情報及び第１の指示情報は、共に送られてもよく、従って、シグナリングリソースが有効に節約され、効率が向上されることができる。
【００５１】
可能な設計では、ソースセッション管理ネットワーク要素に関する情報は、セッション情報において搬送され得る。
【００５２】
前述の方法によれば、セッション情報、及びソースセッション管理ネットワーク要素に関する情報は、共に送られてもよく、従って、シグナリングリソースが有効に節約され、効率が向上されることができる。
【００５３】
第３の態様によれば、本出願の実施形態は、通信方法を提供し、また方法は、モビリティ管理エンティティ、又はモビリティ管理エンティティにおけるチップによって実施され得る。モビリティ管理エンティティは、５Ｇ通信におけるＡＭＦエンティティであり得るが、また将来の通信において、セッション管理機能を有する別のエンティティであってもよい。方法は、以下のステップを含む、即ち、モビリティ管理ネットワーク要素は、ターゲット中間セッション管理ネットワーク要素に関する情報を取得する。モビリティ管理ネットワーク要素は、ターゲット中間セッション管理ネットワーク要素に関する情報に基づいて、ソースセッション管理ネットワーク要素に関する情報をターゲット中間セッション管理ネットワーク要素に送り、ここで、ソースセッション管理ネットワーク要素は、ソース基地局と通信可能に接続されたユーザプレーンネットワーク要素を制御するセッション管理ネットワーク要素であり、またターゲット中間セッション管理ネットワーク要素は、ターゲット基地局と通信可能に接続されたターゲット中間ユーザプレーンネットワーク要素を制御するセッション管理ネットワーク要素である。
【００５４】
前述の方法によれば、ターゲット中間セッション管理ネットワーク要素は、ソースセッション管理ネットワーク要素に関する情報を取得し、従って、ターゲット中間セッション管理ネットワーク要素が、ソースセッション管理ネットワーク要素と直接対話できるようになる。
【００５５】
可能な設計では、モビリティ管理ネットワーク要素は、第１の指示情報を、ターゲット中間セッション管理ネットワーク要素に送る。第１の指示情報は、ターゲット中間セッション管理ネットワーク要素に、ソース中間ユーザプレーンネットワーク要素からターゲット中間ユーザプレーンネットワーク要素への転送トンネルを確立するように示し、ソース中間ユーザプレーンネットワーク要素は、ソースセッション管理ネットワーク要素によって制御され、かつソース基地局と通信可能に接続されたユーザプレーンネットワーク要素である。
【００５６】
前述の方法によれば、モビリティ管理ネットワーク要素は、第１の指示情報を送ることにより、ターゲット中間セッション管理ネットワーク要素に、転送トンネルを確立するように示し、従って、転送トンネルを確立する柔軟性及び効率が向上されることができる。
【００５７】
可能な設計では、モビリティ管理ネットワーク要素が、第１の指示情報をターゲット中間セッション管理ネットワーク要素に送る前に、モビリティ管理ネットワーク要素は、まず、転送トンネルが確立される必要があると決定し得る、又はモビリティ管理ネットワーク要素は、ソースセッション管理ネットワーク要素から第１の指示情報を取得し得る。
【００５８】
前述の方法によれば、モビリティ管理ネットワーク要素は、様々な方法で第１の指示情報を決定し得るが、また転送トンネルを確立する様々な方法が提供されて、様々なシナリオに適用され、より広範囲なアプリケーションシナリオを保証し得る。
【００５９】
可能な設計では、モビリティ管理ネットワーク要素が、ソースセッション管理ネットワーク要素から、サービス要求手続きをトリガするために使用されるメッセージを受信した場合、モビリティ管理ネットワーク要素は、転送トンネルが確立される必要があると決定する。
【００６０】
前述の方法によれば、サービス要求手順がトリガされる必要のあるとき、転送トンネルが確立される。端末デバイスが確実にデータを適時に受信できるように、ソースセッション管理ネットワーク要素は、転送トンネルを使用することによってセッションを確立し得る。
【００６１】
可能な設計では、モビリティ管理ネットワーク要素は、複数の方法で、ターゲット中間セッション管理ネットワーク要素に関する情報を取得し得る。次に、２つの方法を列挙する、即ち、
【００６２】
方法１：モビリティ管理ネットワーク要素は、まず端末デバイスの位置情報を取得し、次いで、端末デバイスの位置情報に基づいて、ターゲット中間セッション管理ネットワーク要素に関する情報を選択する。
【００６３】
方法２：モビリティ管理ネットワーク要素は、ソースセッション管理ネットワーク要素から、ターゲット中間セッション管理ネットワーク要素に関する情報を受信する。
【００６４】
前述の方法によれば、ターゲット中間セッション管理ネットワーク要素に関する情報は、様々な方法で取得され、通信方法が、より多くのシナリオに適用されるように、転送トンネルを確立する複数の方法が提供される。
【００６５】
可能な設計では、転送トンネルに加えて、ターゲット中間ユーザプレーンネットワーク要素とアンカーユーザプレーンネットワーク要素の間でトンネルがさらに確立され得る。具体的な処理は、以下のようになる、即ち、
モビリティ管理ネットワーク要素は、ソースセッション管理ネットワーク要素からセッション情報を受信する、また
【００６６】
モビリティ管理ネットワーク要素は、セッション情報を、ターゲット中間セッション管理ネットワーク要素に送り、従って、ターゲット中間セッション管理ネットワーク要素が、ターゲット中間ユーザプレーンネットワーク要素とアンカーユーザプレーンネットワーク要素の間にトンネルを確立するようにする。
【００６７】
セッション情報は、以下の少なくとも１つを含む、即ち、アンカーユーザプレーンネットワーク要素のアップリンクトンネル情報、及びアンカーセッション管理ネットワーク要素に関する情報であり、アンカーセッション管理ネットワーク要素は、アンカーユーザプレーンネットワーク要素を制御するセッション管理ネットワーク要素である。
【００６８】
前述の方法によれば、データネットワークと端末デバイスの間で送信される必要のあるデータは、ターゲット中間ユーザプレーンネットワーク要素とアンカーユーザプレーンネットワーク要素の間のトンネルを介して送信されてもよく、従って、端末デバイスは、適時にデータを受信し、送ることができ、それにより、端末デバイスのサービス連続性を保証する。
【００６９】
可能な設計では、第１の指示情報は、セッション情報で搬送され得る。
【００７０】
前述の方法によれば、セッション情報及び第１の指示情報は、共に送られてもよく、従って、シグナリングリソースが有効に節約され、効率が向上されることができる。
可能な設計では、ソースセッション管理ネットワーク要素に関する情報は、セッション情報において搬送され得る。
【００７１】
前述の方法によれば、セッション情報とソースセッション管理ネットワーク要素に関する情報とは、共に送られてもよく、従って、シグナリングソースは、有効に節約され、効率が向上されることができる。
【００７２】
第４の態様によれば、本発明の実施形態は、通信システムを提供する。有益な効果については、第１の態様及び第２の態様の記述を参照のこと。詳細をここで再度説明しないものとする。通信システムは、ターゲット中間セッション管理ネットワーク要素及びソースセッション管理ネットワーク要素を含む。
【００７３】
ターゲット中間セッション管理ネットワーク要素は、ソースセッション管理ネットワーク要素に関する情報を取得し、ソースセッション管理ネットワーク要素に関する情報に基づいて、第１のメッセージを、ソースセッション管理ネットワーク要素に送るように構成され、また
【００７４】
ソースセッション管理ネットワーク要素は、第１のメッセージを、ターゲット中間セッション管理ネットワーク要素から受信し、かつ第１のメッセージに基づいて、ソース中間ユーザプレーンネットワーク要素に、転送トンネルを確立するように指示するように構成される。
【００７５】
第１のメッセージは、ソース中間ユーザプレーンネットワーク要素からターゲット中間ユーザプレーンネットワーク要素への転送トンネルを確立するために使用され、ソース中間ユーザプレーンネットワーク要素は、ソースセッション管理ネットワーク要素により制御され、かつソース基地局と通信可能に接続されたユーザプレーンネットワーク要素であり、またターゲット中間ユーザプレーンネットワーク要素は、ターゲット中間セッション管理ネットワーク要素により制御され、かつターゲット基地局と通信可能に接続されたユーザプレーンネットワーク要素である。
【００７６】
可能な設計では、ターゲット中間セッション管理ネットワーク要素から第１のメッセージを受信する前に、ソースセッション管理ネットワーク要素は、転送トンネルが確立される必要があると決定し、第１の指示情報を、ターゲット中間セッション管理ネットワーク要素に送る。第１の指示情報は、ターゲット中間セッション管理ネットワーク要素に、転送トンネルを確立するように指示する。
【００７７】
可能な設計では、ターゲット中間セッション管理ネットワーク要素は、ソースセッション管理ネットワーク要素から第１の指示情報を取得し、次いで、第１の指示情報に従って、ターゲット中間ユーザプレーンネットワーク要素に、転送トンネルを確立するように指示する。
【００７８】
可能な設計では、ソースセッション管理ネットワーク要素は、セッション情報を、ターゲット中間セッション管理ネットワーク要素に送る、ここで、セッション情報は、以下の少なくとも一方を含む、即ち、アンカーユーザプレーンネットワーク要素のアップリンクトンネル情報、及びアンカーセッション管理ネットワーク要素に関する情報であり、アンカーセッション管理ネットワーク要素は、アンカーユーザプレーンネットワーク要素を制御するセッション管理ネットワーク要素である。
【００７９】
可能な設計では、ターゲット中間セッション管理ネットワーク要素は、ソースセッション管理ネットワーク要素に関する情報に基づいて、ソースセッション管理ネットワーク要素からセッション情報をさらに取得し、次いで、セッション情報に基づいて、ターゲット中間ユーザプレーンネットワーク要素とアンカーユーザプレーンネットワーク要素の間にトンネルを確立し得る。
【００８０】
可能な設計では、通信システムは、モビリティ管理ネットワーク要素をさらに含み、モビリティ管理ネットワーク要素は、転送トンネルが確立される必要があると決定する。任意選択で、第１の指示情報は、ターゲット中間セッション管理ネットワーク要素に送られる。第１の指示情報は、ターゲット中間セッション管理ネットワーク要素に、転送トンネルを確立するように指示する。
【００８１】
可能な設計では、モビリティ管理ネットワーク要素が、ソースセッション管理ネットワーク要素から、サービス要求手順をトリガするために使用されるメッセージを受信した場合、モビリティ管理ネットワーク要素は、転送トンネルが確立される必要があると決定する。
【００８２】
通信システムにおけるターゲット中間セッション管理ネットワーク要素、ソースセッション管理ネットワーク要素、及びモビリティ管理ネットワーク要素の名前は、デバイスに対する何らかの限定を構成するものではないことを理解されたい。別のネットワークにおいては、ターゲット中間セッション管理ネットワーク要素、ソースセッション管理ネットワーク要素、及びモビリティ管理ネットワーク要素はまた、対応する機能を有する他のネットワーク要素であり得る。
【００８３】
第５の態様によれば、本出願の実施形態は、通信装置をさらに提供する。装置は、セッション管理ネットワーク要素に適用される。有益な効果については、第１の態様の記述を参照のこと。詳細をここで再度述べないものとする。装置は、第１の態様の方法例におけるアクションを実施する機能を有する。機能は、ハードウェアにより実施され得る、又は対応するソフトウェアを実行するハードウェアにより実施され得る。ハードウェア又はソフトウェアは、前述の機能に対応する１つ又は複数のモジュールを含む。可能な設計では、装置の構造は、処理ユニット及びトランシーバユニットを含む。これらのユニットは、第１の態様の前述の方法例における対応する機能を実行することができる。詳細には、方法例の詳細な記述を参照のこと。詳細をここで再度述べないものとする。
【００８４】
第６の態様によれば、本出願の実施形態は、通信装置をさらに提供する。装置は、セッション管理ネットワーク要素に適用される。有益な効果については、第２の態様の記述を参照のこと。詳細をここで再度述べないものとする。装置は、第２の態様の方法例におけるアクションを実施する機能を有する。機能は、ハードウェアにより実施される、又は対応するソフトウェアを実行するハードウェアによって実施され得る。ハードウェア又はソフトウェアは、前述の機能に対応する１つ又は複数のモジュールを含む。可能な設計では、装置の構造は、処理ユニット及びトランシーバユニットを含む。これらのユニットは、第２の態様の前述の方法例における対応する機能を実行することができる。詳細には、方法例の詳細な記述を参照のこと。詳細をここで再度述べないものとする。
【００８５】
第７の態様によれば、本出願の実施形態は、通信装置をさらに提供する。装置は、モビリティ管理ネットワーク要素に適用される。有益な効果については、第３の態様の記述を参照のこと。詳細をここで再度述べないものとする。装置は、第３の態様の方法例におけるアクションを実施する機能を有する。機能は、ハードウェアにより、又は対応するソフトウェアを実行するハードウェアにより実施され得る。ハードウェア又はソフトウェアは、前述の機能に対応する１つ又は複数のモジュールを含む。可能な設計では、装置の構造は、処理ユニット及びトランシーバユニットを含む。これらのユニットは、第３の態様の前述の方法例における対応する機能を実行することができる。詳細には、方法例の詳細な記述を参照のこと。詳細をここで再度述べないものとする。
【００８６】
第８の態様によれば、本出願の実施形態は、装置をさらに提供する。装置は、セッション管理ネットワーク要素に適用される。有益な効果については、第１の態様の記述を参照のこと。詳細をここで再度述べないものとする。通信装置の構造は、プロセッサ及びメモリを含む。プロセッサは、第１の態様の方法における対応する機能を実施する際に端末をサポートするように構成される。メモリは、プロセッサに結合されて、端末に必要なプログラム命令及びデータを記憶する。通信装置の構造は、別のデバイスと通信するように構成された通信インターフェースをさらに含む。
【００８７】
第９の態様によれば、本出願の実施形態は、装置をさらに提供する。装置は、セッション管理ネットワーク要素に適用される。有益な効果については、第２の態様の記述を参照のこと。詳細をここで再度述べないものとする。通信装置の構造は、プロセッサ及びメモリを含む。プロセッサは、第２の態様の方法における対応する機能を実施する際に端末をサポートするように構成される。メモリは、プロセッサに結合されて、端末に必要なプログラム命令及びデータを記憶する。通信装置の構造は、別のデバイスと通信するように構成された通信インターフェースをさらに含む。
【００８８】
第１０の態様によれば、本出願の実施形態は、装置をさらに提供する。装置は、モビリティ管理ネットワーク要素に適用される。有益な効果については、第３の態様の記述を参照のこと。詳細をここで再度述べないものとする。通信装置の構造は、プロセッサ及びメモリを含む。プロセッサは、第３の態様の方法における対応する機能を実施する際に端末をサポートするように構成される。メモリは、プロセッサに結合されて、端末に必要なプログラム命令及びデータを記憶する。通信装置の構造は、別のデバイスと通信するように構成された通信インターフェースをさらに含む。
【００８９】
第１１の態様によれば、本出願は、コンピュータ可読記録媒体をさらに提供する。コンピュータ可読記録媒体は、命令を記憶し、命令がコンピュータで実行されたとき、コンピュータは、前述の諸態様による方法を実施することが可能になる。
【００９０】
第１２の態様によれば、本出願は、命令を含むコンピュータプログラム製品をさらに提供する。命令がコンピュータで実行されるとき、コンピュータは、前述の諸態様による方法を実施することが可能になる。
【００９１】
第１３の態様によれば、本出願は、コンピュータチップをさらに提供する。チップは、メモリに接続される。チップは、メモリに記憶されたソフトウェアプログラムを読み取り、かつ実行して、前述の諸態様による方法を実施するように構成される。
【図面の簡単な説明】
【００９２】
【図１Ａ】本出願によるシステムアーキテクチャの概略図である。
【図１Ｂ】本出願によるシステムアーキテクチャの概略図である。
【図１Ｃ】本出願によるシステムアーキテクチャの概略図である。
【図２】本出願による通信方法の概略図である。
【図３】本出願による通信方法の概略図である。
【図４】本出願による通信方法の概略図である。
【図５】本出願による通信方法の概略図である。
【図６】本出願による通信方法のフロー図である。
【図７Ａ】本出願による通信方法のフロー図である。
【図７Ｂ】本出願による通信方法のフロー図である。
【図８】本出願による通信方法のフロー図である。
【図９】本出願による通信方法のフロー図である。
【図１０】本出願による装置の概略的な構造図である。
【図１１】本出願による装置の概略的な構造図である。
【図１２】本出願による装置の概略的な構造図である。
【図１３】本出願による装置の概略的な構造図である。
【発明を実施するための形態】
【００９３】
本出願の目的、技術的な解決策、及び利点をより明確にするために、以下では、本出願を、添付図面を参照してさらに詳細に述べる。方法実施形態における特定の動作方法はまた、装置実施形態、又はシステム実施形態に適用され得る。
【００９４】
以下では、当業者がよく理解するのを助けるために、本出願におけるいくつかの用語を述べる。
【００９５】
１．通信システムは、端末デバイスがサービスを要求したとき、対応するサービスを実施するために、端末デバイスをＤＮに接続し、かつユーザプレーンデータを端末デバイスとＤＮの間で送信するために使用される。通信システムは、アクセスネットワーク（ａｃｃｅｓｓ  ｎｅｔｗｏｒｋ、ＡＮ）と、コアネットワークとに分割される。アクセスネットワークは、端末デバイスをコアネットワークに接続するために使用され、またコアネットワークは、端末デバイスを様々なＤＮに接続するために使用される。論理的な機能分割に基づいて、コアネットワークは、制御プレーンとユーザプレーンとにさらに分割され得る。
【００９６】
さらに、本出願において通信システムの規格は限定されず、通信システムは、第３世代（３ｔｈ  ｇｅｎｅｒａｔｉｏｎ、３Ｇ）通信システム、第４世代（４ｔｈ  ｇｅｎｅｒａｔｉｏｎ、４Ｇ）通信システム、第５世代（５ｔｈ  ｇｅｎｅｒａｔｉｏｎ、５Ｇ）通信システム、及び３Ｇ通信システム、４Ｇ通信システム、又は５Ｇ通信システムに基づく進化型通信システムであってもよいことにさらに留意されたい。
【００９７】
２．本出願における制御プレーンネットワーク要素は、コアネットワークにおける制御プレーンの論理機能を扱い、制御プレーン機能（ｃｏｎｔｒｏｌ  ｐｌａｎｅ  ｆｕｎｃｔｉｏｎ、ＣＰＦ）エンティティと呼ばれることもあり、かつコアネットワークにおけるセッション管理、アクセス及びモビリティ管理、並びにポリシ制御など、制御管理機能の実施を扱うネットワーク要素である。
【００９８】
本出願における制御プレーンネットワーク要素は、主として、セッション管理ネットワーク要素、及びモビリティ管理ネットワーク要素を含む。
【００９９】
セッション管理ネットワーク要素は、例えば、ユーザプレーンネットワーク要素を端末デバイスに割り当てること、及びセッションを確立することなどのセッション管理機能を扱う。例えば、セッション管理ネットワーク要素は、セッション管理機能（ｓｅｓｓｉｏｎ  ｍａｎａｇｅｍｅｎｔ  ｆｕｎｃｔｉｏｎ、ＳＭＦ）エンティティであり得る。端末デバイスのセッションが確立された後、端末デバイスの制御プレーン経路は、１つ又は複数のセッション管理ネットワーク要素を含み得る。
【０１００】
端末デバイスの制御プレーン経路が、１つのセッション管理ネットワーク要素を含むとき、セッション管理ネットワーク要素は、端末デバイスのセッションに関連する１つ又は複数のユーザプレーンネットワーク要素を管理し得る。
【０１０１】
端末デバイスの制御プレーン経路が、複数のセッション管理ネットワーク要素を含むとき、セッション管理ネットワーク要素は、中間セッション管理ネットワーク要素と、アンカーセッション管理ネットワーク要素へと分類される。アンカーセッション管理ネットワーク要素は、端末デバイスのセッションにおいて、データネットワークに接続されたユーザプレーンネットワーク要素を制御する。例えば、アンカーセッション管理ネットワーク要素は、Ａ−ＳＭＦ（ａｎｃｈｏｒ  ＳＭＦ、ａｎｃｈｏｒ  ｓｅｓｓｉｏｎ  ｍａｎａｇｅｍｅｎｔ  ｆｕｎｃｔｉｏｎ）エンティティであり得る。中間セッション管理ネットワーク要素は、端末デバイスのセッションにおいて、基地局に接続されるユーザプレーンネットワーク要素を制御する。例えば、中間セッション管理ネットワーク要素は、Ｉ−ＳＭＦ（ｉｎｔｅｒｍｅｄｉａｔｅ  ＳＭＦ、ｉｎｔｅｒｍｅｄｉａｔｅ  ｓｅｓｓｉｏｎ  ｍａｎａｇｅｍｅｎｔ  ｆｕｎｃｔｉｏｎ）エンティティであり得る。
【０１０２】
モビリティ管理ネットワーク要素は、端末デバイスのアクセス管理及びモビリティ管理などの機能を扱う。実際の用途において、機能は、ロングタームエボリューション（ｌｏｎｇ  ｔｅｒｍ  ｅｖｏｌｕｔｉｏｎ、ＬＴＥ）のネットワークアーキテクチャにおけるモビリティ管理エンティティ（ｍｏｂｉｌｉｔｙ  ｍａｎａｇｅｍｅｎｔ  ｅｎｔｉｔｙ、ＭＭＥ）のモビリティ管理機能を含み、またアクセス管理機能をさらに含む。例えば、モビリティ管理ネットワーク要素は、アクセス及びモビリティ管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）エンティティであり得る。
【０１０３】
３．本出願におけるユーザプレーンネットワーク要素は、主として、データパケット転送、サービス品質（ｑｕａｌｉｔｙ  ｏｆ  ｓｅｒｖｉｃｅ、ＱｏＳ）制御、課金情報統計などを扱う。
【０１０４】
端末デバイスのユーザプレーン経路上で、端末デバイスのセッション（例えば、パケットデータユニット（ｐａｃｋｅｔ  ｄａｔａ  ｕｎｉｔ、ＰＤＵ）セッション）が確立された後、１つ又は複数のユーザプレーンネットワーク要素が存在し得る。ユーザプレーン経路上のユーザプレーンネットワーク要素の位置に基づき、ユーザプレーンネットワーク要素は、中間ユーザプレーンネットワーク要素とアンカーユーザプレーンネットワーク要素とに分類され得る。アンカーユーザプレーンネットワーク要素は、データネットワークに接続されるユーザプレーンネットワーク要素である。例えば、アンカーユーザプレーンネットワーク要素は、Ａ−ＵＰＦ（ａｎｃｈｏｒ  ＵＰＦ、ａｎｃｈｏｒ  ｕｓｅｒ  ｐｌａｎｅ  ｆｕｎｃｔｉｏｎ）エンティティであり得る。中間ユーザプレーンネットワーク要素は、基地局に接続されるユーザプレーンネットワーク要素である。例えば、中間ユーザプレーンネットワーク要素は、Ｉ−ＵＰＦ（ｉｎｔｅｒｍｅｄｉａｔｅ  ＵＰＦ、ｉｎｔｅｒｍｅｄｉａｔｅ  ｕｓｅｒ  ｐｌａｎｅ  ｆｕｎｃｔｉｏｎ）エンティティであり得る。
【０１０５】
４．本出願において、ユーザ機器（ｕｓｅｒ  ｅｑｕｉｐｍｅｎｔ、ＵＥ）とも呼ばれる端末デバイスは、例えば、屋内又は屋外デバイス、手持ち式デバイス、又は車両に搭載されたデバイスなど、陸上で展開され得る。代替として、端末デバイスは、水上で（例えば、船上で）展開され得る、又は空中で（例えば、飛行機、気球、又は衛星で）展開され得る。端末デバイスは、移動電話（ｍｏｂｉｌｅ  ｐｈｏｎｅ）、タブレットコンピュータ（パッド）、無線受信／送信機能を備えたコンピュータ、仮想現実（ｖｉｒｔｕａｌ  ｒｅａｌｉｔｙ、ＶＲ）デバイス、拡張現実（ａｕｇｍｅｎｔｅｄ  ｒｅａｌｉｔｙ、ＡＲ）デバイス、産業制御（ｉｎｄｕｓｔｒｉａｌ  ｃｏｎｔｒｏｌ）における無線デバイス、自動運転（ｓｅｌｆ  ｄｒｉｖｉｎｇ）における無線デバイス、遠隔医療（ｒｅｍｏｔｅ  ｍｅｄｉｃａｌ）における無線デバイス、スマートグリッド（ｓｍａｒｔ  ｇｒｉｄ）における無線デバイス、輸送安全（ｔｒａｎｓｐｏｒｔａｔｉｏｎ  ｓａｆｅｔｙ）における無線デバイス、スマートシティ（ｓｍａｒｔ  ｃｉｔｙ）における無線デバイス、スマートホーム（ｓｍａｒｔ  ｈｏｍｅ）における無線デバイスなどであり得る。
【０１０６】
５．本出願におけるアクセスネットワークデバイスは、端末デバイスに対してアクセスサービスを提供し、かつアクセスネットワークを用いることにより、ユーザが移動通信ネットワークにアクセスするのを制御する。ＡＮは、無線アクセスネットワーク（ｒａｄｉｏ  ａｃｃｅｓｓ  ｎｅｔｗｏｒｋ、ＲＡＮ）デバイス、又は別のＡＮデバイスであり得る。例えば、アクセスネットワークデバイスは、ｇＮＢ、ノードＢ（ｎｏｄｅＢ、ＮＢ）、進化型ノードＢ（ｅｖｏｌｖｅｄ  ＮｏｄｅＢ、ｅＮＢ）、無線ネットワーク制御装置（ｒａｄｉｏ  ｎｅｔｗｏｒｋ  ｃｏｎｔｒｏｌｌｅｒ、ＲＮＣ）、基地局制御装置（ｂａｓｅ  ｓｔａｔｉｏｎ  ｃｏｎｔｒｏｌｌｅｒ、ＢＳＣ）、送受信機基地局（ｂａｓｅ  ｔｒａｎｓｃｅｉｖｅｒ  ｓｔａｔｉｏｎ、ＢＴＳ）、ホーム基地局（例えば、Ｈｏｍｅ  ｅＮＢ、又はＨｏｍｅ  ＮｏｄｅＢ）、ベースバンドユニット（ｂａｓｅｂａｎｄ  ｕｎｉｔ、ＢＢＵ）、アクセスポイント（ａｃｃｅｓｓ  ｐｏｉｎｔ、ＡＰ）、又はワールドワイドインターオペラビリティフォーマイクロウェーブアクセス基地局（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ  ｂａｓｅ  ｓｔａｔｉｏｎ、ＷｉＭＡＸ  ＢＳ）であり得る。これは、本出願において限定されない。
【０１０７】
６．本出願におけるセッションは、端末デバイス、アクセスネットワークデバイス、ユーザプレーンネットワーク要素、及びデータネットワークの間の接続であり、端末デバイスとデータネットワークの間でユーザプレーンデータを送信するために使用される。
本出願において、「複数の」は、「２つ以上の」を意味することに留意されたい。
【０１０８】
さらに本出願の記述において、「第１の」、及び「第２の」などの用語は、単に区別及び説明のために使用されるに過ぎないものと理解されるべきであり、相対的な重要性を示す、又は示唆するものと理解されるべきではなく、又はシーケンスを示す、又は示唆するものと理解されるべきではない。
【０１０９】
図１Ａは、本出願による通信方法が適用できる可能な通信システムの概略図である。通信システムは、ターゲット中間セッション管理ネットワーク要素、及びソースセッション管理ネットワーク要素を含み、任意選択で、ターゲット中間セッション管理ネットワーク要素により制御されるターゲット中間ユーザプレーンネットワーク要素、及びソースセッション管理ネットワーク要素により制御されるソース中間ユーザプレーンネットワーク要素をさらに含む。任意選択で、通信システムは、モビリティ管理ネットワーク要素をさらに含み得る。
【０１１０】
通信システムにおいて、１つのセッション管理ネットワーク要素は、１つ又は複数のユーザプレーンネットワーク要素を制御してもよい。記述を簡単にするために、１つのセッション管理ネットワーク要素が、１つのユーザプレーンネットワーク要素を制御する例が、図１Ａの説明用に使用されている。
【０１１１】
端末デバイスのモビリティに起因して、端末デバイスは、現在のセッション管理ネットワーク要素（記述を簡単にするために、以下では、「ソースセッション管理ネットワーク要素」と呼ばれ得る）のサービスエリアから、別のセッション管理ネットワーク要素（以下では、「ターゲット中間セッション管理ネットワーク要素」と呼ばれ得る）のサービスエリアへと移動することがある。
【０１１２】
前述の場合、端末デバイスのセッションの連続性を保証するために、ソースセッション管理ネットワーク要素により制御されるソース中間ユーザプレーンネットワーク要素と、ターゲット中間セッション管理ネットワーク要素により制御されるターゲット中間ユーザプレーンネットワーク要素との間で転送トンネルが確立されて、ソース中間ユーザプレーンネットワーク要素が、転送トンネルを介して、データをターゲット中間ユーザプレーンネットワーク要素に確実に送れるようにする必要がある。
【０１１３】
さらに、ターゲット中間セッション管理ネットワーク要素により制御されるターゲット中間ユーザプレーンネットワーク要素は、アンカーユーザプレーンネットワーク要素とトンネルを確立する必要があり、データネットワークにおけるデータが、ターゲット中間ユーザプレーンネットワーク要素を用いることにより基地局に送られ、次いで、基地局を用いることにより、データが端末デバイスに送られることを保証する。端末デバイスのデータはまた、ターゲット基地局を用いることにより、ターゲット中間ユーザプレーンネットワーク要素に送られ、次いで、ターゲット中間ユーザプレーンネットワーク要素を用いることにより、データはデータネットワークに送られる。
通信システムで転送トンネルを確立する処理において、
【０１１４】
ターゲット中間セッション管理ネットワーク要素は、ソースセッション管理ネットワーク要素に関する情報を取得し、かつソースセッション管理ネットワーク要素に関する情報に基づいて、第１のメッセージをソースセッション管理ネットワーク要素に送るように構成され、また
【０１１５】
ソースセッション管理ネットワーク要素は、第１のメッセージを、ターゲット中間セッション管理ネットワーク要素から受信し、かつ第１のメッセージに基づいて、ソース中間ユーザプレーンネットワーク要素に、転送トンネルを確立するように指示するように構成される。
【０１１６】
第１のメッセージは、ソース中間ユーザプレーンネットワーク要素からターゲット中間ユーザプレーンネットワーク要素へと転送トンネルを確立するために使用され、ソース中間ユーザプレーンネットワーク要素は、ソースセッション管理ネットワーク要素により制御され、かつソース基地局と通信可能に接続されたユーザプレーンネットワーク要素であり、またターゲット中間ユーザプレーンネットワーク要素は、ターゲット中間セッション管理ネットワーク要素により制御され、かつターゲット基地局と通信可能に接続されたユーザプレーンネットワーク要素である。
【０１１７】
可能な実装では、ターゲット中間セッション管理ネットワーク要素から第１のメッセージを受信する前に、ソースセッション管理ネットワーク要素は、転送トンネルが確立される必要があると決定し、次いで、ターゲット中間セッション管理ネットワーク要素に第１の指示情報を送り得る。第１の指示情報は、ターゲット中間セッション管理ネットワーク要素に、転送トンネルを確立するように指示する。
【０１１８】
任意選択で、ターゲット中間セッション管理ネットワーク要素は、第１の指示情報を、ソースセッション管理ネットワーク要素から取得し、次いで、第１の指示情報に従って、ターゲット中間ユーザプレーンネットワーク要素に、転送トンネルを確立するように指示する。
【０１１９】
可能な実装では、ソースセッション管理ネットワーク要素は、セッション情報をターゲット中間セッション管理ネットワーク要素にさらに送ってもよい。セッション情報は、以下の少なくとも一方を含む、即ち、アンカーユーザプレーンネットワーク要素のアップリンクトンネル情報、及びアンカーセッション管理ネットワーク要素に関する情報であり、アンカーセッション管理ネットワーク要素は、アンカーユーザプレーンネットワーク要素を制御するセッション管理ネットワーク要素である。
【０１２０】
任意選択で、ターゲット中間セッション管理ネットワーク要素は、ソースセッション管理ネットワーク要素に関する情報に基づいて、ソースセッション管理ネットワーク要素からセッション情報をさらに取得し、次いで、セッション情報に基づき、ターゲット中間ユーザプレーンネットワーク要素とアンカーユーザプレーンネットワーク要素の間でトンネルを確立し得る。
【０１２１】
任意選択で、ターゲット中間セッション管理ネットワーク要素は、ソースセッション管理ネットワーク要素に関する情報を、モビリティ管理ネットワーク要素から取得する。
【０１２２】
任意選択で、モビリティ管理ネットワーク要素は、ターゲット中間セッション管理ネットワーク要素に関する情報を取得し、次いで、ターゲット中間セッション管理ネットワーク要素に関する情報に基づいて、ソースセッション管理ネットワーク要素に関する情報をターゲット中間セッション管理ネットワーク要素に送るように構成される。
【０１２３】
可能な実装では、モビリティ管理ネットワーク要素は、第１の指示情報を、ターゲット中間セッション管理ネットワーク要素に送る。第１の指示情報は、ターゲット中間セッション管理ネットワーク要素に、ソース中間ユーザプレーンネットワーク要素からターゲット中間ユーザプレーンネットワーク要素への転送トンネルを確立すべきであることを示し、またソース中間ユーザプレーンネットワーク要素は、ソースセッション管理ネットワーク要素により制御され、かつソース基地局と通信可能に接続されたユーザプレーンネットワーク要素である。
【０１２４】
任意選択で、モビリティ管理ネットワーク要素は、転送トンネルが確立される必要があると決定し、第１の指示情報をターゲット中間セッション管理ネットワーク要素に送る。
【０１２５】
任意選択で、モビリティ管理ネットワーク要素は、第１の指示情報をソースセッション管理ネットワーク要素から取得し、第１の指示情報をターゲット中間セッション管理ネットワーク要素に送る。
【０１２６】
任意選択で、モビリティ管理ネットワーク要素が、ソースセッション管理ネットワーク要素から、サービス要求手順をトリガするために使用されるメッセージを受信した場合、モビリティ管理ネットワーク要素は、転送トンネルが確立される必要があると決定する。
【０１２７】
可能な実装では、モビリティ管理ネットワーク要素は、ソースセッション管理ネットワーク要素からセッション情報を受信し、かつセッション情報を、ターゲット中間セッション管理ネットワーク要素に送り、従って、ターゲット中間セッション管理ネットワーク要素は、ターゲット中間ユーザプレーンネットワーク要素とアンカーユーザプレーンネットワーク要素の間にトンネルを確立する。
【０１２８】
図１Ａで示される通信システムに基づいて、本出願の実施形態は、図１Ｂ及び図１Ｃを参照して、通信システムの別の２つの可能なネットワークアーキテクチャの概略図をさらに提供する。図１Ｂ及び図１Ｃで示される通信システムはそれぞれ、ＡＭＦエンティティ、ＳＭＦエンティティ、及びＵＰＦエンティティを含み、また端末デバイス（例えば、諸図において、端末デバイスはＵＥである）、ＡＮデバイスなどをさらに含み得る。
【０１２９】
図１Ａにおけるソース中間セッションネットワーク要素、及びモビリティ管理ネットワーク要素は、それぞれ、図１ＢのＩ−ＳＭＦ及びＡＭＦに対応する。図１Ａにおけるソース中間ユーザプレーンネットワーク要素、及びアンカーユーザプレーンネットワーク要素は、それぞれ、図１ＢにおけるＩ−ＵＰＦ及びＡ−ＵＰＦに対応する。
【０１３０】
図１Ａのソース中間セッションネットワーク要素、及びモビリティ管理ネットワーク要素は、それぞれ、図１ＣのＡ−ＳＭＦ及びＡＭＦに対応する。図１Ａのソース中間ユーザプレーンネットワーク要素及びアンカーユーザプレーンネットワーク要素は、それぞれ、図１ＣのＩ−ＵＰＦ及びＡ−ＵＰＦに対応する。
【０１３１】
ターゲット中間セッション管理ネットワーク要素及びターゲット中間ユーザプレーンネットワーク要素は、図１Ｂ及び図１Ｃに示されておらず、ターゲット中間セッション管理ネットワーク要素、及びターゲット中間ユーザプレーンネットワーク要素は、図１Ｂ及び図１ＣにおけるＳＭＦエンティティ及びＵＰＦエンティティとは異なっているが、端末デバイスが移動するサービスエリアにおけるＳＭＦエンティティ及びＵＰＦエンティティであることを理解されたい。
【０１３２】
図１Ｂで示される通信システムは、２つのＳＭＦエンティティ（Ａ−ＳＭＦエンティティ及びＩ−ＳＭＦエンティティ）、及び２つのＵＰＦエンティティ（Ａ−ＵＰＦエンティティ及びＩ−ＵＰＦエンティティ）を含み、またＵＥは、Ｉ−ＳＭＦエンティティのサービスエリアに位置する。
【０１３３】
図１Ｃで示されるネットワークアーキテクチャは、１つのＳＭＦエンティティを含み、またＳＭＦエンティティは、データネットワークに接続されたＡ−ＵＰＦエンティティを制御する。この場合、図１Ｃでは、ＳＭＦエンティティは、Ａ−ＳＭＦエンティティであり、またＵＥは、Ａ−ＳＭＦエンティティのサービスエリアに位置する。
【０１３４】
図１Ｂ及び図１ＣにおけるＲＡＮデバイス、ＳＭＦエンティティ、ＵＰＦエンティティ、ＡＭＦエンティティなどは、単に名前であり、名前は、デバイスに対する限定を構成しないことに留意されたい。５Ｇネットワーク及び別の将来のネットワークにおいては、ＲＡＮデバイス、ＳＭＦエンティティ、ＵＰＦエンティティ、ＡＭＦエンティティ、及びＵＤＭに対応するネットワーク要素は、代替として他の名前を有することもあり得る。これは、本出願の実施形態において特に限定されない。
【０１３５】
図１Ｂ及び図１Ｃで示されるネットワークアーキテクチャにおいては、ＲＡＮデバイスは、Ｎ２インターフェースを介してＡＭＦエンティティと通信し、ＲＡＮデバイスは、Ｎ３インターフェースを介してＵＰＦエンティティと通信し、ＵＰＦエンティティは、Ｎ４インターフェースを介してＳＭＦエンティティと通信し、ＵＰＦエンティティは、Ｎ９インターフェースを介して互いに通信し、かつＡＭＦエンティティは、Ｎ１１インターフェースを介してＳＭＦエンティティと通信する。
【０１３６】
説明しやすくするために、本出願においては、図１Ｂ及び図１Ｃで示される通信システムは、本出願の解決策を述べるための具体的な実施形態として使用される。
【０１３７】
図１Ｂ及び図１Ｃで示される通信システムにおいては、１つのＳＭＦエンティティが、複数のＵＰＦエンティティを制御し得る。複数のＵＰＦエンティティの位置のセットは、ＳＭＦエンティティのサービスエリアを形成し得る。ＳＭＦエンティティは、複数のＵＰＦエンティティを制御する、又は言い換えると、ＳＭＦエンティティは、複数のＵＰＦエンティティに対応し得る。
【０１３８】
端末デバイスが、現在の制御プレーン経路上のＳＭＦエンティティのサービスエリアから、別のＳＭＦエンティティのサービスエリアへと移動するとき、２つの異なるＳＭＦエンティティ間を区別しやすくするために、現在の制御プレーン経路上のＳＭＦエンティティは、ソースＳＭＦエンティティと呼ばれ、また端末デバイスが移動するエリアにおけるＳＭＦエンティティは、ターゲットＩ−ＳＭＦエンティティと呼ばれる。端末デバイスのセッション連続性を保証するために、セッションは、再確立される必要があり、また端末デバイスは、ソースＳＭＦエンティティからターゲットＩ−ＳＭＦエンティティへとハンドオーバされる必要がある。しかし、現在、ＳＭＦエンティティ間でハンドオーバを実施するための解決策は存在しない。従って、本出願は、ＳＭＦエンティティ間でハンドオーバを実施するために、図１Ａから図１Ｃで示されたシステムアーキテクチャに適用可能な通信方法を提供する。
【０１３９】
図１Ｂで示される通信システムは、２つのＳＭＦエンティティを含む、即ち、Ｉ−ＳＭＦエンティティとＡ−ＳＭＦエンティティである。端末デバイスは、現在Ｉ−ＳＭＦエンティティのサービスエリアに位置しており、端末デバイスが、現在のＩ−ＳＭＦエンティティのサービスエリアから、別のＩ−ＳＭＦエンティティのサービスエリアに移動した場合、ソースＳＭＦエンティティは、現在の制御プレーン経路上のＩ−ＳＭＦエンティティであり、またターゲットＩ−ＳＭＦエンティティは、端末デバイスが移動したエリアにおけるＳＭＦエンティティである。ソース基地局は、現在のユーザプレーン経路上のアクセスネットワークデバイスであり、またターゲット基地局は、ＳＭＦエンティティ間のハンドオーバの後、ユーザプレーン経路に追加される必要のあるアクセスネットワークデバイスである。
【０１４０】
図１Ｃで示される通信システムは、Ａ−ＳＭＦエンティティを含む。端末デバイスは、Ａ−ＳＭＦエンティティのサービスエリアに現在位置しており、端末デバイスが、現在のＡ−ＳＭＦエンティティのサービスエリアから、別のＳＭＦエンティティのサービスエリアに移動した場合、ＳＭＦエンティティが、Ｉ−ＳＭＦエンティティとして現在の制御プレーン経路に挿入される必要があり、ソースＳＭＦエンティティは、Ａ−ＳＭＦエンティティであり、またターゲットＩ−ＳＭＦエンティティは、現在挿入される必要のあるＳＭＦエンティティである。ソース基地局は、現在のユーザプレーン経路上のアクセスネットワークデバイスであり、またターゲット基地局は、ＳＭＦエンティティ間のハンドオーバの後、ユーザプレーン経路に追加される必要のあるアクセスネットワークデバイスである。
【０１４１】
端末デバイスが、ソースＳＭＦエンティティのサービスエリアからターゲットＩ−ＳＭＦエンティティのサービスエリアへと移動したとき、端末デバイスは、接続モードにあり得ることに留意されたい。言い換えると、ＮＡＳシグナリング接続が、端末デバイスとＡＭＦの間で維持される。代替として、端末デバイスは、アイドルモードにあってもよい。言い換えると、端末デバイスとＡＭＦの間にＮＡＳシグナリング接続は存在しない。本出願で提供される通信方法は、端末デバイスのモードにかかわらず適用可能である。
【０１４２】
図１Ａ、図１Ｂ、及び図１Ｃで示された通信システムのネットワークアーキテクチャに基づき、説明しやすくするために、ソースセッション管理ネットワーク要素がソースＳＭＦエンティティであること、ソースユーザプレーンネットワーク要素がソースＵＰＦエンティティであること、ターゲット中間セッション管理ネットワーク要素がターゲットＩ−ＳＭＦエンティティであること、ターゲット中間ユーザプレーンネットワーク要素がターゲットＩ−ＵＰＦエンティティであること、アンカーユーザプレーンネットワーク要素がＡ−ＵＰＦエンティティであること、及びモビリティ管理ネットワーク要素がＡＭＦエンティティであることの例だけが、説明に対して使用される。
【０１４３】
具体的には、本出願で提供される通信方法は、２つの処理を含み得る。処理１：ソースＵＰＦエンティティからターゲットＩ−ＵＰＦエンティティへの転送トンネルを確立すること。処理２：ターゲットＩ−ＵＰＦエンティティとＡ−ＵＰＦエンティティの間にトンネルを確立すること。
【０１４４】
以下では、前述の２つの処理を個別に述べる。
【０１４５】
処理１：ソースＵＰＦエンティティからターゲットＩ−ＵＰＦエンティティへの転送トンネルを確立すること。
【０１４６】
転送トンネルは、以下の２つの通信方法において確立され得る。
【０１４７】
方法１：ターゲットＩ−ＳＭＦエンティティが、ソースＳＭＦエンティティと直接通信し、かつ対話する。
【０１４８】
方法２：ターゲットＩ−ＳＭＦエンティティが、ＡＭＦエンティティを用いることにより、ソースＳＭＦエンティティと通信し、かつ対話する。
【０１４９】
本出願で提供される通信方法を明確に述べるために、以下では、処理１で使用され得る２つの通信方法を個別に述べる。
【０１５０】
図２は、本出願の実施形態による通信方法を示す。前述の処理１における第１の通信方法は、この通信方法で使用される。図２で示されるように、方法の手順は、以下のステップを含む。
【０１５１】
Ｓ２０１：ターゲットＩ−ＳＭＦエンティティは、ソースＳＭＦエンティティに関する情報を取得する。ソースＳＭＦエンティティは、ソース基地局と通信可能に接続されたＵＰＦエンティティを制御するＳＭＦエンティティである。
【０１５２】
Ｓ２０２：ターゲットＩ−ＳＭＦエンティティは、ソースＳＭＦエンティティに関する情報に基づいて、第１のメッセージをソースＳＭＦエンティティに送り、ソースＳＭＦエンティティは、第１のメッセージを受信する。
【０１５３】
Ｓ２０３：ソースＳＭＦエンティティは、第１のメッセージに基づいて、ソースＩ−ＵＰＦエンティティに、転送トンネルを確立するように指示する。
【０１５４】
第１のメッセージは、ソースＩ−ＵＰＦエンティティからターゲットＩ−ＵＰＦエンティティへの転送トンネルを確立するために使用される。ソースＩ−ＵＰＦエンティティは、ソースＳＭＦエンティティにより制御され、かつソース基地局と通信可能に接続されたＵＰＦエンティティであり、またターゲットＩ−ＵＰＦエンティティは、ターゲットＩ−ＳＭＦエンティティにより制御され、かつターゲット基地局と通信可能に接続されたＵＰＦエンティティである。
【０１５５】
ターゲットＩ−ＳＭＦエンティティがソースＳＭＦエンティティと通信できるようにするために、ターゲットＩ−ＳＭＦエンティティは、まずソースＳＭＦエンティティに関する情報を取得する必要がある。
【０１５６】
任意選択で、ソースＳＭＦエンティティに関する情報は、ソースＳＭＦエンティティのアドレス情報、ソースＳＭＦエンティティのＩＤ、又はソースＳＭＦエンティティの完全修飾ドメイン名（ｆｕｌｌｙ  ｑｕａｌｉｆｉｅｄ  ｄｏｍａｉｎ  ｎａｍｅ、ＦＱＤＮ）であり得る。ソースＳＭＦエンティティを識別するために使用可能ないずれの情報も、本出願のこの実施形態におけるソースＳＭＦエンティティに関する情報に適用可能である。このように、ターゲットＩ−ＳＭＦエンティティは、ソースＳＭＦエンティティに関する情報に基づいて、確実にソースＳＭＦエンティティを決定することができ、かつソースＳＭＦエンティティと対話することができるようになる。
【０１５７】
ターゲットＩ−ＳＭＦエンティティが、ソースＳＭＦエンティティに関する情報を取得した後、ターゲットＩ−ＳＭＦエンティティは、ＳＭＦエンティティ間のハンドオーバが現在実施される必要があり、転送トンネルが確立される必要があると決定し得る。言い換えると、ソースＳＭＦエンティティに関する情報は、転送トンネルを確立するように指示するためのメッセージとして使用され得る。ソースＳＭＦエンティティに関する情報を取得した後、ターゲットＩ−ＳＭＦエンティティは、転送トンネルが確立される必要があると決定する。
【０１５８】
可能な実装では、ソースＳＭＦエンティティが、転送トンネルが確立される必要があると決定し、またソースＳＭＦエンティティが、第１の指示情報をターゲットＩ−ＳＭＦエンティティに送ってもよい。第１の指示情報は、ターゲットＩ−ＳＭＦエンティティに、転送トンネルを確立するように指示する。
【０１５９】
ターゲットＩ−ＳＭＦエンティティが、第１の指示情報をソースＳＭＦエンティティから取得した後、ターゲットＩ−ＳＭＦエンティティは、転送トンネルが確立される必要があると決定し得る。
具体的には、ソースＳＭＦエンティティが、転送トンネルが確立される必要があると決定する方法は、これだけに限らないが、以下の方法を含み得る。
【０１６０】
方法１：ソースＳＭＦエンティティが、端末デバイスに送られるダウンリンクデータを有するとき、ソースＳＭＦエンティティは、転送トンネルが確立される必要があると決定する、又はソースＩ−ＵＰＦエンティティが、端末デバイスに送られるダウンリンクデータを有するとき、ソースＩ−ＵＰＦエンティティは、ダウンリンクデータ通知（ｄｏｗｎｌｉｎｋ  ｄａｔａ  ｎｏｔｉｆｉｃａｔｉｏｎ）をソースＳＭＦエンティティに送り、またソースＳＭＦエンティティは、ダウンリンクデータが、現在、端末デバイスに送られる必要があると決定し、かつ転送トンネルが確立される必要があると決定し得る。
【０１６１】
方法２：ソースＳＭＦエンティティが、基地局とソースＩ−ＵＰＦの間でトンネルを確立する要求に使用される要求メッセージを送るとき、ソースＳＭＦエンティティは、セッションが、ターゲットＩ−ＳＭＦへとハンドオーバされる必要があることを知り、ソースＳＭＦエンティティは、転送トンネルが確立される必要があると決定する。
【０１６２】
端末デバイスが接続モードにあるとき、端末デバイスが、ＳＭＦエンティティ間でハンドオーバされる必要がある場合、基地局間でもハンドオーバが存在し、ターゲット基地局は、ターゲット基地局に対応する間接転送トンネル情報を割り当て、ターゲット基地局に対応する割り当てられた間接転送トンネル情報をＡＭＦエンティティに送り、次いで、ＡＭＦエンティティは、間接転送トンネル情報をターゲットＩ−ＳＭＦエンティティに送ることに留意されたい。間接転送トンネル情報を受信した後、ターゲットＩ−ＳＭＦエンティティは、間接転送トンネル情報を、転送トンネル確立表示として使用してもよく、ターゲットＩ−ＳＭＦエンティティは、転送トンネルが確立される必要があると決定する。
【０１６３】
端末デバイスがアイドルモードにあるとき、ソースＳＭＦエンティティ又はソースＩ−ＵＰＦエンティティが端末デバイスに送られるダウンリンクデータを有する場合、ソースＳＭＦエンティティ又はソースＩ−ＵＰＦエンティティは、Ｎ３トンネル確立メッセージをＡＭＦに送り、Ｎ３トンネル確立メッセージは、ＡＭＦエンティティをトリガして、基地局が端末デバイスをページングするように指示する。ページングを受信した後、端末デバイスは、サービス要求メッセージをＡＭＦエンティティに送る。言い換えると、端末デバイスがアイドルモードにあるとき、ソースＳＭＦエンティティによってサービス要求手順がトリガされる、又はソースＳＭＦエンティティ又はソースＩ−ＵＰＦエンティティが、端末デバイスに送られるダウンリンクデータをバッファしているため、サービス要求手順がトリガされる。
【０１６４】
間接転送トンネルは、ソース基地局からソースＩ−ＵＰＦ及びターゲットＩ−ＵＰＦを介してターゲット基地局への転送トンネルであり、かつ端末デバイスが接続モードにあるとき、データが、ソース基地局とターゲット基地局の間で直接転送できないために確立された転送トンネルであり、ソース基地局に送られたダウンリンクデータが、ターゲット基地局を用いることにより、端末デバイスに確実に送られるようにする（本出願のこの実施形態では、例えば、ＡＮデバイスは基地局であり、またソースＡＮデバイス及びターゲットＡＮデバイスは、それぞれ、ソース基地局及びターゲット基地局である）。間接転送トンネルは、ソースＩ−ＵＰＦからターゲットＩ−ＵＰＦへの転送トンネルを含む。
【０１６５】
端末デバイスがアイドルモードにあるとき、ソースＳＭＦエンティティ又はソースＩ−ＵＰＦエンティティが端末デバイスに送られるダウンリンクデータをバッファしている場合、サービス要求手順がトリガされる。ソースＩ−ＳＭＦ又はソースＩ−ＵＰＦにおいて、ダウンリンクデータがバッファされているので、ソースＩ−ＳＭＦ又はソースＩ−ＵＰＦにバッファされたデータが、端末デバイスに確実に送られるようにするために、ソースＩ−ＵＰＦからターゲットＩ−ＵＰＦへの転送トンネルも確立される必要がある。
【０１６６】
ターゲットＩ−ＳＭＦエンティティが、転送トンネルが確立される必要があると決定したとき、ターゲットＩ−ＳＭＦエンティティは、ターゲットＩ−ＳＭＦエンティティにより制御されるＵＰＦエンティティの中から、ターゲットＩ−ＵＰＦエンティティとしてＵＰＦエンティティを選択し、かつ第１の指示情報に従って、ターゲットＩ−ＵＰＦエンティティに、転送トンネルを確立するように指示する。
【０１６７】
ターゲットＩ−ＳＭＦエンティティは、第１の指示情報に従って複数の方法で、ターゲットＩ−ＵＰＦエンティティに、転送トンネルを確立すべきであることを示し得る。以下では、２つの方法を列挙する。
【０１６８】
方法１：ターゲットＩ−ＳＭＦエンティティは、第１の指示情報をターゲットＩ−ＵＰＦエンティティに送る。
【０１６９】
方法２：ターゲットＩ−ＳＭＦエンティティは、第２の表示メッセージをターゲットＩ−ＵＰＦエンティティに送り、ターゲットＩ−ＵＰＦエンティティが転送トンネルを確立するように指示する。
【０１７０】
任意選択で、第１のメッセージは、例えば、転送トンネルのＩＰアドレス又はトンネル識別子など、ターゲットＩ−ＵＰＦエンティティに対応する転送トンネル情報を含み得る。前述の転送トンネル情報は、単に説明用の例に過ぎず、転送トンネルを識別できるいずれの情報も、転送トンネル情報として使用され得る。
【０１７１】
ターゲットＩ−ＵＰＦエンティティに対応する転送トンネル情報は、ターゲットＩ−ＳＭＦエンティティにより決定され、かつ、ターゲットＩ−ＵＰＦエンティティに対応する転送トンネル情報に基づき、ターゲットＩ−ＳＭＦエンティティに送られる第１の指示情報又は第２の表示メッセージにおいて、ターゲットＩ−ＵＰＦエンティティに、転送トンネルを確立するように指示するために使用され得る。代替として、ターゲットＩ−ＵＰＦエンティティが、第１の指示情報又は第２の表示メッセージを受信した後、ターゲットＩ−ＵＰＦエンティティは、ターゲットＩ−ＵＰＦエンティティに対応する転送トンネル情報を決定し、かつ転送トンネルを確立し、またターゲットＩ−ＵＰＦエンティティは、転送トンネル情報をターゲットＩ−ＳＭＦに送る。
【０１７２】
ターゲットＩ−ＳＭＦエンティティは、ソースＩ−ＵＰＦエンティティからターゲットＩ−ＵＰＦエンティティへの転送トンネルを確立するために使用される第１のメッセージを決定し、第１のメッセージをソースＳＭＦエンティティに送る。
【０１７３】
任意選択で、第１のメッセージは、転送トンネルに対応するターゲットＩ−ＵＰＦエンティティに対応する転送トンネル情報を含み得る。代替として、第１のメッセージは、確立された転送トンネルが、間接転送トンネルの一部であるかどうかを示すために使用される指示情報を含み得る。
【０１７４】
第１のメッセージを受信した後、ソースＳＭＦエンティティは、第１のメッセージに基づき、ソースＩ−ＵＰＦエンティティに、転送トンネルを確立するように指示する。
【０１７５】
任意選択で、ソースＩ−ＵＰＦエンティティに、転送トンネルを確立するように指示するとき、ソースＳＭＦエンティティは、ソースＩ−ＵＰＦに、第１のメッセージにおいて、ターゲットＩ−ＵＰＦに対応する転送トンネル情報を送り得る。
【０１７６】
任意選択で、ソースＳＭＦエンティティが、ソースＩ−ＵＰＦエンティティに、転送トンネルを確立するように指示する処理において、ソースＳＭＦは、ソースＩ−ＵＰＦに対応する転送トンネル情報を取得し得る。
【０１７７】
具体的には、ソースＳＭＦは、以下の２つの方法で、ソースＩ−ＵＰＦに対応する転送トンネル情報を取得し得る。方法１：ソースＳＭＦは、ソースＩ−ＵＰＦに対応する転送トンネル情報を割り当て、ソースＩ−ＵＰＦに対応する転送トンネル情報をソースＩ−ＵＰＦに送る。方法２：ソースＳＭＦは、ソースＩ−ＵＰＦに、ソースＩ−ＵＰＦに対応する転送トンネル情報を割り当てるように要求し、ソースＩ−ＵＰＦによって割り当てられたソースＩ−ＵＰＦに対応する転送トンネル情報を受信する。
【０１７８】
任意選択で、転送トンネルを確立した後、ソースＩ−ＵＰＦエンティティは、ソースＳＭＦエンティティにメッセージを送り、転送トンネルが確立されたことをソースＳＭＦエンティティに通知し得る。転送トンネルが確立されたと決定した後、ソースＳＭＦエンティティは、転送トンネル確立完了応答メッセージをターゲットＩ−ＳＭＦエンティティに送り、転送トンネルが確立されたことを、ターゲットＩ−ＳＭＦエンティティに通知し得る。
【０１７９】
任意選択で、応答メッセージにおいて、ソースＳＭＦは、ソースＩ−ＵＰＦに対応する転送トンネル情報をターゲットＩ−ＳＭＦに送る。
【０１８０】
リソースを節約するために、転送トンネルが確立された後、ターゲットＩ−ＳＭＦエンティティ及びソースＳＭＦエンティティは、転送トンネルリリースタイマを設定し得る。転送トンネルリリースタイマが終了したとき、ターゲットＩ−ＳＭＦ及びソースＳＭＦは、それぞれ、ターゲットＩ−ＵＰＦ及びソースＩ−ＵＰＦに、転送トンネルをリリースすべきであると示す。
【０１８１】
ターゲットＩ−ＳＭＦエンティティは、第１のメッセージを送るとき、転送トンネルリリースタイマを設定し得る、ソースＳＭＦエンティティによりフィードバックされた応答メッセージの受信後、転送トンネルリリースタイマを設定し得る、又はターゲットＩ−ＵＰＦエンティティに、転送トンネルを確立すべきであることを示した後、転送トンネルリリースタイマを設定し得る。転送トンネルリリースタイマを設定する前述の方法は、全て説明のための例であり、転送トンネルを確立する処理において、転送トンネルリリースタイマが設定され得るいずれの方法も、本出願のこの実施形態に適用可能である。
【０１８２】
転送トンネルリリースタイマが終了したとき、ターゲットＩ−ＳＭＦエンティティは、Ｉ−ＵＰＦエンティティに、転送トンネルをリリースすべきであると示す。
【０１８３】
ソースＳＭＦエンティティは、ターゲットＩ−ＳＭＦエンティティから第１のメッセージを取得したとき、転送トンネルリリースタイマを設定し得る、ソースＩ−ＵＰＦエンティティに、転送トンネルを確立するように示した後、転送トンネルリリースタイマを設定し得る、又は応答メッセージをターゲットＩ−ＳＭＦに送ったとき、転送トンネルリリースタイマを設定し得る。転送トンネルリリースタイマを設定する前述の方法は、全て説明のための例であり、転送トンネルを確立する処理において、転送トンネルリリースタイマが設定され得る任意の方法が、本出願のこの実施形態に適用可能である。
【０１８４】
転送トンネルリリースタイマが終了したとき、ソースＳＭＦエンティティは、ソースＩ−ＵＰＦエンティティに、転送トンネルをリリースするように指示する。
【０１８５】
図３は、本出願の実施形態による通信方法を示す。前述の処理１における第２の通信方法が、この通信方法で使用される。図で示されるように、方法の手順は、以下のステップを含む。
【０１８６】
Ｓ３０１：ＡＭＦエンティティは、ターゲットＩ−ＳＭＦエンティティに関する情報を取得する。
【０１８７】
Ｓ３０２：ＡＭＦエンティティは、ターゲットＩ−ＳＭＦエンティティに関する情報に基づいて、ソースＳＭＦエンティティに関する情報をターゲットＩ−ＳＭＦエンティティに送り、またターゲットＩ−ＳＭＦエンティティは、ソースＳＭＦエンティティに関する情報を受信する。
【０１８８】
Ｓ３０３：ターゲットＩ−ＳＭＦエンティティは、ソースＳＭＦエンティティに関する情報に基づいて、第１のメッセージをソースＳＭＦエンティティに送り、ソースＳＭＦエンティティは、第１のメッセージを受信する。
【０１８９】
Ｓ３０４：ソースＳＭＦエンティティは、第１のメッセージに基づいて、ソースＩ−ＵＰＦエンティティに、転送トンネルを確立するように指示する。
【０１９０】
ソースＳＭＦエンティティは、ソース基地局に通信可能に接続されたＵＰＦエンティティを制御するＳＭＦエンティティであり、ターゲットＩ−ＳＭＦエンティティは、ターゲット基地局と通信可能に接続されたターゲットＩ−ＵＰＦエンティティを制御するＳＭＦエンティティである。
【０１９１】
図３で示された実施形態では、図２で示された実施形態と同じであり、ターゲットＩ−ＳＭＦエンティティはまた、ソースＳＭＦエンティティに関する情報を取得する必要があり、ソースＳＭＦエンティティに関する情報に基づいて、第１のメッセージをソースＳＭＦエンティティに送る。第１のメッセージを受信した後、ソースＳＭＦエンティティは、第１のメッセージに基づいて、ソースＩ−ＵＰＦエンティティに、転送トンネルを確立するように指示する。具体的な処理については、図２で示された実施形態を参照のこと、繰り返しを再度述べないものとする。
【０１９２】
可能な実装では、ＡＭＦエンティティが、第１の指示情報をターゲットＩ−ＳＭＦエンティティに送り、第１の指示情報は、ターゲットＩ−ＳＭＦエンティティに、ソースＩ−ＵＰＦエンティティからターゲットＩ−ＵＰＦエンティティへの転送トンネルを確立するように指示する。
【０１９３】
ターゲットＩ−ＳＭＦエンティティが、第１の指示情報を取得した後、ターゲットＩ−ＳＭＦエンティティは、転送トンネルが確立される必要があると決定し得る。
【０１９４】
具体的には、ＡＭＦエンティティは、多くの方法で、第１の指示情報をターゲットＩ−ＳＭＦエンティティに送るが、以下では、説明のために２つの方法を列挙する。
【０１９５】
方法１：ＡＭＦエンティティは、転送トンネルが確立される必要があると決定する。
【０１９６】
転送トンネルが確立される必要があると決定するとき、ＡＭＦエンティティは、第１の指示情報を生成し、かつ第１の指示情報をターゲットＩ−ＳＭＦエンティティに送る。
【０１９７】
具体的には、ＡＭＦエンティティが、ソースＳＭＦエンティティから、サービス要求手順をトリガするために使用されるメッセージを受信した場合、ＡＭＦエンティティは、転送トンネルが確立される必要があると決定する。
【０１９８】
端末デバイスのセッションが活動化されていない場合、セッションに対応する基地局とソースＩ−ＵＰＦの間でＮ３トンネルが、この場合、確立されていない。ソースＳＭＦエンティティ又はソースＩ−ＵＰＦが、端末デバイスに送られるダウンリンクデータを有する場合、ソースＳＭＦエンティティは、ＡＭＦエンティティにセッションを活動化するためのメッセージを送る（即ち、Ｎ３トンネルを確立することを求める要求メッセージ）。端末デバイスが、現在、ターゲットＩ−ＳＭＦエンティティのサービスエリアに位置する場合、ＡＭＦエンティティは、転送トンネルが確立される必要があると決定し、第１の指示情報をターゲットＩ−ＳＭＦエンティティに送る。この場合、ソースＳＭＦエンティティは、サービス要求手順をトリガする。
【０１９９】
ターゲットＩ−ＳＭＦエンティティに関する情報を取得したとき、ＡＭＦエンティティは、まず端末デバイスの位置情報を取得し得る。端末デバイスの位置情報に基づいて、端末デバイスが、ソースＩ−ＳＭＦエンティティのサービスエリアから外に移動すると決定した後、ＡＭＦエンティティは、端末デバイスの位置情報に基づいて、ターゲットＩ−ＳＭＦエンティティを選択する。
【０２００】
任意選択で、ＡＭＦエンティティが、ターゲットＩ−ＳＭＦエンティティに関する情報を取得したとき、ソースＳＭＦエンティティは、ターゲットＩ−ＳＭＦエンティティを選択した後、ターゲットＩ−ＳＭＦエンティティに関する情報をＡＭＦエンティティに送り得る。
【０２０１】
方法２：ＡＭＦエンティティは、第１の指示情報をソースＳＭＦエンティティから取得する。
【０２０２】
ＡＭＦエンティティによりターゲットＩ−ＳＭＦエンティティに送られる第１の指示情報は、代替として、ＡＭＦエンティティを使用することにより、ソースＳＭＦエンティティによって、ターゲットＩ−ＳＭＦエンティティに転送され得る。
【０２０３】
転送トンネルが確立される必要があると決定したとき、ソースＳＭＦエンティティは、第１の指示情報をＡＭＦエンティティに送り、第１の指示情報は、ターゲットＩ−ＳＭＦエンティティに、転送トンネルを確立するように指示する。
【０２０４】
ソースＳＭＦエンティティが、転送トンネルは確立される必要があると決定する方法については、図２で示された実施形態を参照のこと。詳細をここで再度述べないものとする。
【０２０５】
次に、ターゲットＩ−ＳＭＦエンティティが、転送トンネルは確立される必要があると決定し、かつ転送トンネルを確立する方法、及びソースＳＭＦエンティティが、第１のメッセージに基づいて、転送トンネルを確立する方法は、図２で示された実施形態におけるものと同じである。詳細をここで再度述べないものとする。
【０２０６】
リソースを節約するために、転送トンネルが確立された後、ターゲットＩ−ＳＭＦエンティティ及びソースＳＭＦエンティティは転送トンネルリリースタイマを設定し得る。転送トンネルリリースタイマが終了したとき、転送トンネルがリリースされる。転送トンネルリリースタイマの説明については、図２で示された実施形態を参照のこと。詳細をここで再度述べないものとする。
【０２０７】
処理２：ターゲットＩ−ＵＰＦエンティティとＡ−ＵＰＦエンティティの間にトンネルを確立する。
【０２０８】
ターゲットＩ−ＵＰＦエンティティとＡ−ＵＰＦエンティティの間のトンネルは、以下の２つの通信方法で確立され得る。
【０２０９】
方法１：ターゲットＩ−ＳＭＦエンティティは、ソースＳＭＦエンティティと直接通信し、かつ対話する。
【０２１０】
方法２：ターゲットＩ−ＳＭＦエンティティは、ＡＭＦエンティティを用いることにより、ソースＳＭＦエンティティと通信し、かつ対話する。
【０２１１】
本出願で提供される通信方法を明確に述べるために、以下では、処理２で使用され得る２つの通信方法を個別に述べる。
【０２１２】
図４は、本出願の実施形態による通信方法を示す。前述の処理２における第１の通信方法が、この通信方法で使用される。図４で示されるように、方法の手順は、以下のステップを含む。
【０２１３】
Ｓ４０１：ソースＳＭＦエンティティは、セッション情報をターゲットＩ−ＳＭＦエンティティに送り、ターゲットＩ−ＳＭＦエンティティは、セッション情報をソースＳＭＦエンティティから取得する。
【０２１４】
Ｓ４０２：ターゲットＩ−ＳＭＦエンティティは、セッション情報に基づいて、ターゲットＩ−ＵＰＦエンティティとＡ−ＵＰＦエンティティの間でトンネルを確立する。
【０２１５】
セッション情報は、以下の少なくとも一方を含む、即ち、Ａ−ＵＰＦエンティティのアップリンクトンネル情報、及びＡ−ＳＭＦエンティティに関する情報である。Ａ−ＳＭＦエンティティは、Ａ−ＵＰＦエンティティを制御するＳＭＦエンティティである。
【０２１６】
ターゲットＩ−ＳＭＦエンティティは、ソースＳＭＦエンティティに関する情報に基づいて、ソースＳＭＦエンティティのアドレス情報を決定し、ソースＳＭＦエンティティのアドレス情報に基づいて、セッション情報を要求するために使用されるメッセージを、ソースＳＭＦエンティティに送り得る。
【０２１７】
セッション情報を要求するために使用されるメッセージを受信した後、ソースＳＭＦエンティティは、セッション情報をターゲットＩ−ＳＭＦエンティティに送る。
【０２１８】
セッション情報を受信した後、ターゲットＩ−ＳＭＦエンティティは、ターゲットＩ−ＵＰＦエンティティとＡ−ＵＰＦエンティティの間にトンネルを確立し得る。
【０２１９】
セッション情報は、セッションコンテキスト情報であり得る。セッション情報は、Ａ−ＵＰＦエンティティのアップリンクトンネル情報、及びＡ−ＳＭＦエンティティに関する情報の少なくとも一方を含む。セッション情報が、Ａ−ＵＰＦエンティティのアップリンクトンネル情報を含むとき、ターゲットＩ−ＳＭＦエンティティは、Ａ−ＵＰＦエンティティのアップリンクトンネル情報をターゲットＩ−ＵＰＦエンティティに送り、ターゲットＩ−ＵＰＦエンティティとＡ−ＵＰＦエンティティの間にアップリンクトンネルを確立し得る。セッション情報が、Ａ−ＳＭＦエンティティに関する情報を含むとき、ターゲットＩ−ＳＭＦエンティティは、ターゲットＩ−ＵＰＦのダウンリンクトンネル情報をＡ−ＳＭＦエンティティに送ってもよく、Ａ−ＳＭＦエンティティは、Ａ−ＵＰＦからＩ−ＵＰＦへのダウンリンクトンネルを確立するために、ターゲットＩ−ＵＰＦエンティティのダウンリンクトンネル情報をＡ−ＵＰＦエンティティに送る。
【０２２０】
図５は、本出願の実施形態による通信方法を示す。前述の処理２における第２の通信法が、この通信方法で使用される。図５で示されるように、方法の手順は、以下のステップを含む。
【０２２１】
Ｓ５０１：ソースＳＭＦエンティティは、セッション情報をＡＭＦエンティティに送り、ＡＭＦエンティティは、セッション情報を受信する。
【０２２２】
Ｓ５０２：ＡＭＦエンティティは、セッション情報をターゲットＩ−ＳＭＦエンティティに送り、ターゲットＩ−ＳＭＦエンティティは、セッション情報を受信する。
【０２２３】
Ｓ５０３：ターゲットＩ−ＳＭＦエンティティは、セッション情報に基づいて、ターゲットＩ−ＵＰＦエンティティとＡ−ＵＰＦエンティティの間でトンネルを確立する。
【０２２４】
セッション情報は、以下の少なくとも一方を含む、即ち、Ａ−ＵＰＦエンティティのアップリンクトンネル情報、及びＡ−ＳＭＦエンティティに関する情報である。Ａ−ＳＭＦエンティティは、Ａ−ＵＰＦエンティティを制御するＳＭＦエンティティである。
【０２２５】
任意選択で、セッション情報は、透過型コンテナにカプセル化され得る、またＡＭＦエンティティは、透過型コンテナ内のセッション情報を構文解析しないこともあり得る。
【０２２６】
図５で示される実施形態では、ＡＭＦエンティティは転送機能を有し、ソースＳＭＦエンティティのセッション情報をターゲットＩ−ＳＭＦエンティティに送る。セッション情報の説明については、図４で示された実施形態を参照のこと。詳細をここで再度述べないものとする。
【０２２７】
前述の２つの処理において、ターゲットＩ−ＳＭＦエンティティは、ソースＳＭＦエンティティに関する情報を取得する必要があり、ソースＳＭＦエンティティに関する情報を、複数の方法で取得し得ることに留意されたい。例えば、ソースＳＭＦエンティティに関する情報は、ＡＭＦエンティティに事前記憶されてもよく、ＳＭＦエンティティ間でハンドオーバが実施される必要のある場合、ＡＭＦエンティティは、ソースＳＭＦエンティティに関する情報を、ターゲットＩ−ＳＭＦエンティティに送る。代替として、ソースＳＭＦエンティティが、ソースＳＭＦエンティティに関する情報をＡＭＦエンティティに送り得る、次いで、ＡＭＦエンティティは、ソースＳＭＦエンティティに関する情報をターゲットＩ−ＳＭＦエンティティに転送する。ソースＳＭＦエンティティに関する情報、及び他のセッション情報は、透過型コンテナ内に共にカプセル化される。
【０２２８】
処理１における２つの通信法、及び処理２における２つの通信法は、ランダムに組み合わされ得ることを理解されたい。例えば、転送トンネルは、図２で示された通信方法を用いることにより確立され、ターゲットＩ−ＵＰＦエンティティとＡ−ＵＰＦエンティティの間のトンネルは、図４で示される通信方法を用いることにより確立される。別の例では、転送トンネルは、図３で示される通信方法を用いることにより確立され、またターゲットＩ−ＵＰＦエンティティとＡ−ＵＰＦエンティティの間のトンネルは、図５で示される通信方法を用いることにより確立される。さらに別の例では、転送トンネルは、図２で示される通信方法を用いることにより確立され、またターゲットＩ−ＵＰＦエンティティとＡ−ＵＰＦエンティティの間のトンネルは、図４で示される通信方法を用いることにより確立される。
【０２２９】
処理１及び処理２は、同時に実施され得る、又は連続して実施され得ることに留意されたい。
【０２３０】
情報をＡＭＦエンティティ又はターゲットＩ−ＳＭＦエンティティに送るとき、ソースＳＭＦエンティティは、送信用の１つのシグナリングに複数の情報を加え得る。例えば、セッション情報をＡＭＦエンティティ又はターゲットＩ−ＳＭＦエンティティに送るとき、ソースＳＭＦエンティティは、ソースＳＭＦエンティティに関する情報をセッション情報に加えてもよく、又は第１の指示情報をセッション情報に加えてもよく、又はソースＳＭＦエンティティに関する情報と第１の指示情報の両方をセッション情報に加えてもよい。
【０２３１】
情報をターゲットＩ−ＳＭＦエンティティに送るとき、ＡＭＦエンティティは、送信用の１つのシグナリングに複数の情報を加え得る。例えば、セッション情報をターゲットＩ−ＳＭＦエンティティに送るとき、ＡＭＦエンティティは、ソースＳＭＦエンティティに関する情報をセッション情報に加えてもよく、又は第１の指示情報をセッション情報に加えてもよく、又はソースＳＭＦエンティティに関する情報と第１の指示情報の両方をセッション情報に加えてもよい。
【０２３２】
本出願の実施形態における図２から図５で示される通信方法は、以下の特定のシナリオに適用され、また本出願における通信方法は、以下の実施形態１から実施形態４を用いることによりさらに述べられる。
【０２３３】
実施形態１は、図１Ｂで示されたネットワークアーキテクチャに適用される。ソースＳＭＦエンティティは、ソースＩ−ＳＭＦエンティティであり、ＵＥが接続モードにあるとき、ＵＥは、ソースＩ−ＳＭＦエンティティのサービスエリアの外に移動し、ターゲットＩ−ＳＭＦエンティティのサービスエリアの中へと移動する。図６で示されるように、実施形態１の具体的な手順は、以下のステップを含む。
【０２３４】
Ｓ６０１：ソース基地局は、ＡＭＦエンティティに、ハンドオーバ要求メッセージを送り、ＡＭＦエンティティは、ハンドオーバ要求メッセージを受信する。ハンドオーバ要求メッセージは、ハンドオーバされるセッションのセッション識別子（例えば、ＰＤＵセッションＩＤ）、ハンドオーバされるセッションに対応するＳＭ  Ｎ２要求メッセージ、及びＵＥの位置情報を含む。ハンドオーバされるセッションに対応するＳＭ  Ｎ２要求メッセージは、セッションのハンドオーバ中に、転送トンネルが確立される必要があるかどうか、また転送トンネルは、コアネットワークを貫通する必要があるかどうかを示す。
【０２３５】
Ｓ６０２：ＡＭＦエンティティは、ハンドオーバされるセッションのセッション識別子に基づき、セッションに対応するソースＩ−ＳＭＦエンティティを決定し、ＡＭＦエンティティは、セッション更新要求メッセージをソースＩ−ＳＭＦエンティティに送り、ソースＩ−ＳＭＦエンティティは、セッション更新要求メッセージを受信する。ＡＭＦエンティティは、セッション更新要求メッセージにおいて、ハンドオーバされるセッションのセッション識別子、ハンドオーバされるセッションに対応するＳＭ  Ｎ２メッセージ、及びＵＥの位置情報をソースＩ−ＳＭＦエンティティに送る。
【０２３６】
Ｓ６０３：ソースＩ−ＳＭＦエンティティは、ＵＥの位置情報及びソースＩ−ＳＭＦエンティティのサービスエリアに基づいて、ＵＥが、ソースＩ−ＳＭＦエンティティのサービスエリアの外に移動するかどうかを決定する。ＵＥが、ソースＩ−ＳＭＦエンティティのサービスエリアの外に移動する場合、ソースＩ−ＳＭＦエンティティは、第１の応答メッセージをＡＭＦエンティティに送り、ＡＭＦエンティティは、第１の応答メッセージを受信する。
【０２３７】
第１の応答メッセージは、ＡＭＦエンティティに、ターゲットＩ−ＳＭＦエンティティを選択するように指示するために使用される指示情報を含み得る、又はターゲットＩ−ＳＭＦエンティティに関する情報を含み得る。ターゲットＩ−ＳＭＦエンティティは、ＵＥの位置情報に基づいて、ソースＩ−ＳＭＦエンティティにより選択される。
【０２３８】
第１の応答メッセージは、セッション情報をさらに含み、またセッション情報は、Ａ−ＵＰＦエンティティのアップリンクトンネル情報、及びＡ−ＳＭＦに関する情報の少なくとも一方を含む。
【０２３９】
任意選択で、セッション情報は、ソースＩ−ＳＭＦエンティティに関する情報をさらに含む（例えば、ソースＩ−ＳＭＦエンティティの識別情報、又はソースＩ−ＳＭＦエンティティのアドレス情報など）。
【０２４０】
具体的な実装では、ソースＩ−ＳＭＦエンティティは、セッション情報を透過型コンテナにカプセル化し、透過型コンテナをＡＭＦエンティティに送り得る。ＡＭＦエンティティは、透過型コンテナ内のコンテンツを構文解析することなく、透過型コンテナをターゲットＩ−ＳＭＦエンティティに転送し得る。
【０２４１】
任意選択で、ソースＩ−ＳＭＦエンティティが、ハンドオーバされるセッションに対応するＳＭ  Ｎ２メッセージを受信し、かつそれがＡＭＦエンティティにより送られる場合、ＡＭＦエンティティはＳＭ  Ｎ２メッセージを記憶しないため、ソースＩ−ＳＭＦエンティティはまた、第１の応答メッセージを送るとき、ＳＭ  Ｎ２メッセージをＡＭＦエンティティに送り得る。
【０２４２】
Ｓ６０４：ＡＭＦエンティティは、ＡＭＦエンティティに、ターゲットＩ−ＳＭＦエンティティを選択するように指示するために使用される指示情報を受信した場合、ＡＭＦエンティティは、ＵＥの位置情報に基づいて、ターゲットＩ−ＳＭＦエンティティを選択する。
【０２４３】
Ｓ６０５：ＡＭＦエンティティは、セッション確立要求をターゲットＩ−ＳＭＦエンティティに送り、かつターゲットＩ−ＳＭＦエンティティに、ハンドオーバされるセッションに対応するＳＭ  Ｎ２要求メッセージ、ＵＥの位置情報、及びソースＩ−ＳＭＦエンティティから取得されたセッション情報を送る。ターゲットＩ−ＳＭＦエンティティは、セッション確立要求を受信し、かつハンドオーバされるセッションに対応するＳＭ  Ｎ２要求メッセージ、ＵＥの位置情報、及びソースＩ−ＳＭＦエンティティから取得されたセッション情報を取得する。
【０２４４】
任意選択で、ＡＭＦエンティティは、ソースＩ−ＳＭＦエンティティに関する情報をターゲットＩ−ＳＭＦエンティティに送る。
【０２４５】
Ｓ６０６：ターゲットＩ−ＳＭＦエンティティは、ＵＥの位置情報に基づいてターゲットＩ−ＵＰＦエンティティを選択し、かつセッション情報におけるＡ−ＵＰＦエンティティのアップリンクトンネル情報をターゲットＩ−ＵＰＦエンティティに送る。ターゲットＩ−ＵＰＦエンティティは、Ａ−ＵＰＦエンティティのアップリンクトンネル情報を受信し、かつＡ−ＵＰＦエンティティのアップリンクトンネル情報に基づいて、ターゲットＩ−ＵＰＦエンティティからＡ−ＵＰＦエンティティへのアップリンクトンネルを確立する。
【０２４６】
Ｓ６０６において、ターゲットＩ−ＵＰＦエンティティからＡ−ＵＰＦエンティティへのアップリンクトンネルが確立される。ＵＥが、ターゲット基地局にハンドオーバされた後、Ｉ−ＵＰＦエンティティは、ターゲット基地局から受信されたＵＥのアップリンクデータパケットを、アップリンクトンネルを介して、Ａ−ＵＰＦエンティティに送り得る。
【０２４７】
特定の実装中に、Ｓ６０６において、ターゲットＩ−ＳＭＦエンティティは、Ｉ−ＵＰＦエンティティに、Ｎ３アップリンクトンネルと、ターゲットＩ−ＵＰＦエンティティからＮ９インターフェースへのダウンリンクトンネルとを確立するようにさらに示し得る。Ｓ６０６の後、ターゲットＩ−ＳＭＦエンティティは、ターゲットＩ−ＵＰＦエンティティのＮ３インターフェースアップリンクトンネルに関する情報、及びターゲットＩ−ＵＰＦエンティティからＮ９インターフェースへのダウンリンクトンネルに関する情報を取得する。
【０２４８】
任意選択で、ターゲットＩ−ＳＭＦは、ＳＭ  Ｎ２要求メッセージに存在する表示と、転送トンネルが確立される必要があるかどうか、また転送トンネルがコアネットワークを貫通する必要があるかどうかを示す表示とに基づいて、間接転送トンネルが確立され得るかどうかを決定する。
【０２４９】
Ｓ６０７：ターゲットＩ−ＳＭＦエンティティは、第２の応答メッセージをＡＭＦエンティティに送り、またＡＭＦエンティティは、第２の応答メッセージを受信する。第２の応答メッセージは、ターゲットＩ−ＳＭＦエンティティによりターゲット基地局に送られるＳＭ  Ｎ２応答メッセージを含み、ＳＭ  Ｎ２応答メッセージは、ターゲットＩ−ＵＰＦエンティティのＮ３アップリンクトンネル情報、及び間接転送トンネルがサポートされるかどうかを示す表示を含む。
【０２５０】
Ｓ６０８：ＡＭＦエンティティは、ハンドオーバ要求をターゲット基地局に送り、またそのハンドオーバ要求で、ターゲットＩ−ＳＭＦエンティティによりターゲット基地局に送られたＳＭ  Ｎ２応答メッセージをターゲット基地局に送る。ターゲット基地局は、ハンドオーバ要求を受信し、ＳＭ  Ｎ２応答メッセージを取得する。
【０２５１】
Ｓ６０９：ターゲット基地局は、ハンドオーバ要求応答をＡＭＦエンティティに送り、ＡＭＦエンティティは、ハンドオーバ要求応答を受信する。間接転送トンネルが確立される必要がある場合、ターゲット基地局は、間接転送トンネル情報を割り当て、かつ間接転送トンネル情報をＡＭＦエンティティに送り、ＡＭＦエンティティは、間接転送トンネル情報を受信する。
【０２５２】
Ｓ６１０：ＡＭＦエンティティは、ターゲット基地局の間接転送トンネル情報をターゲットＩ−ＳＭＦエンティティに送り、ターゲットＩ−ＳＭＦエンティティは、間接転送トンネル情報を受信する。
【０２５３】
Ｓ６１１：ターゲットＩ−ＳＭＦエンティティは、ターゲット基地局により送られた間接転送トンネル情報に基づいて、間接転送トンネルが確立される必要があると決定する。ターゲットＩ−ＳＭＦエンティティは、ターゲット基地局の間接転送トンネル情報をターゲットＩ−ＵＰＦエンティティに送り、ターゲットＩ−ＵＰＦに、間接転送トンネルを確立するように指示する。間接転送トンネルは、ターゲットＩ−ＵＰＦエンティティからターゲット基地局へと確立されたダウンリンク転送トンネルと、転送トンネルとを含む。ターゲットＩ−ＵＰＦは、間接転送トンネル情報を受信し、間接転送トンネルを確立する。
【０２５４】
任意選択で、ターゲットＩ−ＳＭＦエンティティは、ターゲットＩ−ＵＰＦに対応する間接転送トンネル情報を割り当て、ターゲットＩ−ＵＰＦに対応する間接転送トンネル情報をターゲットＩ−ＵＰＦに送る。代替として、ターゲットＩ−ＳＭＦエンティティは、ターゲットＩ−ＵＰＦに、間接転送トンネル情報を割り当てるように要求し、ターゲットＩ−ＵＰＦは、間接転送トンネル情報をターゲットＩ−ＳＭＦに送る。
【０２５５】
Ｓ６１１において、ターゲットＩ−ＳＭＦエンティティは、ターゲットＩ−ＵＰＦエンティティの転送トンネル情報を取得し、ターゲットＩ−ＵＰＦエンティティに対応する転送トンネル情報を第１のメッセージに加える。ターゲットＩ−ＵＰＦエンティティの転送トンネル情報は、ターゲットＩ−ＳＭＦエンティティにより割り当てられ得る、又はターゲットＩ−ＵＰＦエンティティにより割り当てられ得る。任意選択で、第１のメッセージは、ソースＩ−ＵＰＦからターゲットＩ−ＵＰＦへの転送トンネルが、間接転送トンネルの一部であることを示すために使用される間接転送トンネル表示をさらに含み得る。
【０２５６】
Ｓ６１２：ターゲットＩ−ＳＭＦエンティティは、例えば、セッションサービスに対応するユニフォームリソースロケータ（ｕｎｉｆｏｒｍ  ｒｅｓｏｕｒｃｅ  ｌｏｃａｔｏｒ、ＵＲＬ）など、ソースＩ−ＳＭＦエンティティに関して受信された情報に基づいて、ソースＩ−ＳＭＦエンティティのアドレス情報を取得し、第１のメッセージをソースＩ−ＳＭＦエンティティに送る。第１のメッセージは、ソースＩ−ＳＭＦエンティティに、ソースＩ−ＵＰＦエンティティからターゲットＩ−ＵＰＦエンティティへの転送トンネルを確立するように要求するために使用される。ターゲットＩ−ＳＭＦエンティティは、ターゲットＩ−ＵＰＦエンティティに対応する間接転送トンネル情報を、ソースＩ−ＳＭＦエンティティに送り、ソースＩ−ＳＭＦエンティティは、第１のメッセージ、及びターゲットＩ−ＵＰＦエンティティに対応する間接転送トンネル情報を受信する。
【０２５７】
Ｓ６１３：ソースＩ−ＳＭＦエンティティは、ターゲットＩ−ＵＰＦエンティティに対応する転送トンネル情報をソースＩ−ＵＰＦエンティティに送り、かつソースＩ−ＵＰＦエンティティに、転送トンネルを確立するように要求する。ソースＩ−ＵＰＦエンティティは、ターゲットＩ−ＵＰＦエンティティに対応する転送トンネル情報を受信し、転送トンネルを確立する。
【０２５８】
任意選択で、ソースＩ−ＳＭＦは、第１のメッセージにおける間接転送トンネル表示に基づいて、ソースＩ−ＵＰＦエンティティに対応する間接転送トンネル情報を取得する。ソースＩ−ＳＭＦエンティティは、ソースＩ−ＵＰＦに対応する間接転送トンネル情報を割り当て、ソースＩ−ＵＰＦに対応する間接転送トンネル情報をソースＩ−ＵＰＦに送る。代替として、ソースＩ−ＳＭＦエンティティは、ソースＩ−ＵＰＦに、間接転送トンネル情報を割り当てるように要求し、ソースＩ−ＵＰＦは、間接転送トンネル情報をソースＩ−ＳＭＦに送る。
【０２５９】
Ｓ６１４：ソースＩ−ＳＭＦエンティティは、ソースＩ−ＵＰＦエンティティに対応する転送トンネル情報をターゲットＩ−ＳＭＦエンティティに送り、またターゲットＩ−ＳＭＦエンティティは、ソースＩ−ＵＰＦエンティティに対応する転送トンネル情報を受信する。
【０２６０】
Ｓ６１５：ターゲットＩ−ＳＭＦエンティティは、ソースＩ−ＵＰＦエンティティに対応する転送トンネル情報をＡＭＦエンティティに送り、ＡＭＦエンティティは、ソースＩ−ＵＰＦエンティティに対応する転送トンネル情報を受信する。
【０２６１】
Ｓ６１６：ＡＭＦエンティティは、ハンドオーバコマンドをソース基地局に送る。ハンドオーバコマンドは、ソースＩ−ＵＰＦエンティティに対応する転送トンネル情報を搬送する。ソース基地局は、ハンドオーバコマンドを受信し、かつソースＩ−ＵＰＦエンティティに対応する転送トンネル情報を取得する。
【０２６２】
ハンドオーバ準備段階は、ここで終了する。ハンドオーバ準備段階では、ターゲット基地局と基地局の間で間接転送トンネルが確立され、その間接転送トンネルの経路は、次のようになる、即ち、ソース基地局→ソースＩ−ＵＰＦエンティティ→ターゲットＩ−ＵＰＦエンティティ→ターゲット基地局である。
【０２６３】
Ｓ６１７：ハンドオーバ準備が完了した後、ハンドオーバ実行処理が実施される。ハンドオーバ処理において、ＵＥの無線インターフェースは、ソース基地局からターゲット基地局へとハンドオーバされ、Ａ−ＵＰＦエンティティのダウンリンクトンネルは、ソースＩ−ＵＰＦエンティティからターゲットＩ−ＵＰＦエンティティにハンドオーバされる。ハンドオーバ実行処理の詳細については、５Ｇ関連のプロトコルを参照のこと。その詳細は、本出願のこの実施形態では述べないものとする。
【０２６４】
実施形態２：実施形態１では、ソースＳＭＦエンティティは、ターゲットＩ−ＳＭＦエンティティを選択する、又はソースＳＭＦエンティティは、ＡＭＦエンティティに、ターゲットＩ−ＳＭＦエンティティを選択するように指示する。実際には、ＡＭＦエンティティは、代替として、ソースＳＭＦエンティティにより送られる表示を必要とすることなく、ターゲットＩ−ＳＭＦエンティティを選択し得る。実施形態２は、ＡＭＦエンティティが、ターゲットＩ−ＳＭＦエンティティを選択する方法を提供する。
【０２６５】
実施形態２では、セッション情報を取得する２つの方法がさらに提供される。
【０２６６】
方法１：ＡＭＦエンティティは、セッション情報を、ソースＩ−ＳＭＦエンティティから取得し、セッション情報をターゲットＩ−ＳＭＦエンティティに送る。
【０２６７】
方法２：ＡＭＦエンティティは、ソースＩ−ＳＭＦエンティティに関する情報をターゲットＩ−ＳＭＦエンティティに送り、ターゲットＩ−ＳＭＦエンティティは、セッション情報を、ソースＩ−ＳＭＦエンティティから取得する。
【０２６８】
図７Ａは、本出願の実施形態による通信方法を示す。その通信方法では、セッション情報を取得する第１の方法が使用される。図で示されるように、方法の手順は、以下のステップを含む。
【０２６９】
Ｓ７０１：実施形態１のＳ６０１と同じ。
【０２７０】
Ｓ７０２：ＡＭＦエンティティは、ソースＩ−ＳＭＦエンティティのサービスエリア、及びＵＥの位置情報に基づいて、ターゲットＩ−ＳＭＦエンティティを選択する。
【０２７１】
ソースＩ−ＳＭＦエンティティのサービスエリアに関する情報は、ＡＭＦエンティティにおいて構成され得る。代替として、ソースＩ−ＳＭＦエンティティのサービスエリアに関する情報は、ネットワークリポジトリ機能（ｎｅｔｗｏｒｋ  ｒｅｐｏｓｉｔｏｒｙ  ｆｕｎｃｔｉｏｎ、ＮＲＦ）エンティティにおいて構成され得る、またＡＭＦエンティティは、ソースＩ−ＳＭＦエンティティのサービスエリアに関する情報をＮＲＦエンティティから取得する。
【０２７２】
Ｓ７０３：ＡＭＦエンティティがターゲットＩ−ＳＭＦエンティティを選択した後、ＡＭＦエンティティは、ソースＩ−ＳＭＦエンティティに、ハンドオーバされるセッションのセッション識別子を送り、ソースＩ−ＳＭＦエンティティに、セッション情報をＡＭＦエンティティに送るように要求する。
【０２７３】
セッション情報は、Ａ−ＵＰＦエンティティのアップリンクトンネル情報、及びＡ−ＳＭＦに関する情報の少なくとも一方を含む。
【０２７４】
Ｓ７０４：ソースＩ−ＳＭＦエンティティは、セッション情報をＡＭＦエンティティに送る。
【０２７５】
任意選択で、セッション情報は、例えば、ソースＩ−ＳＭＦエンティティのアドレス情報、又は識別情報など、ソースＩ−ＳＭＦエンティティに関する情報をさらに含む。ソースＩ−ＳＭＦエンティティは、セッション情報を透過型コンテナにカプセル化し、透過型コンテナをＡＭＦエンティティに送り、かつＡＭＦエンティティを用いることにより、透過型コンテナをターゲットＩ−ＳＭＦエンティティに送り得る。
【０２７６】
Ｓ７０５：ＡＭＦエンティティは、セッション確立要求をターゲットＩ−ＳＭＦエンティティに送り、ソースＩ−ＳＭＦエンティティから受信されたセッション情報をターゲットＩ−ＳＭＦエンティティに送る。
【０２７７】
任意選択で、ＡＭＦエンティティは、ソースＩ−ＳＭＦエンティティに関する情報を、ターゲットＩ−ＳＭＦエンティティに送る。
【０２７８】
Ｓ７０６からＳ７１７は、実施形態１におけるＳ６０６からＳ６１７と同じであり、詳細を再度ここで述べないものとする。
【０２７９】
図７Ｂは、本出願の実施形態による通信方法を示す。通信方法において、セッション情報を取得する第２の方法が使用される。図で示されるように、方法の手順は、以下のステップを含む。
【０２８０】
Ｓ７０１：実施形態１のＳ６０１と同じ。
【０２８１】
Ｓ７０２：ＡＭＦエンティティは、ソースＩ−ＳＭＦエンティティのサービスエリア、及びＵＥの位置情報に基づいて、ターゲットＩ−ＳＭＦエンティティを選択する。
【０２８２】
ソースＩ−ＳＭＦエンティティのサービスエリアは、ＡＭＦエンティティにおいて構成され得る。代替として、ソースＩ−ＳＭＦのサービスエリアに関する情報は、ＮＲＦエンティティにおいて構成されてもよく、ＡＭＦエンティティは、ＮＲＦエンティティからソースＩ−ＳＭＦエンティティのサービスエリアを取得する。
【０２８３】
Ｓ７０３：ターゲットＩ−ＳＭＦエンティティを選択した後、ＡＭＦエンティティは、セッション確立要求をターゲットＩ−ＳＭＦエンティティに送り、かつソースＩ−ＳＭＦエンティティに関する情報をターゲットＩ−ＳＭＦエンティティに送る。ターゲットＩ−ＳＭＦエンティティは、セッション確立要求を受信し、かつソースＩ−ＳＭＦエンティティに関する情報を取得する。
【０２８４】
Ｓ７０４：ターゲットＩ−ＳＭＦエンティティは、ソースＩ−ＳＭＦエンティティに関する情報に基づいて、ソースＩ−ＳＭＦエンティティのアドレス情報を決定し、かつセッション情報を要求する要求メッセージをソースＩ−ＳＭＦエンティティに送る。
【０２８５】
セッション情報は、Ａ−ＵＰＦエンティティのアップリンクトンネル情報、及びＡ−ＳＭＦに関する情報の少なくとも一方を含む。
【０２８６】
Ｓ７０５：ソースＩ−ＳＭＦエンティティは、要求メッセージを受信し、ソースＩ−ＳＭＦエンティティは、セッション情報をターゲットＩ−ＳＭＦエンティティに送る。
【０２８７】
Ｓ７０６からＳ７１７は、実施形態１のＳ６０６からＳ６１７と同じであり、詳細をここで再度述べないものとする。
【０２８８】
実施形態３は、図１Ｂで示されたネットワークアーキテクチャに適用される。ＵＥがアイドルモードにあるとき、ＵＥは、サービス要求処理において、ＳＭＦエンティティ間でハンドオーバされる必要がある。実施形態３では、ターゲットＩ−ＳＭＦエンティティがまた、ソースＩ−ＳＭＦエンティティに関する情報を取得する必要がある。ターゲットＩ−ＳＭＦエンティティにより、ソースＩ−ＳＭＦエンティティに関する情報を取得するための方法については、実施形態１及び実施形態２を参照のこと。任意選択で、ターゲットＩ−ＳＭＦエンティティは、セッション情報をさらに取得し得る。ターゲットＩ−ＳＭＦエンティティによりセッション情報を取得するための方法については、実施形態１及び実施形態２を参照のこと。
【０２８９】
実施形態３では、第１の指示情報を受信したとき、ターゲットＩ−ＳＭＦエンティティは、転送トンネルが確立される必要があると決定する。実施形態３では、第１の指示情報は、ＡＭＦエンティティによりターゲットＩ−ＳＭＦエンティティに送られ得る、又はＡＭＦエンティティを用いることにより、ソースＩ−ＳＭＦエンティティによりターゲットＩ−ＳＭＦエンティティに送られ得る。
【０２９０】
図８で示されるように、本出願の実施形態は通信方法を提供する。方法の手順は、以下のステップを含む。
【０２９１】
Ｓ８０１：ＵＥは、サービス要求メッセージをＡＭＦエンティティに送る。メッセージは、活動化されるセッションのセッション識別子、及びＵＥの位置情報を含む。ＡＭＦエンティティは、サービス要求メッセージを受信する。
【０２９２】
Ｓ８０２からＳ８０５：ＡＭＦエンティティは、ターゲットＩ−ＳＭＦエンティティに関する情報を取得し、セッション確立要求をターゲットＩ−ＳＭＦエンティティに送る。ターゲットＩ−ＳＭＦエンティティは、ソースＩ−ＳＭＦエンティティに関する情報、及び第１の指示情報を取得する。
【０２９３】
任意選択で、ターゲットＩ−ＳＭＦエンティティは、Ｓ８０２からＳ８０５において、セッション情報をさらに取得し得る。ＡＭＦエンティティがターゲットＩ−ＳＭＦエンティティに関する情報を取得する方法、ターゲットＩ−ＳＭＦエンティティがソースＩ−ＳＭＦエンティティに関する情報を取得する方法、及びターゲットＩ−ＳＭＦエンティティがセッション情報を取得する方法は、実施形態１及び実施形態２におけるものと同じである。詳細を再度述べないものとする。
【０２９４】
ターゲットＩ−ＳＭＦエンティティは、以下の２つの特定の方法で第１の指示情報を取得する。
【０２９５】
（１）ソースＩ−ＳＭＦエンティティは、転送トンネルが確立される必要があるかどうかを決定する。
【０２９６】
ソースＩ−ＳＭＦエンティティは、サービス要求手順がトリガされたかどうかに応じて、転送トンネルが、確立される必要があるかどうかを決定し得る。ソースＩ−ＳＭＦが、サービス要求手順をトリガした場合、転送トンネルは確立される必要があると決定される。代替として、ソースＩ−ＳＭＦエンティティは、ソースＩ−ＳＭＦエンティティ又はソースＩ−ＵＰＦエンティティが、ＵＥに送られるダウンリンクデータをバッファしたかどうかに応じて、転送トンネルが確立される必要があるかどうかを決定し得る。ソースＩ−ＳＭＦエンティティ又はソースＩ−ＵＰＦエンティティが、ＵＥに送られるダウンリンクデータをバッファした場合、ソースＩ−ＳＭＦエンティティは、転送トンネルが確立される必要があると決定する。
【０２９７】
この方法では、ソースＩ−ＳＭＦエンティティが、第１の指示情報を送る必要がある。具体的には、ＡＭＦエンティティが、ソースＩ−ＳＭＦエンティティからセッション情報を取得し得るとき（例えば、図６で示されるＳ６０２及びＳ６０３、また図７Ａで示されるＳ７０３及びＳ７０４）、ソースＩ−ＳＭＦエンティティは、セッション情報に第１の指示情報を加えて、セッション情報をＡＭＦエンティティに送る。次いで、ＡＭＦエンティティは、第１の指示情報をセッション確立要求においてターゲットＩ−ＳＭＦエンティティに送る（例えば、図６で示されるＳ６０５、及び図７Ａで示されるＳ７０５）。
【０２９８】
第１の指示情報及びセッション情報は、透過型コンテナにカプセル化され、ＡＭＦエンティティを用いることにより、ターゲットＩ−ＳＭＦエンティティに送られ得る。ＡＭＦエンティティが、透過型コンテナにおけるコンテンツを構文解析する必要はない。
【０２９９】
ターゲットＩ−ＳＭＦエンティティが、ソースＩ−ＳＭＦエンティティから、直接セッション情報を取得する場合（例えば、図７Ｂで示されるＳ７０４及びＳ７０５など）、ソースＩ−ＳＭＦエンティティは、第１の指示情報を直接ターゲットＩ−ＳＭＦエンティティに送り得る。
【０３００】
（２）ＡＭＦエンティティは、転送トンネルが確立される必要があるかどうかを決定する。
【０３０１】
ＡＭＦエンティティは、セッションに対応するソースＩ−ＳＭＦエンティティが、サービス要求手順をトリガするかどうかに応じて、転送トンネルが確立される必要があるかどうかを決定し得る。セッションに対応するソースＩ−ＳＭＦエンティティが、サービス要求手順をトリガしたとき、ＡＭＦエンティティは、転送トンネルが確立される必要があると決定する。例えば、サービス要求手順をトリガするためにソースＳＭＦエンティティにより使用されるメッセージを受信したとき、ＡＭＦエンティティは、転送トンネルが確立される必要があると決定する。
【０３０２】
転送トンネルが確立される必要があると決定したとき、ＡＭＦエンティティは、第１の指示情報をターゲットＩ−ＳＭＦエンティティに送る必要がある。具体的には、ＡＭＦエンティティは、セッション確立要求をターゲットＩ−ＳＭＦエンティティに送るとき、セッション確立要求に第１の指示情報を加え得る（例えば、図６で示されるＳ６０５、図７Ａで示されるＳ７０５、及び図７Ｂで示されるＳ７０３など）。
【０３０３】
Ｓ８０６：ターゲットＩ−ＳＭＦエンティティは、ＵＥの位置情報に基づいてターゲットＩ−ＵＰＦエンティティを選択する。第１の指示情報を受信した後、ターゲットＩ−ＳＭＦエンティティは、ターゲットＩ−ＵＰＦエンティティに送られるＮ４セッション確立要求メッセージに、第１の指示情報又は第２の指示情報を加えて、ターゲットＩ−ＵＰＦエンティティに、転送トンネルを確立するように指示する。ターゲットＩ−ＵＰＦエンティティは、Ｎ４セッション確立要求メッセージを受信し、かつ第１の指示情報又は第２の指示情報を取得する。
【０３０４】
Ｓ８０６において、ターゲットＩ−ＳＭＦエンティティは、ターゲットＩ−ＵＰＦエンティティに対応する転送トンネル情報を取得し、ターゲットＩ−ＵＰＦエンティティに対応する転送トンネル情報を第１のメッセージに加える。
【０３０５】
ターゲットＩ−ＳＭＦエンティティは、以下の２つの方法で、ターゲットＩ−ＵＰＦエンティティに対応する転送トンネル情報を取得し得る。
【０３０６】
方法１：ターゲットＩ−ＳＭＦエンティティは、ターゲットＩ−ＵＰＦエンティティに対応する転送トンネル情報を割り当て、ターゲットＩ−ＵＰＦエンティティに対応する転送トンネル情報をターゲットＩ−ＵＰＦに送る。
【０３０７】
方法２：ターゲットＩ−ＳＭＦは、ターゲットＩ−ＵＰＦエンティティに、ターゲットＩ−ＵＰＦエンティティに対応する転送トンネル情報を割り当てるように要求し、ターゲットＩ−ＵＰＦは、転送トンネル情報をターゲットＩ−ＳＭＦに送る。
【０３０８】
Ｓ８０２からＳ８０５において、ターゲットＩ−ＳＭＦエンティティがセッション情報を取得し、またセッション情報が、Ａ−ＵＰＦエンティティのアップリンクトンネル情報を含む場合、Ｓ８０６において、ターゲットＩ−ＳＭＦエンティティは、Ａ−ＵＰＦエンティティのアップリンクトンネル情報をターゲットＩ−ＵＰＦエンティティに送り、ターゲットＩ−ＵＰＦエンティティとＡ−ＵＰＦエンティティの間にトンネルを確立する。
【０３０９】
Ｓ８０７：ターゲットＩ−ＳＭＦエンティティは、Ａ−ＳＭＦエンティティと対話し、Ａ−ＵＰＦエンティティとターゲットＩ−ＵＰＦエンティティの間でダウンリンクトンネルを確立する。
【０３１０】
Ｓ８０８：ターゲットＩ−ＳＭＦエンティティが第１の指示情報を受信した場合、ターゲットＩ−ＳＭＦエンティティは、ソースＩ−ＳＭＦエンティティに関する情報に基づいて、ソースＩ−ＳＭＦエンティティのアドレス情報を決定し、第１のメッセージをソースＩ−ＳＭＦエンティティに送る。第１のメッセージは、ターゲットＩ−ＵＰＦに対応する転送トンネル情報を含む。ソースＩ−ＳＭＦエンティティは、第１のメッセージを受信する。
【０３１１】
任意選択で、第１のメッセージは、転送トンネルが、間接転送トンネルの一部ではないことを示すために使用される非間接転送トンネル表示をさらに含む。
【０３１２】
Ｓ８０９：ソースＩ−ＳＭＦエンティティは、ソースＩ−ＵＰＦエンティティからターゲットＩ−ＵＰＦエンティティへの転送トンネルを確立するように指示するために、ターゲットＩ−ＵＰＦに対応する転送トンネル情報をソースＩ−ＵＰＦエンティティに送る。ソースＩ−ＵＰＦエンティティは、ターゲットＩ−ＵＰＦに対応する転送トンネル情報を受信し、ソースＩ−ＵＰＦエンティティからターゲットＩ−ＵＰＦエンティティへの転送トンネルを確立する。
【０３１３】
Ｓ８１０：ソースＩ−ＳＭＦエンティティは、転送トンネルを確立した後、応答メッセージをターゲットＩ−ＳＭＦエンティティに送り、ターゲットＩ−ＳＭＦエンティティは、応答メッセージを受信し、かつソースＩ−ＳＭＦが、転送トンネルを確立したと決定する。
【０３１４】
Ｓ８１１：ソースＩ−ＳＭＦエンティティ及びターゲットＩ−ＳＭＦエンティティは、それぞれ、転送トンネルリリースタイマを設定する。
【０３１５】
Ｓ８１２：ターゲットＩ−ＳＭＦエンティティは、ＡＭＦエンティティを用いることにより、ターゲット基地局と対話し、ターゲット基地局とターゲットＩ−ＵＰＦエンティティの間でアップリンク／ダウンリンクトンネルを確立する。具体的な実装については、既存のプロトコルの記述を参照のこと。詳細を本出願のこの実施形態では述べないものとする。
【０３１６】
Ｓ８１３：転送トンネルリリースタイマが終了したとき、ソースＩ−ＳＭＦエンティティは、ソースＩ−ＵＰＦエンティティに、転送トンネルをリリースするように示し、またターゲットＩ−ＳＭＦエンティティは、ターゲットＩ−ＵＰＦエンティティに、転送トンネルをリリースするように指示する。
【０３１７】
Ｓ８０７は、Ｓ８０９の後に実施されてもよいことに留意されたい。具体的には、ソースＩ−ＵＰＦとターゲットＩ−ＵＰＦの間の転送トンネルがまず確立され、次いで、ターゲットＩ−ＵＰＦとＡ−ＵＰＦの間のトンネルが確立される。代替として、Ｓ８０７は、ステップ８０６の前に実施されてもよい。具体的には、Ａ−ＵＰＦからターゲットＩ−ＵＰＦへのダウンリンクトンネルは、ターゲットＩ−ＵＰＦからＡ−ＵＰＦへのアップリンクトンネルが確立される前に確立される。これは、本出願のこの実施形態に限定されない。
【０３１８】
実施形態４は、図１Ｃで示されたネットワークアーキテクチャに適用される。ソースＳＭＦエンティティは、Ａ−ＳＭＦエンティティであり、ＵＥが、Ａ−ＳＭＦエンティティのサービスエリアの外に移動し、ターゲットＩ−ＳＭＦエンティティのサービスエリア内に移動する。ターゲットＩ−ＳＭＦは、ＵＥの制御プレーン経路に挿入される必要がある。実施形態４では、ターゲットＩ−ＳＭＦエンティティはまた、Ａ−ＳＭＦエンティティに関する情報を取得する必要がある。ターゲットＩ−ＳＭＦエンティティにより、Ａ−ＳＭＦエンティティに関する情報を取得するための方法は、実施形態１及び実施形態２で、ソースＩ−ＳＭＦエンティティに関する情報を取得するための方法を参照のこと。
【０３１９】
図９で示されるように、本出願の実施形態は、通信方法を提供する。方法の手順は、以下のステップを含む。
【０３２０】
Ｓ９０１：ＵＥは、サービス要求メッセージをＡＭＦエンティティに送る。メッセージは、活動化されるセッションのセッション識別子、及びＵＥの位置情報を含む。ＡＭＦエンティティは、サービス要求メッセージを受信する。
【０３２１】
Ｓ９０２からＳ９０５：ＡＭＦエンティティは、ターゲットＩ−ＳＭＦエンティティに関する情報を取得し、セッション確立要求をターゲットＩ−ＳＭＦエンティティに送る。ターゲットＩ−ＳＭＦエンティティは、Ａ−ＳＭＦエンティティに関する情報、及び第１の指示情報を取得する。
【０３２２】
任意選択で、Ｓ９０２からＳ９０５において、ターゲットＩ−ＳＭＦエンティティは、Ａ−ＳＭＦエンティティからセッション情報をさらに取得し得る。ＡＭＦエンティティがターゲットＩ−ＳＭＦエンティティに関する情報を取得する方法、ターゲットＩ−ＳＭＦエンティティがＡ−ＳＭＦエンティティに関する情報を取得する方法、及びターゲットＩ−ＳＭＦエンティティがセッション情報を取得する方法は、実施形態１及び実施形態２におけるものと同様である。詳細を再度述べないものとする。Ａ−ＳＭＦエンティティは、実施形態１及び実施形態２におけるソースＳＭＦエンティティに対応することに留意されたい。従って、Ａ−ＳＭＦエンティティに関する情報を取得するための方法は、実施形態１及び実施形態２におけるソースＳＭＦエンティティに関する情報を取得するための方法と同様である。
【０３２３】
任意選択で、Ｓ９０２からＳ９０５において、ターゲットＩ−ＳＭＦエンティティは、第１の指示情報をさらに取得する。Ａ−ＳＭＦエンティティは、実施形態３におけるソースＳＭＦエンティティに対応しており、第１の指示情報を取得するための方法は、実施形態３におけるものと同様である。
【０３２４】
Ｓ９０６：ターゲットＩ−ＳＭＦエンティティは、ＵＥの位置情報に基づいて、ターゲットＩ−ＵＰＦエンティティを選択する。第１の指示情報を受信した後、ターゲットＩ−ＳＭＦエンティティは、ターゲットＩ−ＵＰＦエンティティに送られるＮ４セッション確立要求メッセージに、第１の指示情報、又は第２の指示情報を加えて、ターゲットＩ−ＵＰＦエンティティに、転送トンネルを確立するように指示する。ターゲットＩ−ＵＰＦエンティティは、Ｎ４セッション確立要求メッセージを受信し、第１の指示情報又は第２の指示情報を取得する。
【０３２５】
Ｓ９０６において、ターゲットＩ−ＳＭＦエンティティは、ターゲットＩ−ＵＰＦエンティティに対応する転送トンネル情報を取得し、ターゲットＩ−ＵＰＦエンティティに対応する転送トンネル情報を第２のメッセージに加える。
【０３２６】
ターゲットＩ−ＳＭＦエンティティにより、ターゲットＩ−ＵＰＦエンティティに対応する転送トンネル情報を取得する方法については、実施形態２におけるターゲットＩ−ＳＭＦエンティティにより、ターゲットＩ−ＵＰＦエンティティに対応する転送トンネル情報を取得する方法を参照のこと。詳細をここで再度述べないものとする。
【０３２７】
ターゲットＩ−ＳＭＦエンティティが、Ｓ９０２からＳ９０５においてセッション情報を取得した場合、Ｓ９０６において、ターゲットＩ−ＳＭＦエンティティは、Ａ−ＵＰＦエンティティのアップリンクトンネル情報をターゲットＩ−ＵＰＦエンティティに送り、ターゲットＩ−ＵＰＦエンティティとＡ−ＵＰＦエンティティの間でトンネルを確立する。
【０３２８】
Ｓ９０７：ターゲットＩ−ＳＭＦエンティティは、第２のメッセージをＡ−ＳＭＦエンティティに送り、ソースＩ−ＳＭＦエンティティは、第１のメッセージを受信する。
【０３２９】
任意選択で、ターゲットＩ−ＳＭＦエンティティは、ソースＩ−ＵＰＦエンティティからターゲットＩ−ＵＰＦエンティティへの転送トンネルを確立するように指示するために使用される転送トンネル確立指示情報を第２のメッセージに加える。
【０３３０】
任意選択で、第２のメッセージは、ターゲットＩ−ＵＰＦエンティティのダウンリンクトンネル情報をさらに含み、ターゲットＩ−ＵＰＦエンティティのダウンリンクトンネル情報は、ターゲットＩ−ＵＰＦとＡ−ＵＰＦの間でトンネルを確立するために使用される。
【０３３１】
Ｓ９０８：転送トンネルが確立される必要がある場合、Ａ−ＳＭＦエンティティは、ターゲットＩ−ＵＰＦエンティティに対応する転送トンネル情報を第２のメッセージでソースＩ−ＵＰＦエンティティに送り、かつソースＩ−ＵＰＦエンティティに転送トンネルを確立するように指示する指示情報を、ソースＩ−ＵＰＦエンティティに送る。ソースＩ−ＵＰＦエンティティは、ターゲットＩ−ＵＰＦエンティティに対応する転送トンネル情報、及び指示情報を受信し、転送トンネルを確立する。
【０３３２】
任意選択で、Ａ−ＳＭＦエンティティは、ターゲットＩ−ＵＰＦエンティティのダウンリンクトンネル情報をＡ−ＵＰＦエンティティに送り、ターゲットＩ−ＵＰＦエンティティとＡ−ＵＰＦエンティティの間でトンネルを確立する。
【０３３３】
Ｓ９０９：Ａ−ＳＭＦエンティティが、転送トンネルが確立されたと決定した後、Ａ−ＳＭＦエンティティは、ターゲットＩ−ＳＭＦエンティティに応答メッセージを送り、ターゲットＩ−ＳＭＦエンティティに、転送トンネルが確立されたことを通知する。ターゲットＩ−ＳＭＦエンティティは、応答メッセージを受信し、Ａ−ＳＭＦが転送トンネルを確立したと決定する。
【０３３４】
Ｓ９１０：Ａ−ＳＭＦエンティティ及びターゲットＩ−ＳＭＦエンティティは、それぞれ転送トンネルリリースタイマを設定する。
【０３３５】
Ｓ９１１：ターゲットＩ−ＳＭＦエンティティは、ＡＭＦエンティティを使用することによりターゲット基地局と対話し、ターゲット基地局とターゲットＩ−ＵＰＦエンティティの間にアップリンク／ダウンリンクトンネルを確立する。具体的な実装については、既存のプロトコルの記述を参照のこと。その詳細は、本出願のこの実施形態では述べないものとする。
【０３３６】
Ｓ９１２：転送トンネルリリースタイマが終了したとき、Ａ−ＳＭＦエンティティは、ソースＵＰＦエンティティに、転送トンネルをリリースするように示し、またターゲットＩ−ＳＭＦエンティティは、ターゲットＩ−ＵＰＦエンティティに転送トンネルをリリースするように指示する。
【０３３７】
方法実施形態と同じ発明の概念に基づいて、本出願の実施形態は、前述の実施形態のいずれか１つにおいて、ターゲットＩ−ＳＭＦエンティティにより実施される方法を実施するように構成された装置をさらに提供する。関連する特徴については、前述の方法実施形態を参照のこと。詳細をここで再度述べないものとする。図１０で示されるように、装置は、処理ユニット１００１及びトランシーバユニット１００２を含む。
【０３３８】
具体的には、処理ユニット１００１は、ソースセッション管理ネットワーク要素に関する情報を取得するように構成される。
【０３３９】
トランシーバユニット１００２は、ソースセッション管理ネットワーク要素に関する情報に基づいて、ソースセッション管理ネットワーク要素に第１のメッセージを送るように構成される。
【０３４０】
ソースセッション管理ネットワーク要素は、ソース基地局と通信可能に接続されたユーザプレーンネットワーク要素を制御するセッション管理ネットワーク要素である。第１のメッセージは、ソース中間ユーザプレーンネットワーク要素からターゲット中間ユーザプレーンネットワーク要素への転送トンネルを確立するために使用される。ソース中間ユーザプレーンネットワーク要素は、ソースセッション管理ネットワーク要素により制御され、かつソース基地局と通信可能に接続されたユーザプレーンネットワーク要素であり、またターゲット中間ユーザプレーンネットワーク要素は、ターゲット中間セッション管理ネットワーク要素により制御され、かつターゲット基地局と通信可能に接続されたユーザプレーンネットワーク要素である。
【０３４１】
ソースセッション管理ネットワーク要素に関する情報に基づいて、ソースセッション管理ネットワーク要素に第１のメッセージを送る前に、トランシーバユニット１００２は、第１の指示情報をさらに取得してもよく、第１の指示情報は、ターゲット中間セッション管理ネットワーク要素に、転送トンネルを確立するように指示する。
【０３４２】
具体的には、トランシーバユニット１００２は、以下の２つの方法で、第１の指示情報を取得し得る。
【０３４３】
方法１：トランシーバユニット１００２は、第１の指示情報を、ソースセッション管理ネットワーク要素から取得する。
【０３４４】
方法２：トランシーバユニット１００２は、第１の指示情報を、モビリティ管理ネットワーク要素から取得する。
【０３４５】
第１の指示情報を取得した後、処理ユニット１００１は、第１の指示情報に従って、ターゲット中間ユーザプレーンネットワーク要素に、転送トンネルを確立するように指示する。
【０３４６】
任意選択で、第１のメッセージは、ターゲット中間ユーザプレーンネットワーク要素に対応する転送トンネル情報を含む。
【０３４７】
処理ユニット１００１は、モビリティ管理ネットワーク要素からソースセッション管理ネットワーク要素に関する情報を取得してもよい。
【０３４８】
可能な実装では、処理ユニット１００１は、転送トンネルリリースタイマをさらに設定し、転送トンネルリリースタイマが終了したとき、中間ユーザプレーンネットワーク要素に、転送トンネルをリリースするように示し得る。
【０３４９】
可能な実装では、装置は、ターゲット中間ユーザプレーンネットワーク要素と、アンカーユーザプレーンネットワーク要素の間でトンネルをさらに確立し得る。
【０３５０】
具体的には、トランシーバユニット１００２は、ソースセッション管理ネットワーク要素に関する情報に基づいて、ソースセッション管理ネットワーク要素からセッション情報を取得する、又はモビリティ管理ネットワーク要素からセッション情報を受信する。
【０３５１】
処理ユニット１００１は、セッション情報に基づいて、ターゲット中間ユーザプレーンネットワーク要素とアンカーユーザプレーンネットワーク要素の間でトンネルを確立する。
【０３５２】
セッション情報は、以下の少なくとも一方を含む、即ち、アンカーユーザプレーンネットワーク要素のアップリンクトンネル情報、及びアンカーセッション管理ネットワーク要素に関する情報であり、アンカーセッション管理ネットワーク要素は、アンカーユーザプレーンネットワーク要素を制御するセッション管理ネットワーク要素である。
【０３５３】
方法実施形態と同じ発明の概念に基づき、本出願の実施形態は、前述の実施形態のいずれか１つにおけるソースＳＭＦエンティティにより実施される方法を実施するように構成された装置をさらに提供する。関連する特徴については、前述の方法実施形態を参照のこと。詳細をここで再度述べないものとする。図１１で示されるように、装置は、処理ユニット１１０１及びトランシーバユニット１１０２を含む。
【０３５４】
具体的には、トランシーバユニット１１０２は、ターゲット中間セッション管理ネットワーク要素から第１のメッセージを受信し、処理ユニット１１０１は、第１のメッセージに基づいて、ソース中間ユーザプレーンネットワーク要素に、転送トンネルを確立するように指示する。
【０３５５】
第１のメッセージは、ソース中間ユーザプレーンネットワーク要素からターゲット中間ユーザプレーンネットワーク要素への転送トンネルを確立するために使用される。ソース中間ユーザプレーンネットワーク要素は、ソースセッション管理ネットワーク要素により制御され、かつソース基地局と通信可能に接続されたユーザプレーンネットワーク要素であり、またターゲット中間セッション管理ネットワーク要素は、ターゲット基地局と通信可能に接続されたターゲット中間ユーザプレーンネットワーク要素を制御するセッション管理ネットワーク要素である。
【０３５６】
装置は、第１の表示メッセージを送るようにさらに構成され得る。
【０３５７】
具体的には、処理ユニット１１０１は、まず転送トンネルが確立される必要があると決定し、次いで、トランシーバユニット１１０２は、第１の指示情報を、ターゲット中間セッション管理ネットワーク要素、又はモビリティ管理ネットワーク要素に送る。第１の指示情報は、ターゲット中間セッション管理ネットワーク要素に、転送トンネルを確立するように指示する。
【０３５８】
可能な実装では、ソースセッション管理ネットワーク要素、又はソース中間ユーザプレーンネットワーク要素が、端末デバイスに送られるダウンリンクデータを有するとき、処理ユニット１１０１は、転送トンネルが確立される必要があると決定する。
【０３５９】
任意選択で、第１のメッセージは、ターゲット中間ユーザプレーンネットワーク要素に対応する転送トンネル情報を含む。
【０３６０】
処理ユニット１１０１は、転送トンネルリリースタイマを設定し、転送トンネルリリースタイマが終了したとき、ソース中間ユーザプレーンネットワーク要素に、転送トンネルをリリースするように示し得る。
【０３６１】
可能な実装では、装置は、ターゲット中間ユーザプレーンネットワーク要素とアンカーユーザプレーンネットワーク要素の間でトンネルをさらに確立し得る。
【０３６２】
具体的には、トランシーバユニット１１０２は、セッション情報をターゲット中間セッション管理ネットワーク要素に送り、ターゲット中間セッション管理ネットワーク要素が、ターゲット中間ユーザプレーンネットワーク要素とアンカーユーザプレーンネットワーク要素の間でトンネルを確立するようにする、又は
トランシーバユニット１１０２は、セッション情報をモビリティ管理ネットワーク要素に送り、モビリティ管理ネットワーク要素は、セッション情報をターゲット中間セッション管理ネットワーク要素に送るようにする。
【０３６３】
セッション情報は、以下の少なくとも一方を含む、即ち、アンカーユーザプレーンネットワーク要素のアップリンクトンネル情報、及びアンカーセッション管理ネットワーク要素に関する情報であり、またアンカーセッション管理ネットワーク要素は、アンカーユーザプレーンネットワーク要素を制御するセッション管理ネットワーク要素である。
【０３６４】
方法実施形態と同じ発明の概念に基づき、本出願の実施形態は、前述の実施形態のいずれか１つにおけるＡＭＦエンティティにより実施される方法を実施するように構成された装置をさらに提供する。関連する特徴に関しては、前述の方法実施形態を参照のこと。詳細をここで再度述べないものとする。図１２で示されるように、装置は、処理ユニット１２０１及びトランシーバユニット１２０２を含む。
【０３６５】
処理ユニット１２０１は、ターゲット中間セッション管理ネットワーク要素に関する情報を取得するように構成される。
【０３６６】
トランシーバユニット１２０２は、ターゲット中間セッション管理ネットワーク要素に関する情報に基づき、ソースセッション管理ネットワーク要素に関する情報を、ターゲット中間セッション管理ネットワーク要素に送るように構成され、ここで、ソースセッション管理ネットワーク要素は、ソース基地局と通信可能に接続されたユーザプレーンネットワーク要素を制御するセッション管理ネットワーク要素であり、またターゲット中間セッション管理ネットワーク要素は、ターゲット基地局と通信可能に接続されたターゲット中間ユーザプレーンネットワーク要素を制御するセッション管理ネットワーク要素である。
【０３６７】
トランシーバユニット１２０２は、第１の指示情報を、ターゲット中間セッション管理ネットワーク要素にさらに送り得る、ここで、第１の指示情報は、ターゲット中間セッション管理ネットワーク要素に、ソース中間ユーザプレーンネットワーク要素からターゲット中間ユーザプレーンネットワーク要素への転送トンネルを確立するように示し、またソース中間ユーザプレーンネットワーク要素は、ソースセッション管理ネットワーク要素により制御され、かつソース基地局と通信可能に接続されたユーザプレーンネットワーク要素である。
【０３６８】
可能な実装では、トランシーバユニット１２０２が、第１の指示情報をターゲット中間セッション管理ネットワーク要素に送る前に、処理ユニット１２０１は、転送トンネルが確立される必要があると決定する。
【０３６９】
可能な実装では、トランシーバユニット１２０２が、第１の指示情報をターゲット中間セッション管理ネットワーク要素に送る前に、トランシーバユニット１２０２は、第１の指示情報をソースセッション管理ネットワーク要素から取得する。
【０３７０】
具体的には、処理ユニット１２０１が、ソースセッション管理ネットワーク要素から、サービス要求手順をトリガするために使用されるメッセージを受信した場合、処理ユニット１２０１は、転送トンネルが確立される必要があると決定する。
処理ユニット１２０１は、ターゲット中間セッション管理ネットワーク要素に関する情報を、以下の２つの方法で取得し得る。
【０３７１】
方法１：処理ユニット１２０１は、端末デバイスの位置情報を取得し、端末デバイスの位置情報に基づいて、ターゲット中間セッション管理ネットワーク要素に関する情報を選択する。
【０３７２】
方法２：処理ユニット１２０１は、ソースセッション管理ネットワーク要素からターゲット中間セッション管理ネットワーク要素に関する情報を受信する。
【０３７３】
可能な実装では、装置１２００は、ターゲット中間ユーザプレーンネットワーク要素とアンカーユーザプレーンネットワーク要素の間でトンネルを確立するとき、セッション情報を送り得る。
【０３７４】
具体的には、トランシーバユニット１２０２は、ソースセッション管理ネットワーク要素からセッション情報を受信し、次いでセッション情報を、ターゲット中間セッション管理ネットワーク要素に送り、従って、ターゲット中間セッション管理ネットワーク要素が、ターゲット中間ユーザプレーンネットワーク要素とアンカーユーザプレーンネットワーク要素の間でトンネルを確立するようにする。
【０３７５】
セッション情報は、以下の少なくとも一方を含む、即ち、アンカーユーザプレーンネットワーク要素のアップリンクトンネル情報、及びアンカーセッション管理ネットワーク要素に関する情報であり、またアンカーセッション管理ネットワーク要素は、アンカーユーザプレーンネットワーク要素を制御するセッション管理ネットワーク要素である。
【０３７６】
本出願の実施形態において、ユニットへの分割は例であり、単に論理的な機能分割に過ぎず、実際に行われる実装において他の分割もあり得る。さらに、本出願の実施形態における機能的なユニットは、１つのプロセッサに統合されてもよく、又は物理的に単独で存在してもよく、又は２つ以上のユニットが、１つのモジュールへと統合される。前述の統合されるユニットは、ハードウェアの形態で実装され得る、又はソフトウェア機能モジュールの形態で実装され得る。
【０３７７】
統合されたユニットが、ソフトウェア機能ユニットの形態で実施され、独立した製品として販売又は使用される場合、統合されたユニットは、コンピュータ可読記録媒体に記憶され得る。このような理解に基づいて、本質的に本出願の、又は従来技術に寄与する部分の技術的な解決策、又は全て又はいくつかの技術的な解決策は、ソフトウェア製品の形態で実施され得る。コンピュータソフトウェア製品は、記録媒体に記憶され、かつ端末デバイス（パーソナルコンピュータ、移動電話、ネットワークデバイス、又は同様のものであり得る）、又はプロセッサ（ｐｒｏｃｅｓｓｏｒ）に、本出願の実施形態における方法ステップの全て又はいくつかを実施するように指示するためのいくつかの表示を含む。記録媒体は、ＵＳＢフラッシュドライブ、取外し可能なハードディスク、読出し専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、又は光ディスクなど、プログラムコードを記憶できる様々な媒体を含む。
【０３７８】
本出願の実施形態では、ターゲット中間セッション管理ネットワーク要素（ターゲットＩ−ＳＭＦ）、ソースセッション管理ネットワーク要素（ソースＳＭＦ）、及びモビリティ管理ネットワーク要素（ＡＭＦ）は全て、統合により得られた機能モジュールの形態で提示され得る。本明細書における「モジュール」は、特定のＡＳＩＣ、回路、１つ又は複数のソフトウェア又はファームウェアプログラムを実行するプロセッサ、メモリ、統合された論理回路、及び／又は前述の機能を提供できる別のデバイスであり得る。簡単な実施形態では、当業者は、ターゲット中間セッション管理ネットワーク要素（ターゲットＩ−ＳＭＦ）、ソースセッション管理ネットワーク要素（ソースＳＭＦ）、及びモビリティ管理ネットワーク要素（ＡＭＦ）は、図１３で示された形態であり得ることが分かるはずである。
【０３７９】
図１３で示される装置１３００は、少なくともプロセッサ１３１、及びメモリ１３２を含み、そして、任意選択で、通信インターフェース１３４をさらに含み得る。
【０３８０】
メモリ１３２は、ランダムアクセスメモリなど、揮発性メモリであり得る。代替として、メモリ１３２は、読出し専用メモリ、フラッシュメモリ、ハードディスクドライブ（ｈａｒｄ  ｄｉｓｋ  ｄｒｉｖｅ、ＨＤＤ）、又はソリッドステートドライブ（ｓｏｌｉｄ−ｓｔａｔｅ  ｄｒｉｖｅ、ＳＳＤ）など不揮発性メモリであり得る。代替として、メモリ１３２は、期待されるプログラムコードを、コマンド又はデータ構造の形態で担持又は記憶するために使用されることができ、かつコンピュータによってアクセスされることができる任意の他の媒体である。しかし、これは限定されない。メモリ１３２は、前述のメモリの組合せとしてもよい。
【０３８１】
本出願のこの実施形態では、プロセッサ１３１とメモリ１３２の間の特定の接続媒体は限定されない。本出願のこの実施形態では、メモリ１３２及びプロセッサ１３１は、図においてバス１３３を用いることにより接続される。バス１３３は、図では、太い線を用いることにより示されている。他の構成要素間の接続法は、単に説明用の例であり、限定を課すものではない。バス１３３は、アドレスバス、データバス、制御バス、又は同様のものに分類され得る。表現を分かりやすくするために、図１３において、バスを表すために、１つの太い線だけが使用されるが、これは、１つだけのバス、又は１つのタイプだけのバスがあることを意味するものではない。
【０３８２】
プロセッサ１３１は、データ受信機能及び送信機能を有してもよく、別のデバイスと通信することができる。図１３で示される装置では、代替として、独立したデータ送受信機モジュールが設定され得る。例えば、通信インターフェース１３４は、データを受信し、送るように構成される。プロセッサ１３１が別のデバイスと通信するとき、データは、通信インターフェース１３４を介して送信され得る。
【０３８３】
ターゲット中間セッション管理ネットワーク要素が、図１３で示される形態であるとき、図１３におけるプロセッサ１３１は、メモリ１３２に記憶されたコンピュータ実行可能命令を呼び出し得る、従って、ターゲット中間セッション管理ネットワーク要素は、前述の方法実施形態のいずれか１つにおけるターゲットＩ−ＳＭＦにより実施される方法を実施することができる。
【０３８４】
ソースセッション管理ネットワーク要素が、図１３で示される形態であるとき、図１３のプロセッサ１３１は、メモリ１３２に記憶されたコンピュータ実行可能命令を呼び出し得る、従って、ソースセッション管理ネットワーク要素は、前述の方法実施形態のいずれか１つにおけるソースＳＭＦにより実施される方法を実施することができる。
【０３８５】
モビリティ管理ネットワーク要素が図１３で示される形態であるとき、図１３におけるプロセッサ１３１は、メモリ１３２に記憶されたコンピュータ実行可能命令を呼び出し得る、従って、モビリティ管理ネットワーク要素は、前述の方法実施形態のいずれか１つにおけるＡＭＦにより実施される方法を実施することができる。
【０３８６】
具体的には、図１０から図１２において、トランシーバユニット及び処理ユニットの機能／実装処理は、メモリ１３２に記憶されたコンピュータ実行可能命令を呼び出すことにより、図１３におけるプロセッサ１３１により実施され得る。代替として、図１０から図１２において、処理ユニットの機能／実装処理は、メモリ１３２に記憶されたコンピュータ実行可能命令を呼び出すことにより、図１３におけるプロセッサ１３１により実施され、また図１０から図１２において、トランシーバユニットの機能／実装処理は、図１３における通信インターフェース１３４により実施され得る。
【０３８７】
プロセッサ１３１は、例えば、図１３におけるＣＰＵ０及びＣＰＵ１など、１つ又は複数のＣＰＵを含み得る。
【０３８８】
装置１３００は、例えば、図１３におけるプロセッサ１３１及びプロセッサ１３５など、複数のプロセッサを含み得る。
【０３８９】
本出願のこの実施形態で提供される装置は、前述の通信方法を実施し得る。従って、本装置により得られる技術的な効果については、前述の方法実施形態を参照のこと。詳細をここで再度述べないものとする。
【０３９０】
本出願において、ターゲット中間セッション管理ネットワーク要素に関する情報を取得した後、モビリティ管理ネットワーク要素は、ソースセッション管理ネットワーク要素に関する情報を、ターゲットセッション管理ネットワーク要素に送る。ソースセッション管理ネットワーク要素に関する情報を取得した後、ターゲットセッション管理ネットワーク要素は、ソースセッション管理ネットワーク要素に関する情報に基づいて、第１のメッセージをソースセッション管理ネットワーク要素に送る。第１のメッセージは、ソース中間ユーザプレーンネットワーク要素からターゲット中間ユーザプレーンネットワーク要素への転送トンネルを確立するために使用される。ターゲット中間セッション管理ネットワーク要素から第１のメッセージを受信した後、ソースセッション管理ネットワーク要素は、第１のメッセージに基づいて、ソース中間ユーザプレーンネットワーク要素に転送トンネルを確立するように指示する。本出願の実施形態における方法に従って、ソース中間ユーザプレーンネットワーク要素からターゲット中間ユーザプレーンネットワーク要素への転送トンネルが確立され、従って、ソース中間ユーザプレーンネットワーク要素は、データを、転送トンネルを介して、ターゲット中間ユーザプレーンネットワーク要素に転送し、ターゲット中間セッション管理ネットワーク要素からソースセッション管理ネットワーク要素へのハンドオーバを実施し、セッションを維持し、かつ端末デバイスのサービス連続性を保証することができる。
【０３９１】
本出願は、本出願による方法、デバイス（システム）、及びコンピュータプログラム製品のフロー図、及び／又はブロック図を参照して述べられる。コンピュータプログラム命令は、フロー図及び／又はブロック図における各処理及び／又は各ブロックを実施するために、並びにフロー図及び／又はブロック図における処理及び／又はブロックの組合せを実施するために使用され得ることを理解されたい。これらのコンピュータプログラム命令は、汎用コンピュータ、専用コンピュータ、組み込まれたプロセッサ、又は任意の他のプログラム可能なデータ処理デバイスのプロセッサに提供されてマシンを生成してもよく、従って、コンピュータ、又は任意の他のプログラム可能なデータ処理デバイスのプロセッサにより実行される命令は、フロー図における１つ又は複数の処理、及び／又はブロック図における１つ又は複数のブロックにおける特定の機能を実施するための装置を生成する。
【０３９２】
コンピュータ又は任意の他のプログラム可能なデータ処理デバイスに、特定の方法で動作するように命令できるこれらのコンピュータプログラム命令は、コンピュータ可読メモリに記憶されてもよく、従って、コンピュータ可読メモリに記憶された命令は、命令装置を含む人工物を生成する。命令装置は、フロー図における１つ又は複数の処理、及び／又はブロック図における１つ又は複数のブロックの特定の機能を実施する。
【０３９３】
これらのコンピュータプログラム命令は、コンピュータに、又は任意の他のプログラム可能なデータ処理デバイスに搭載されてもよく、従って、オペレーション及びステップのシリーズは、コンピュータ又は任意の他のプログラム可能なデバイスで実施され、それにより、コンピュータで実施される処理を生成する。従って、コンピュータ又は任意の他のプログラム可能なデバイスで実行される命令は、フロー図における１つ又は複数のプロセスの、及び／又はブロック図における１つ又は複数のブロックの特定の機能を実施するためのステップを提供する。
【０３９４】
当業者が、本出願の趣旨及び範囲から逸脱することなく、本出願に対して様々な修正及び変形を行うことができることは明らかである。本出願は、それらが添付の特許請求の範囲、及びそれらの均等な技術の範囲に含まれるならば、本出願のこれらの修正及び変形を含むように意図される。
【図１Ａ】
2021517430.tif 000003
【図１Ｂ】
2021517430.tif 000004
【図１Ｃ】
2021517430.tif 000005
【図２】
2021517430.tif 000006
【図３】
2021517430.tif 000007
【図４】
2021517430.tif 000008
【図５】
2021517430.tif 000009
【図６】
2021517430.tif 000010
【図７Ａ】
2021517430.tif 000011
【図７Ｂ】
2021517430.tif 000012
【図８】
2021517430.tif 000013
【図９】
2021517430.tif 000014
【図１０】
2021517430.tif 000015
【図１１】
2021517430.tif 000016
【図１２】
2021517430.tif 000017
【図１３】
2021517430.tif 000018
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
通信方法であって、前記方法は、
ターゲット中間セッション管理ネットワーク要素によって、ソースセッション管理ネットワーク要素についての情報を取得するステップと、
前記ターゲット中間セッション管理ネットワーク要素によって、前記ソースセッション管理ネットワーク要素についての前記情報に基づいて、前記ソースセッション管理ネットワーク要素に第１のメッセージを送信するステップであって、前記第１のメッセージは、ソース中間ユーザプレーンネットワーク要素とターゲット中間ユーザプレーンネットワーク要素との間の転送トンネルの確立のために利用可能であり、前記ソース中間ユーザプレーンネットワーク要素は、前記ソースセッション管理ネットワーク要素によって制御され、かつソース基地局に通信可能に接続されるユーザプレーンネットワーク要素であり、前記ターゲット中間ユーザプレーンネットワーク要素は、前記ターゲット中間セッション管理ネットワーク要素によって制御され、かつターゲット基地局に通信可能に接続されるユーザプレーンネットワーク要素である、ステップと、
を含む、方法。
【請求項２】
前記方法は、
前記ターゲット中間セッション管理ネットワーク要素によって、前記ソースセッション管理ネットワーク要素についての前記情報に基づいて、アンカーユーザプレーンネットワーク要素のアップリンクトンネル情報を前記ソースセッション管理ネットワーク要素から取得するステップと、
前記ターゲット中間セッション管理ネットワーク要素によって、前記ターゲット中間ユーザプレーンネットワーク要素に、前記アンカーユーザプレーンネットワーク要素の前記アップリンクトンネル情報に基づいて、前記ターゲット中間ユーザプレーンネットワーク要素と前記アンカーユーザプレーンネットワーク要素との間のアップリンクトンネルを確立するように指示するステップと
をさらに含む
請求項１に記載の方法。
【請求項３】
前記方法は、
前記ターゲット中間セッション管理ネットワーク要素によって、アンカーセッション管理ネットワーク要素についての情報を取得するステップと、
前記ターゲット中間セッション管理ネットワーク要素によって、前記アンカーセッション管理ネットワーク要素についての前記情報に基づいて、前記ターゲット中間ユーザプレーンネットワーク要素のダウンリンクトンネル情報を前記アンカーセッション管理ネットワーク要素に送信するステップであって、前記ダウンリンクトンネル情報は、アンカーユーザプレーンネットワーク要素と前記ターゲット中間ユーザプレーンネットワーク要素との間のダウンリンクトンネルの確立のために利用可能である、ステップと
をさらに含む
請求項１又は２に記載の方法。
【請求項４】
前記ターゲット中間セッション管理ネットワーク要素によって、前記ソースセッション管理ネットワーク要素についての前記情報に基づいて、前記ソースセッション管理ネットワーク要素に第１のメッセージを送信する前記ステップの前に、
前記ターゲット中間セッション管理ネットワーク要素によって、第１の指示情報を取得するステップであって、前記第１の指示情報は、前記ターゲット中間セッション管理ネットワーク要素に前記転送トンネルを確立するように指示する、ステップをさらに含む、
請求項１〜３のいずれか１項に記載の方法。
【請求項５】
前記ターゲット中間セッション管理ネットワーク要素によって、第１の指示情報を取得するステップは、
前記ターゲット中間セッション管理ネットワーク要素によって、前記第１の指示情報を前記ソースセッション管理ネットワーク要素から取得するステップを含む、
請求項４に記載の方法。
【請求項６】
前記ターゲット中間セッション管理ネットワーク要素によって、第１の指示情報を取得する前記ステップの後に、前記ターゲット中間セッション管理ネットワーク要素によって、前記第１の指示情報に従って、前記ターゲット中間ユーザプレーンネットワーク要素に、前記転送トンネルを確立するように指示するステップをさらに含む、
請求項４又は５に記載の方法。
【請求項７】
前記第１のメッセージは、前記ターゲット中間ユーザプレーンネットワーク要素に対応する転送トンネル情報を含む、
請求項１〜６のいずれか１項に記載の方法。
【請求項８】
ターゲット中間セッション管理ネットワーク要素によって、ソースセッション管理ネットワーク要素についての情報を取得する前記ステップは、
前記ターゲット中間セッション管理ネットワーク要素によって、前記ソースセッション管理ネットワーク要素についての前記情報をモビリティ管理ネットワーク要素から取得するステップを含む、
請求項１〜７のいずれか１項に記載の方法。
【請求項９】
前記方法は、
前記ターゲット中間セッション管理ネットワーク要素によって、転送トンネルリリースタイマを設定するステップと、
前記転送トンネルリリースタイマが終了したとき、前記ターゲット中間セッション管理ネットワーク要素によって、前記ターゲット中間ユーザプレーンネットワーク要素に、前記転送トンネルをリリースするように指示するステップと
をさらに含む、
請求項１〜８のいずれか１項に記載の方法。
【請求項１０】
通信方法であって、前記方法は、
ソースセッション管理ネットワーク要素によって、第１のメッセージをターゲット中間セッション管理ネットワーク要素から受信するステップであって、前記第１のメッセージは、ソース中間ユーザプレーンネットワーク要素とターゲット中間ユーザプレーンネットワーク要素との間の転送トンネルの確立に利用可能であり、前記ソース中間ユーザプレーンネットワーク要素は、前記ソースセッション管理ネットワーク要素によって制御され、かつソース基地局に通信可能に接続されるユーザプレーンネットワーク要素であり、前記ターゲット中間セッション管理ネットワーク要素は、ターゲット基地局に通信可能に接続される前記ターゲット中間ユーザプレーンネットワーク要素を制御するセッション管理ネットワーク要素である、ステップと、
前記ソースセッション管理ネットワーク要素によって、前記第１のメッセージに基づいて、前記ソース中間ユーザプレーンネットワーク要素に前記転送トンネルを確立するように指示するステップと
を含む、方法。
【請求項１１】
前記方法は、
前記ソースセッション管理ネットワーク要素によって、アンカーユーザプレーンネットワーク要素のアップリンクトンネル情報を前記ターゲット中間セッション管理ネットワーク要素に送信するステップであって、前記アンカーユーザプレーンネットワーク要素の前記アップリンクトンネル情報は、前記ターゲット中間ユーザプレーンネットワーク要素と前記アンカーユーザプレーンネットワーク要素との間のアップリンクトンネルの確立のために利用可能である、ステップをさらに含む、
請求項１０に記載の方法。
【請求項１２】
前記方法は、前記ソースセッション管理ネットワーク要素によって、アンカーセッション管理ネットワーク要素についての情報を前記ターゲット中間セッション管理ネットワーク要素に送信するステップをさらに含み、前記アンカーセッション管理ネットワーク要素は、アンカーユーザプレーンネットワーク要素を制御するセッション管理ネットワーク要素である、
請求項１０又は１１に記載の方法。
【請求項１３】
ソースセッション管理ネットワーク要素によって、第１のメッセージをターゲット中間セッション管理ネットワーク要素から受信する前記ステップの前に、
前記ソースセッション管理ネットワーク要素によって、前記転送トンネルが確立される必要があると決定するステップと、
前記ソースセッション管理ネットワーク要素によって、第１の指示情報を前記ターゲット中間セッション管理ネットワーク要素又はモビリティ管理ネットワーク要素に送信するステップであって、前記第１の指示情報は、前記ターゲット中間セッション管理ネットワーク要素に前記転送トンネルを確立するように指示する、ステップとをさらに含む、
請求項１０〜１２のいずれか１項に記載の方法。
【請求項１４】
前記ソースセッション管理ネットワーク要素によって、前記転送トンネルが確立される必要があると決定する前記ステップは、
前記ソースセッション管理ネットワーク要素又は前記ソース中間ユーザプレーンネットワーク要素が、端末デバイスへの到来ダウンリンクデータを持っていることに応じて、前記ソースセッション管理ネットワーク要素によって、前記転送トンネルが確立される必要があると決定するステップを含む
請求項１３に記載の方法。
【請求項１５】
前記第１のメッセージは、前記ターゲット中間ユーザプレーンネットワーク要素に対応する転送トンネル情報を含む
請求項１０〜１４のいずれか１項に記載の方法。
【請求項１６】
前記方法は、
前記ソースセッション管理ネットワーク要素によって、転送トンネルリリースタイマを設定するステップと、
前記転送トンネルリリースタイマが終了したとき、前記ソース中間ユーザプレーンネットワーク要素に前記転送トンネルをリリースするように指示するステップと
をさらに含む
請求項１０〜１５のいずれか１項に記載の方法。
【請求項１７】
装置であって、前記装置は、処理ユニットとトランシーバユニットとを備え、
前記処理ユニットは、ソースセッション管理ネットワーク要素についての情報を取得するように構成され、
前記トランシーバユニットは、前記ソースセッション管理ネットワーク要素についての前記情報に基づいて、第１のメッセージを前記ソースセッション管理ネットワーク要素に送信するように構成され、
前記第１のメッセージは、ソース中間ユーザプレーンネットワーク要素とターゲット中間ユーザプレーンネットワーク要素との間の転送トンネルの確立のために利用可能であり、
前記ソース中間ユーザプレーンネットワーク要素は、前記ソースセッション管理ネットワーク要素によって制御され、かつソース基地局に通信可能に接続されるユーザプレーンネットワーク要素であり、
前記ターゲット中間ユーザプレーンネットワーク要素は、ターゲット中間セッション管理ネットワーク要素によって制御され、かつターゲット基地局に通信可能に接続されるユーザプレーンネットワーク要素である、
装置。
【請求項１８】
前記トランシーバユニットは、前記ソースセッション管理ネットワーク要素についての前記情報に基づいて、アンカーユーザプレーンネットワーク要素のアップリンクトンネル情報を前記ソースセッション管理ネットワーク要素から取得するようにさらに構成され、
前記トランシーバユニットは、前記ターゲット中間ユーザプレーンネットワーク要素に、前記アンカーユーザプレーンネットワーク要素の前記アップリンクトンネル情報に基づいて、前記ターゲット中間ユーザプレーンネットワーク要素と前記アンカーユーザプレーンネットワーク要素との間のアップリンクトンネルを確立するように指示するようにさらに構成される
請求項１７に記載の装置。
【請求項１９】
前記トランシーバユニットは、アンカーセッション管理ネットワーク要素についての情報を取得するようにさらに構成され、
前記トランシーバユニットは、前記アンカーセッション管理ネットワーク要素についての前記情報に基づいて、前記ターゲット中間ユーザプレーンネットワーク要素のダウンリンクトンネル情報を前記アンカーセッション管理ネットワーク要素に送信するようにさらに構成され、前記ダウンリンクトンネル情報は、アンカーユーザプレーンネットワーク要素と前記ターゲット中間ユーザプレーンネットワーク要素との間のダウンリンクトンネルの確立のために利用可能である
請求項１７又は１８に記載の装置。
【請求項２０】
前記トランシーバユニットは、第１の指示情報を取得するようにさらに構成され、前記第１の指示情報は、前記ターゲット中間セッション管理ネットワーク要素に前記転送トンネルを確立するように指示する
請求項１７〜１９のいずれか１項に記載の装置。
【請求項２１】
前記第１の指示情報が取得された後、前記処理ユニットは、前記第１の指示情報に従って、前記ターゲット中間ユーザプレーンネットワーク要素に、前記転送トンネルを確立するように指示するようにさらに構成される
請求項２０に記載の装置。
【請求項２２】
前記第１のメッセージは、前記ターゲット中間ユーザプレーンネットワーク要素に対応する転送トンネル情報を含む
請求項１７〜２１のいずれか１項に記載の装置。
【請求項２３】
前記処理ユニットは、
転送トンネルリリースタイマを設定し、
前記転送トンネルリリースタイマが終了したときに、前記ターゲット中間ユーザプレーンネットワーク要素に前記転送トンネルをリリースするように指示する
ようにさらに構成される
請求項１７〜２２のいずれか１項に記載の装置。
【請求項２４】
装置であって、前記装置は、処理ユニットと、トランシーバユニットとを備え、
前記トランシーバユニットは、第１のメッセージをターゲット中間セッション管理ネットワーク要素から受信するように構成され、前記第１のメッセージは、ソース中間ユーザプレーンネットワーク要素とターゲット中間ユーザプレーンネットワーク要素との間の転送トンネルの確立のために利用可能であり、前記ソース中間ユーザプレーンネットワーク要素は、ソースセッション管理ネットワーク要素によって制御され、かつソース基地局に通信可能に接続されるユーザプレーンネットワーク要素であり、前記ターゲット中間セッション管理ネットワーク要素は、ターゲット基地局に通信可能に接続される前記ターゲット中間ユーザプレーンネットワーク要素を制御するセッション管理ネットワーク要素であり、
前記処理ユニットは、前記第１のメッセージに基づいて、前記ソース中間ユーザプレーンネットワーク要素に前記転送トンネルを確立するように指示するように構成される、
装置。
【請求項２５】
前記トランシーバユニットは、アンカーユーザプレーンネットワーク要素のアップリンクトンネル情報を前記ターゲット中間ユーザプレーンネットワーク要素に送信するようにさらに構成され、前記アンカーユーザプレーンネットワーク要素の前記アップリンクトンネル情報は、前記ターゲット中間ユーザプレーンネットワーク要素とアンカーユーザプレーンネットワーク要素との間のアップリンクトンネルの確立のために利用可能である
請求項２４に記載の装置。
【請求項２６】
前記トランシーバユニットは、アンカーセッション管理ネットワーク要素についての情報を前記ターゲット中間セッション管理ネットワーク要素に送信するようにさらに構成され、前記アンカーセッション管理ネットワーク要素は、アンカーユーザプレーンネットワーク要素を制御するセッション管理ネットワーク要素である
請求項２４又は２５に記載の装置。
【請求項２７】
前記トランシーバユニットが前記第１のメッセージを前記ターゲット中間セッション管理ネットワーク要素から受信する前に、前記処理ユニットは、前記転送トンネルが確立される必要があると決定するようにさらに構成され、
前記トランシーバユニットは、第１の指示情報を前記ターゲット中間セッション管理ネットワーク要素に送信するようにさらに構成され、前記第１の指示情報は、前記ターゲット中間セッション管理ネットワーク要素に前記転送トンネルを確立するように指示する
請求項２４〜２６のいずれか１項に記載の装置。
【請求項２８】
前記処理ユニットが、前記転送トンネルが確立される必要があると決定するように構成されることは、
前記ソースセッション管理ネットワーク要素又は前記ソース中間ユーザプレーンネットワーク要素が、端末デバイスへの到来ダウンリンクデータを持っていることに応じて、前記転送トンネルが確立される必要があると決定することを含む
請求項２７に記載の装置。
【請求項２９】
装置であって、前記装置は、プロセッサとメモリとを備え、前記メモリは、コンピュータプログラムを格納し、前記プロセッサは、前記メモリに格納された前記コンピュータプログラムを呼び出して実行して、請求項１〜９、又は１０〜１６のいずれか１項に記載の前記方法を実行するように構成される
装置。
【請求項３０】
通信システムであって、前記通信システムは、ターゲット中間セッション管理ネットワーク要素と、ソースセッション管理ネットワーク要素とを含み、
前記ターゲット中間セッション管理ネットワーク要素は、前記ソースセッション管理ネットワーク要素についての情報を取得し、前記ソースセッション管理ネットワーク要素についての前記情報に基づいて、第１のメッセージを前記ソースセッション管理ネットワーク要素に送信するように構成され、
前記ソースセッション管理ネットワーク要素は、前記第１のメッセージを前記ターゲット中間セッション管理ネットワーク要素から受信し、前記第１のメッセージに基づいて、ソース中間ユーザプレーンネットワーク要素に転送トンネルを確立するように指示するように構成され、
前記第１のメッセージは、前記ソース中間ユーザプレーンネットワーク要素とターゲット中間ユーザプレーンネットワーク要素との間の転送トンネルの確立のために利用可能であり、前記ソース中間ユーザプレーンネットワーク要素は、前記ソースセッション管理ネットワーク要素によって制御され、かつソース基地局に通信可能に接続されるユーザプレーンネットワーク要素であり、前記ターゲット中間ユーザプレーンネットワーク要素は、前記ターゲット中間セッション管理ネットワーク要素によって制御され、かつターゲット基地局に通信可能に接続されるユーザプレーンネットワーク要素である
通信システム。
【請求項３１】
前記ソースセッション管理ネットワーク要素は、前記転送トンネルが確立される必要があると決定し、第１の指示情報を前記ターゲット中間セッション管理ネットワーク要素に送信するようにさらに構成され、前記第１の指示情報は、前記ターゲット中間セッション管理ネットワーク要素に前記転送トンネルを確立するように指示する
請求項３０に記載のシステム。
【請求項３２】
コンピュータ可読記録媒体であって、前記コンピュータ可読記録媒体は、命令を格納し、前記命令がコンピュータ上で実行されたとき、前記コンピュータは、請求項１〜９のいずれか１項、又は請求項１０〜１６のいずれか１項に記載の前記通信方法を実行することが可能になる、コンピュータ可読記録媒体。
【請求項３３】
コンピュータプログラムであって、前記コンピュータプログラムは、命令を格納し、前記命令がコンピュータ上で実行されたとき、前記コンピュータは、請求項１〜９のいずれか１項、又は請求項１０〜１６のいずれか１項に記載の前記通信方法を実行することが可能になる、コンピュータプログラム製品。
【手続補正２】
【補正対象書類名】明細書
【補正対象項目名】全文
【補正方法】変更
【補正の内容】
【発明の詳細な説明】
【技術分野】
【０００１】
本出願は、２０１８年３月３０日に中国国家知識産権局で出願された「ＣＯＭＭＵＮＩＣＡＴＩＯＮＳ  ＭＥＴＨＯＤ，ＡＰＰＡＲＡＴＵＳ，ＡＮＤ  ＳＹＳＴＥＭ」と題する中国特許出願第２０１８１０２７８０４５．３号明細書に対する優先権を主張するものであり、その全体が参照により本明細書に組み込まれる。
【０００２】
本出願は、通信技術の分野に関し、特に、通信方法、装置、及びシステムに関する。
【背景技術】
【０００３】
従来の通信システムは、アクセスネットワークと、コアネットワークの２つの部分を含む。アクセスネットワークは、移動体通信システムのエッジにあり、端末デバイスをコアネットワークに接続することを扱う。コアネットワークは、端末デバイスを様々なデータネットワーク（ｄａｔａ  ｎｅｔｗｏｒｋ、ＤＮ）に接続し、課金及びモビリティ管理などの機能を実施することを担う。アクセスネットワークのアクセス機能は、主として基地局を用いることにより実施される。コアネットワークは、主として、以下のコアネットワークデバイスを含む、即ち、モビリティ管理ネットワーク要素、セッション管理ネットワーク要素、ユーザプレーンネットワーク要素などである。
【０００４】
端末デバイスがデータネットワークへのアクセスを要求するとき、コアネットワークは、端末デバイスに対してセッションを確立する。このように端末デバイスは、通信サービスを行うために、セッションに基づいて、データをデータネットワークに送信することができる。コアネットワークがセッションを確立するとき、以下の手順が行われる。
【０００５】
まず、端末デバイスが、セッションの確立を要求する、又はサービスを要求する要求メッセージを基地局に送り、基地局は、端末デバイスによって送られた要求メッセージを、モビリティ管理ネットワーク要素に送る。モビリティ管理ネットワーク要素は、要求メッセージに基づいて、セッション管理ネットワーク要素を決定し、セッション要求を、セッション管理ネットワーク要素に送る。セッション要求を受信した後、セッション管理ネットワーク要素は、セッション管理ネットワーク要素のサービスエリアにおけるユーザプレーンネットワーク要素を選択して、ユーザプレーンネットワーク要素に対するセッション確立手順を開始する。最後に、完全なセッションが確立される。
【０００６】
いくつかのシナリオでは、端末デバイスのセッションは、例えば、基地局に接続された中間ユーザプレーンネットワーク要素、及びＤＮに接続されたアンカーユーザプレーンネットワーク要素など、複数のユーザプレーンネットワーク要素に関連し得る。中間ユーザプレーンネットワーク要素及びアンカーユーザプレーンネットワーク要素が、異なるサービスエリアに位置する場合、対応するサービスエリアのセッション管理ネットワーク要素は、中間ユーザプレーンネットワーク要素又はアンカーユーザプレーンネットワーク要素をそれぞれ管理する必要がある。言い換えると、中間セッション管理ネットワーク要素は、中間ユーザプレーンネットワーク要素が位置するサービスエリア１において中間ユーザプレーンネットワーク要素を管理し、またアンカーセッション管理ネットワーク要素は、アンカーユーザプレーンネットワーク要素が位置するサービスエリア２においてアンカーユーザプレーンネットワーク要素を管理する。
【０００７】
端末デバイスのモビリティにより、端末デバイスは、サービスエリア１からサービスエリア３へと移動することがある。この場合、コアネットワークにおいて、サービスエリア３における新しい中間ユーザプレーンネットワーク要素が、端末デバイスのサービス連続性を保証するために、端末デバイスのセッションを再確立するように選択される必要がある。従って、コアネットワークにおいて、サービスエリア３における中間セッション管理ネットワーク要素が、新しい中間ユーザプレーンネットワーク要素を管理する必要がある。
【０００８】
しかし、現在、セッション管理ネットワーク要素間でハンドオーバを実施するための技術的な解決策が存在しない。その結果、コアネットワークにおいて、新しい中間ユーザプレーンネットワーク要素を管理する中間セッション管理ネットワーク要素が、サービスエリア３において決定されることができない。従って、セッションは、再確立されることができない。
【発明の概要】
【０００９】
本出願は、セッション管理ネットワーク要素間のハンドオーバを実施するための通信方法、装置、及びシステムを提供する。
【００１０】
第１の態様によれば、本出願の実施形態は、通信方法を提供し、また方法は、セッション管理ネットワーク要素、又はセッション管理ネットワーク要素におけるチップによって実施され得る。セッション管理ネットワーク要素は、５Ｇ通信におけるＳＭＦエンティティであり得るが、将来の通信において、セッション管理機能を有する別のエンティティであってもよい。方法は、以下のステップを含む、即ち、まず、ターゲット中間セッション管理ネットワーク要素は、ソースセッション管理ネットワーク要素に関する情報を取得し、次いで、ソースセッション管理ネットワーク要素に関する情報に基づいて、ソースセッション管理ネットワーク要素に第１のメッセージを送る。ソースセッション管理ネットワーク要素は、ソース基地局と通信可能に接続されたユーザプレーンネットワーク要素を制御するセッション管理ネットワーク要素である。第１のメッセージは、ソース中間ユーザプレーンネットワーク要素からターゲット中間ユーザプレーンネットワーク要素への転送トンネルを確立するために使用され、ソース中間ユーザプレーンネットワーク要素は、ソースセッション管理ネットワーク要素により制御され、かつソース基地局に通信可能に接続されたユーザプレーンネットワーク要素であり、またターゲット中間ユーザプレーンネットワーク要素は、ターゲット中間セッション管理ネットワーク要素により制御され、かつターゲット基地局と通信可能に接続されたユーザプレーンネットワーク要素である。
【００１１】
前述の方法によれば、ソース中間ユーザプレーンネットワーク要素からターゲット中間ユーザプレーンネットワーク要素への転送トンネルが確立され、従って、ソース中間ユーザプレーンネットワーク要素は、転送トンネルを介してターゲット中間ユーザプレーンネットワーク要素にデータを転送し、ターゲット中間セッション管理ネットワーク要素から、ソースセッション管理ネットワーク要素へのハンドオーバを実施し、端末デバイスのセッションを維持し、端末デバイスのサービス連続性を保証することができる。
【００１２】
可能な設計では、ターゲット中間セッション管理ネットワーク要素が、ソースセッション管理ネットワーク要素に関する情報に基づいて、第１のメッセージをソースセッション管理ネットワーク要素に送る前に、ターゲット中間セッション管理ネットワーク要素は、まず第１の指示情報を取得し得る。第１の指示情報は、ターゲット中間セッション管理ネットワーク要素に、転送トンネルを確立するように指示する。
【００１３】
前述の方法によれば、ターゲット中間セッション管理ネットワーク要素は、第１の指示情報を取得することにより、現在、転送トンネルが確立される必要があると決定し、次いで、転送トンネルを確立することができる。これは、転送トンネルを確立する柔軟性及び効率を向上させることができる。
可能な設計では、ターゲット中間セッション管理ネットワーク要素は、複数の方法で第１の指示情報を取得するが、２つの方法が列挙される。
【００１４】
方法１：ターゲット中間セッション管理ネットワーク要素は、ソースセッション管理ネットワーク要素から第１の指示情報を取得し得る。この場合、ターゲット中間セッション管理ネットワーク要素は、第１の指示情報を取得するために、ソースセッション管理ネットワーク要素と直接対話することができる。
方法２：ターゲット中間セッション管理ネットワーク要素は、第１の指示情報を、モビリティ管理ネットワーク要素から取得する。
【００１５】
前述の方法によれば、第１の指示情報は、異なるネットワーク要素により、ターゲット中間セッション管理ネットワーク要素に送られ得る。転送トンネルを確立する異なる方法が提供され、異なるシナリオに適用されて、広範囲なアプリケーションシナリオを保証し得るようにする。
【００１６】
可能な設計では、第１の指示情報を取得した後、ターゲット中間セッション管理ネットワーク要素は、第１の指示情報に従って、ターゲット中間ユーザプレーンネットワーク要素に、転送トンネルを確立するように示し得る。
【００１７】
前述の方法によれば、第１の指示情報は、転送トンネルを確立するための表示として使用され、従って、転送トンネルは、成功裏に確立されることができ、転送トンネルを確立する効率が向上されることができる。
【００１８】
可能な設計では、第１のメッセージは、転送トンネルを識別するために使用される情報を含んでもよく、特に、第１のメッセージは、ターゲット中間ユーザプレーンネットワーク要素に対応する転送トンネル情報を含む。
【００１９】
前述の方法によれば、第１のメッセージは、ターゲット中間ユーザプレーンネットワーク要素に対応する転送トンネル情報を含み、従って、ターゲット中間セッション管理ネットワーク要素は、簡便にかつ迅速に転送トンネルを確立することができる。
【００２０】
可能な設計では、ターゲット中間セッション管理ネットワーク要素が、ソースセッション管理ネットワーク要素と直接対話できるようにするために、ターゲット中間セッション管理ネットワーク要素は、ソースセッション管理ネットワーク要素に関する情報を取得する必要がある。具体的には、ターゲット中間セッション管理ネットワーク要素は、ソースセッション管理ネットワーク要素に関する情報を、モビリティ管理ネットワーク要素から取得する。
【００２１】
前述の方法によれば、ターゲット中間セッション管理ネットワーク要素は、ソースセッション管理ネットワーク要素に関する情報を取得し、従って、ターゲット中間セッション管理ネットワーク要素は、ソースセッション管理ネットワーク要素と直接対話することができる。ソースセッション管理ネットワーク要素が、ターゲット中間セッション管理ネットワーク要素と直接対話する方法は、比較的速く、効率的であり、転送トンネルを確立する効率が向上されることができる。
【００２２】
可能な設計では、転送トンネルを確立した後、ターゲット中間セッション管理ネットワーク要素は、転送トンネルリリースタイマを設定し、転送トンネルリリースタイマが終了したとき、ターゲット中間セッション管理ネットワーク要素は、中間ユーザプレーンネットワーク要素に、転送トンネルをリリースするように指示する。
【００２３】
前述の方法によれば、トンネルリソースが節約できるように、転送トンネルリリースタイマが設定される。転送トンネルがリリースされるとき、転送トンネルリリースタイマが終了したかどうかだけが決定される必要があり、ターゲット中間セッション管理ネットワーク要素は、他のシグナリングを送る必要がなく、従って、シグナリングリソースが、有効に節約されることができる。
【００２４】
可能な設計では、転送トンネルに加えて、ターゲット中間ユーザプレーンネットワーク要素とアンカーユーザプレーンネットワーク要素の間のトンネルが、さらに確立され得る。具体的な処理は以下のようになる、即ち、
【００２５】
ターゲット中間セッション管理ネットワーク要素は、ソースセッション管理ネットワーク要素に関する情報に基づいて、ソースセッション管理ネットワーク要素からセッション情報を取得する、又はターゲット中間セッション管理ネットワーク要素は、モビリティ管理ネットワーク要素からセッション情報を受信する、また
【００２６】
ターゲット中間セッション管理ネットワーク要素は、セッション情報に基づいて、ターゲット中間ユーザプレーンネットワーク要素とアンカーユーザプレーンネットワーク要素の間でトンネルを確立する。
【００２７】
セッション情報は、以下の少なくとも一方を含む、即ち、アンカーユーザプレーンネットワーク要素のアップリンクトンネル情報、及びアンカーセッション管理ネットワーク要素に関する情報であり、またアンカーセッション管理ネットワーク要素は、アンカーユーザプレーンネットワーク要素を制御するセッション管理ネットワーク要素である。
【００２８】
前述の方法によれば、データネットワークと端末デバイスの間で送信される必要のあるデータは、ターゲット中間ユーザプレーンネットワーク要素とアンカーユーザプレーンネットワーク要素の間のトンネルを介して送信され得るが、従って、端末デバイスは、適時にデータを受信し、送ることができ、それにより、端末デバイスのサービス連続性を保証する。
【００２９】
可能な設計では、第１の指示情報は、セッション情報で搬送され得る。
【００３０】
前述の方法によれば、セッション情報及び第１の指示情報は、共に送られてもよく、従って、シグナリングリソースが、有効に節約され、効率が向上されることができる。
【００３１】
可能な設計では、ソースセッション管理ネットワーク要素に関する情報は、セッション情報において搬送され得る。
【００３２】
前述の方法によれば、セッション情報、及びソースセッション管理ネットワーク要素に関する情報は、共に送られてもよく、従って、シグナリングソースは、有効に節約され、効率が向上されることができる。
【００３３】
第２の態様によれば、本出願の実施形態は、通信方法を提供し、方法は、セッション管理ネットワーク要素、又はセッション管理ネットワーク要素におけるチップにより実施され得る。セッション管理ネットワーク要素は、５Ｇ通信におけるＳＭＦエンティティであり得るが、将来の通信において、セッション管理機能を有する別のエンティティであってもよい。方法は、以下のステップを含む、即ち、まず、ソースセッション管理ネットワーク要素は、ターゲット中間セッション管理ネットワーク要素から第１のメッセージを受信し、次いで、第１のメッセージに基づいて、ソース中間ユーザプレーンネットワーク要素に、転送トンネルを確立するように指示する。
【００３４】
第１のメッセージは、ソース中間ユーザプレーンネットワーク要素からターゲット中間ユーザプレーンネットワーク要素への転送トンネルを確立するために使用され、ソース中間ユーザプレーンネットワーク要素は、ソースセッション管理ネットワーク要素により制御され、かつソース基地局と通信可能に接続されたユーザプレーンネットワーク要素であり、またターゲット中間セッション管理ネットワーク要素は、ターゲット基地局と通信可能に接続されたターゲット中間ユーザプレーンネットワーク要素を制御するセッション管理ネットワーク要素である。
【００３５】
前述の方法によれば、ソース中間ユーザプレーンネットワーク要素からターゲット中間ユーザプレーンネットワーク要素への転送トンネルが確立され、従って、ソース中間ユーザプレーンネットワーク要素は、データを、転送トンネルを介して、ターゲット中間ユーザプレーンネットワーク要素に転送して、ターゲット中間セッション管理ネットワーク要素からソースセッション管理ネットワーク要素へのハンドオーバを実施し、セッションを維持し、端末デバイスのサービス連続性を保証することができる。
【００３６】
可能な設計では、ソースセッション管理ネットワーク要素が、ターゲット中間セッション管理ネットワーク要素から第１のメッセージを受信する前に、ソースセッション管理ネットワーク要素は、まず転送トンネルは確立される必要があると決定し、次いで、第１の指示情報を、ターゲット中間セッション管理ネットワーク要素、又はモビリティ管理ネットワーク要素に送り得る。第１の指示情報は、ターゲット中間セッション管理ネットワーク要素に、転送トンネルを確立するように指示する。
【００３７】
前述の方法によれば、転送トンネルが確立される必要があると決定したとき、ソースセッション管理ネットワーク要素は、ターゲット中間セッション管理ネットワーク要素に、転送トンネルを確立するように指示する第１の指示情報を送る。こうすることは、転送トンネルを確立する柔軟性及び効率を向上させることができる。
【００３８】
可能な設計では、ソースセッション管理ネットワーク要素は、複数の方法で、転送トンネルが確立される必要があると決定し得る。ソースセッション管理ネットワーク要素又はソース中間ユーザプレーンネットワーク要素が、端末デバイスに送られるダウンリンクデータを有するとき、ソースセッション管理ネットワーク要素は、転送トンネルは確立される必要があると決定し得る。
【００３９】
前述の方法によれば、転送トンネルは、ダウンリンクデータが、端末デバイスに送られる必要のあるときに確立される。ソースセッション管理ネットワーク要素又はソース中間ユーザプレーンネットワーク要素は、ダウンリンクデータを、転送トンネルを介して、端末デバイスに送ってもよく、従って、端末デバイスは、データを適時に受信することができる。
【００４０】
可能な設計では、第１のメッセージは、転送トンネルを識別するために使用される情報を含み得る、具体的には、第１のメッセージは、ターゲット中間ユーザプレーンネットワーク要素に対応する転送トンネル情報を含む。
【００４１】
前述の方法によれば、第１のメッセージは、ターゲット中間ユーザプレーンネットワーク要素に対応する転送トンネル情報を含み、従って、ターゲット中間セッション管理ネットワーク要素は、簡便に、かつ迅速に転送トンネルを確立することができる。
【００４２】
可能な設計では、転送トンネルを確立した後、ソースセッション管理ネットワーク要素は、転送トンネルリリースタイマを設定してもよく、転送トンネルリリースタイマが終了したとき、ソースセッション管理ネットワーク要素は、ソース中間ユーザプレーンネットワーク要素に、転送トンネルをリリースするように指示する。
【００４３】
前述の方法によれば、トンネルリソースが節約できるように、転送トンネルリリースタイマが設定される。転送トンネルがリリースされるとき、転送トンネルリリースタイマが終了したかどうかだけが、決定される必要があり、ソースセッション管理ネットワーク要素は、他のシグナリングを送る必要がなく、従って、シグナリングリソースが有効に節約されることができる。
【００４４】
可能な設計では、その転送トンネルに加えて、ターゲット中間ユーザプレーンネットワーク要素と、アンカーユーザプレーンネットワーク要素との間で、トンネルがさらに確立され得る。具体的な処理は、以下のようになる、即ち、
【００４５】
ソースセッション管理ネットワーク要素は、セッション情報をターゲット中間セッション管理ネットワーク要素に送り、従って、ターゲット中間セッション管理ネットワーク要素は、ターゲット中間ユーザプレーンネットワーク要素とアンカーユーザプレーンネットワーク要素の間でトンネルを確立する、又は
【００４６】
ソースセッション管理ネットワーク要素は、セッション情報をモビリティ管理ネットワーク要素に送り、従って、モビリティ管理ネットワーク要素は、セッション情報を、ターゲット中間セッション管理ネットワーク要素に送る。
【００４７】
セッション情報は、以下の少なくとも一方を含む、即ち、アンカーユーザプレーンネットワーク要素のアップリンクトンネル情報、及びアンカーセッション管理ネットワーク要素に関する情報であり、またアンカーセッション管理ネットワーク要素は、アンカーユーザプレーンネットワーク要素を制御するセッション管理ネットワーク要素である。
【００４８】
前述の方法によれば、データネットワークと端末デバイスの間で送信される必要のあるデータは、ターゲット中間ユーザプレーンネットワーク要素とアンカーユーザプレーンネットワーク要素の間のトンネルを介して送信され得るが、従って、端末デバイスは、データを適時に受信し、送ることができ、それにより、端末デバイスのサービス連続性を保証する。
【００４９】
可能な設計では、第１の指示情報は、セッション情報で搬送され得る。
【００５０】
前述の方法によれば、セッション情報及び第１の指示情報は、共に送られてもよく、従って、シグナリングリソースが有効に節約され、効率が向上されることができる。
【００５１】
可能な設計では、ソースセッション管理ネットワーク要素に関する情報は、セッション情報において搬送され得る。
【００５２】
前述の方法によれば、セッション情報、及びソースセッション管理ネットワーク要素に関する情報は、共に送られてもよく、従って、シグナリングリソースが有効に節約され、効率が向上されることができる。
【００５３】
第３の態様によれば、本出願の実施形態は、通信方法を提供し、また方法は、モビリティ管理エンティティ、又はモビリティ管理エンティティにおけるチップによって実施され得る。モビリティ管理エンティティは、５Ｇ通信におけるＡＭＦエンティティであり得るが、また将来の通信において、セッション管理機能を有する別のエンティティであってもよい。方法は、以下のステップを含む、即ち、モビリティ管理ネットワーク要素は、ターゲット中間セッション管理ネットワーク要素に関する情報を取得する。モビリティ管理ネットワーク要素は、ターゲット中間セッション管理ネットワーク要素に関する情報に基づいて、ソースセッション管理ネットワーク要素に関する情報をターゲット中間セッション管理ネットワーク要素に送り、ここで、ソースセッション管理ネットワーク要素は、ソース基地局と通信可能に接続されたユーザプレーンネットワーク要素を制御するセッション管理ネットワーク要素であり、またターゲット中間セッション管理ネットワーク要素は、ターゲット基地局と通信可能に接続されたターゲット中間ユーザプレーンネットワーク要素を制御するセッション管理ネットワーク要素である。
【００５４】
前述の方法によれば、ターゲット中間セッション管理ネットワーク要素は、ソースセッション管理ネットワーク要素に関する情報を取得し、従って、ターゲット中間セッション管理ネットワーク要素が、ソースセッション管理ネットワーク要素と直接対話できるようになる。
【００５５】
可能な設計では、モビリティ管理ネットワーク要素は、第１の指示情報を、ターゲット中間セッション管理ネットワーク要素に送る。第１の指示情報は、ターゲット中間セッション管理ネットワーク要素に、ソース中間ユーザプレーンネットワーク要素からターゲット中間ユーザプレーンネットワーク要素への転送トンネルを確立するように示し、ソース中間ユーザプレーンネットワーク要素は、ソースセッション管理ネットワーク要素によって制御され、かつソース基地局と通信可能に接続されたユーザプレーンネットワーク要素である。
【００５６】
前述の方法によれば、モビリティ管理ネットワーク要素は、第１の指示情報を送ることにより、ターゲット中間セッション管理ネットワーク要素に、転送トンネルを確立するように示し、従って、転送トンネルを確立する柔軟性及び効率が向上されることができる。
【００５７】
可能な設計では、モビリティ管理ネットワーク要素が、第１の指示情報をターゲット中間セッション管理ネットワーク要素に送る前に、モビリティ管理ネットワーク要素は、まず、転送トンネルが確立される必要があると決定し得る、又はモビリティ管理ネットワーク要素は、ソースセッション管理ネットワーク要素から第１の指示情報を取得し得る。
【００５８】
前述の方法によれば、モビリティ管理ネットワーク要素は、様々な方法で第１の指示情報を決定し得るが、また転送トンネルを確立する様々な方法が提供されて、様々なシナリオに適用され、より広範囲なアプリケーションシナリオを保証し得る。
【００５９】
可能な設計では、モビリティ管理ネットワーク要素が、ソースセッション管理ネットワーク要素から、サービス要求手続きをトリガするために使用されるメッセージを受信した場合、モビリティ管理ネットワーク要素は、転送トンネルが確立される必要があると決定する。
【００６０】
前述の方法によれば、サービス要求手順がトリガされる必要のあるとき、転送トンネルが確立される。端末デバイスが確実にデータを適時に受信できるように、ソースセッション管理ネットワーク要素は、転送トンネルを使用することによってセッションを確立し得る。
【００６１】
可能な設計では、モビリティ管理ネットワーク要素は、複数の方法で、ターゲット中間セッション管理ネットワーク要素に関する情報を取得し得る。次に、２つの方法を列挙する、即ち、
【００６２】
方法１：モビリティ管理ネットワーク要素は、まず端末デバイスの位置情報を取得し、次いで、端末デバイスの位置情報に基づいて、ターゲット中間セッション管理ネットワーク要素に関する情報を選択する。
【００６３】
方法２：モビリティ管理ネットワーク要素は、ソースセッション管理ネットワーク要素から、ターゲット中間セッション管理ネットワーク要素に関する情報を受信する。
【００６４】
前述の方法によれば、ターゲット中間セッション管理ネットワーク要素に関する情報は、様々な方法で取得され、通信方法が、より多くのシナリオに適用されるように、転送トンネルを確立する複数の方法が提供される。
【００６５】
可能な設計では、転送トンネルに加えて、ターゲット中間ユーザプレーンネットワーク要素とアンカーユーザプレーンネットワーク要素の間でトンネルがさらに確立され得る。具体的な処理は、以下のようになる、即ち、
モビリティ管理ネットワーク要素は、ソースセッション管理ネットワーク要素からセッション情報を受信する、また
【００６６】
モビリティ管理ネットワーク要素は、セッション情報を、ターゲット中間セッション管理ネットワーク要素に送り、従って、ターゲット中間セッション管理ネットワーク要素が、ターゲット中間ユーザプレーンネットワーク要素とアンカーユーザプレーンネットワーク要素の間にトンネルを確立するようにする。
【００６７】
セッション情報は、以下の少なくとも１つを含む、即ち、アンカーユーザプレーンネットワーク要素のアップリンクトンネル情報、及びアンカーセッション管理ネットワーク要素に関する情報であり、アンカーセッション管理ネットワーク要素は、アンカーユーザプレーンネットワーク要素を制御するセッション管理ネットワーク要素である。
【００６８】
前述の方法によれば、データネットワークと端末デバイスの間で送信される必要のあるデータは、ターゲット中間ユーザプレーンネットワーク要素とアンカーユーザプレーンネットワーク要素の間のトンネルを介して送信されてもよく、従って、端末デバイスは、適時にデータを受信し、送ることができ、それにより、端末デバイスのサービス連続性を保証する。
【００６９】
可能な設計では、第１の指示情報は、セッション情報で搬送され得る。
【００７０】
前述の方法によれば、セッション情報及び第１の指示情報は、共に送られてもよく、従って、シグナリングリソースが有効に節約され、効率が向上されることができる。
可能な設計では、ソースセッション管理ネットワーク要素に関する情報は、セッション情報において搬送され得る。
【００７１】
前述の方法によれば、セッション情報とソースセッション管理ネットワーク要素に関する情報とは、共に送られてもよく、従って、シグナリングソースは、有効に節約され、効率が向上されることができる。
【００７２】
第４の態様によれば、本発明の実施形態は、通信システムを提供する。有益な効果については、第１の態様及び第２の態様の記述を参照のこと。詳細をここで再度説明しないものとする。通信システムは、ターゲット中間セッション管理ネットワーク要素及びソースセッション管理ネットワーク要素を含む。
【００７３】
ターゲット中間セッション管理ネットワーク要素は、ソースセッション管理ネットワーク要素に関する情報を取得し、ソースセッション管理ネットワーク要素に関する情報に基づいて、第１のメッセージを、ソースセッション管理ネットワーク要素に送るように構成され、また
【００７４】
ソースセッション管理ネットワーク要素は、第１のメッセージを、ターゲット中間セッション管理ネットワーク要素から受信し、かつ第１のメッセージに基づいて、ソース中間ユーザプレーンネットワーク要素に、転送トンネルを確立するように指示するように構成される。
【００７５】
第１のメッセージは、ソース中間ユーザプレーンネットワーク要素からターゲット中間ユーザプレーンネットワーク要素への転送トンネルを確立するために使用され、ソース中間ユーザプレーンネットワーク要素は、ソースセッション管理ネットワーク要素により制御され、かつソース基地局と通信可能に接続されたユーザプレーンネットワーク要素であり、またターゲット中間ユーザプレーンネットワーク要素は、ターゲット中間セッション管理ネットワーク要素により制御され、かつターゲット基地局と通信可能に接続されたユーザプレーンネットワーク要素である。
【００７６】
可能な設計では、ターゲット中間セッション管理ネットワーク要素から第１のメッセージを受信する前に、ソースセッション管理ネットワーク要素は、転送トンネルが確立される必要があると決定し、第１の指示情報を、ターゲット中間セッション管理ネットワーク要素に送る。第１の指示情報は、ターゲット中間セッション管理ネットワーク要素に、転送トンネルを確立するように指示する。
【００７７】
可能な設計では、ターゲット中間セッション管理ネットワーク要素は、ソースセッション管理ネットワーク要素から第１の指示情報を取得し、次いで、第１の指示情報に従って、ターゲット中間ユーザプレーンネットワーク要素に、転送トンネルを確立するように指示する。
【００７８】
可能な設計では、ソースセッション管理ネットワーク要素は、セッション情報を、ターゲット中間セッション管理ネットワーク要素に送る、ここで、セッション情報は、以下の少なくとも一方を含む、即ち、アンカーユーザプレーンネットワーク要素のアップリンクトンネル情報、及びアンカーセッション管理ネットワーク要素に関する情報であり、アンカーセッション管理ネットワーク要素は、アンカーユーザプレーンネットワーク要素を制御するセッション管理ネットワーク要素である。
【００７９】
可能な設計では、ターゲット中間セッション管理ネットワーク要素は、ソースセッション管理ネットワーク要素に関する情報に基づいて、ソースセッション管理ネットワーク要素からセッション情報をさらに取得し、次いで、セッション情報に基づいて、ターゲット中間ユーザプレーンネットワーク要素とアンカーユーザプレーンネットワーク要素の間にトンネルを確立し得る。
【００８０】
可能な設計では、通信システムは、モビリティ管理ネットワーク要素をさらに含み、モビリティ管理ネットワーク要素は、転送トンネルが確立される必要があると決定する。任意選択で、第１の指示情報は、ターゲット中間セッション管理ネットワーク要素に送られる。第１の指示情報は、ターゲット中間セッション管理ネットワーク要素に、転送トンネルを確立するように指示する。
【００８１】
可能な設計では、モビリティ管理ネットワーク要素が、ソースセッション管理ネットワーク要素から、サービス要求手順をトリガするために使用されるメッセージを受信した場合、モビリティ管理ネットワーク要素は、転送トンネルが確立される必要があると決定する。
【００８２】
通信システムにおけるターゲット中間セッション管理ネットワーク要素、ソースセッション管理ネットワーク要素、及びモビリティ管理ネットワーク要素の名前は、デバイスに対する何らかの限定を構成するものではないことを理解されたい。別のネットワークにおいては、ターゲット中間セッション管理ネットワーク要素、ソースセッション管理ネットワーク要素、及びモビリティ管理ネットワーク要素はまた、対応する機能を有する他のネットワーク要素であり得る。
【００８３】
第５の態様によれば、本出願の実施形態は、通信装置をさらに提供する。装置は、セッション管理ネットワーク要素に適用される。有益な効果については、第１の態様の記述を参照のこと。詳細をここで再度述べないものとする。装置は、第１の態様の方法例におけるアクションを実施する機能を有する。機能は、ハードウェアにより実施され得る、又は対応するソフトウェアを実行するハードウェアにより実施され得る。ハードウェア又はソフトウェアは、前述の機能に対応する１つ又は複数のモジュールを含む。可能な設計では、装置の構造は、処理ユニット及びトランシーバユニットを含む。これらのユニットは、第１の態様の前述の方法例における対応する機能を実行することができる。詳細には、方法例の詳細な記述を参照のこと。詳細をここで再度述べないものとする。
【００８４】
第６の態様によれば、本出願の実施形態は、通信装置をさらに提供する。装置は、セッション管理ネットワーク要素に適用される。有益な効果については、第２の態様の記述を参照のこと。詳細をここで再度述べないものとする。装置は、第２の態様の方法例におけるアクションを実施する機能を有する。機能は、ハードウェアにより実施される、又は対応するソフトウェアを実行するハードウェアによって実施され得る。ハードウェア又はソフトウェアは、前述の機能に対応する１つ又は複数のモジュールを含む。可能な設計では、装置の構造は、処理ユニット及びトランシーバユニットを含む。これらのユニットは、第２の態様の前述の方法例における対応する機能を実行することができる。詳細には、方法例の詳細な記述を参照のこと。詳細をここで再度述べないものとする。
【００８５】
第７の態様によれば、本出願の実施形態は、通信装置をさらに提供する。装置は、モビリティ管理ネットワーク要素に適用される。有益な効果については、第３の態様の記述を参照のこと。詳細をここで再度述べないものとする。装置は、第３の態様の方法例におけるアクションを実施する機能を有する。機能は、ハードウェアにより、又は対応するソフトウェアを実行するハードウェアにより実施され得る。ハードウェア又はソフトウェアは、前述の機能に対応する１つ又は複数のモジュールを含む。可能な設計では、装置の構造は、処理ユニット及びトランシーバユニットを含む。これらのユニットは、第３の態様の前述の方法例における対応する機能を実行することができる。詳細には、方法例の詳細な記述を参照のこと。詳細をここで再度述べないものとする。
【００８６】
第８の態様によれば、本出願の実施形態は、装置をさらに提供する。装置は、セッション管理ネットワーク要素に適用される。有益な効果については、第１の態様の記述を参照のこと。詳細をここで再度述べないものとする。通信装置の構造は、プロセッサ及びメモリを含む。プロセッサは、第１の態様の方法における対応する機能を実施する際に装置をサポートするように構成される。メモリは、プロセッサに結合されて、端末に必要なプログラム命令及びデータを記憶する。通信装置の構造は、別のデバイスと通信するように構成された通信インターフェースをさらに含む。
【００８７】
第９の態様によれば、本出願の実施形態は、装置をさらに提供する。装置は、セッション管理ネットワーク要素に適用される。有益な効果については、第２の態様の記述を参照のこと。詳細をここで再度述べないものとする。通信装置の構造は、プロセッサ及びメモリを含む。プロセッサは、第２の態様の方法における対応する機能を実施する際に装置をサポートするように構成される。メモリは、プロセッサに結合されて、端末に必要なプログラム命令及びデータを記憶する。通信装置の構造は、別のデバイスと通信するように構成された通信インターフェースをさらに含む。
【００８８】
第１０の態様によれば、本出願の実施形態は、装置をさらに提供する。装置は、モビリティ管理ネットワーク要素に適用される。有益な効果については、第３の態様の記述を参照のこと。詳細をここで再度述べないものとする。通信装置の構造は、プロセッサ及びメモリを含む。プロセッサは、第３の態様の方法における対応する機能を実施する際に装置をサポートするように構成される。メモリは、プロセッサに結合されて、端末に必要なプログラム命令及びデータを記憶する。通信装置の構造は、別のデバイスと通信するように構成された通信インターフェースをさらに含む。
【００８９】
第１１の態様によれば、本出願は、コンピュータ可読記録媒体をさらに提供する。コンピュータ可読記録媒体は、命令を記憶し、命令がコンピュータで実行されたとき、コンピュータは、前述の諸態様による方法を実施することが可能になる。
【００９０】
第１２の態様によれば、本出願は、命令を含むコンピュータプログラム製品をさらに提供する。命令がコンピュータで実行されるとき、コンピュータは、前述の諸態様による方法を実施することが可能になる。
【００９１】
第１３の態様によれば、本出願は、コンピュータチップをさらに提供する。チップは、メモリに接続される。チップは、メモリに記憶されたソフトウェアプログラムを読み取り、かつ実行して、前述の諸態様による方法を実施するように構成される。
【図面の簡単な説明】
【００９２】
【図１Ａ】本出願によるシステムアーキテクチャの概略図である。
【図１Ｂ】本出願によるシステムアーキテクチャの概略図である。
【図１Ｃ】本出願によるシステムアーキテクチャの概略図である。
【図２】本出願による通信方法の概略図である。
【図３】本出願による通信方法の概略図である。
【図４】本出願による通信方法の概略図である。
【図５】本出願による通信方法の概略図である。
【図６】本出願による通信方法のフロー図である。
【図７Ａ】本出願による通信方法のフロー図である。
【図７Ｂ】本出願による通信方法のフロー図である。
【図８】本出願による通信方法のフロー図である。
【図９】本出願による通信方法のフロー図である。
【図１０】本出願による装置の概略的な構造図である。
【図１１】本出願による装置の概略的な構造図である。
【図１２】本出願による装置の概略的な構造図である。
【図１３】本出願による装置の概略的な構造図である。
【発明を実施するための形態】
【００９３】
本出願の目的、技術的な解決策、及び利点をより明確にするために、以下では、本出願を、添付図面を参照してさらに詳細に述べる。方法実施形態における特定の動作方法はまた、装置実施形態、又はシステム実施形態に適用され得る。
【００９４】
以下では、当業者がよく理解するのを助けるために、本出願におけるいくつかの用語を述べる。
【００９５】
１．通信システムは、端末デバイスがサービスを要求したとき、対応するサービスを実施するために、端末デバイスをＤＮに接続し、かつユーザプレーンデータを端末デバイスとＤＮの間で送信するために使用される。通信システムは、アクセスネットワーク（ａｃｃｅｓｓ  ｎｅｔｗｏｒｋ、ＡＮ）と、コアネットワークとに分割される。アクセスネットワークは、端末デバイスをコアネットワークに接続するために使用され、またコアネットワークは、端末デバイスを様々なＤＮに接続するために使用される。論理的な機能分割に基づいて、コアネットワークは、制御プレーンとユーザプレーンとにさらに分割され得る。
【００９６】
さらに、本出願において通信システムの規格は限定されず、通信システムは、第３世代（３ｔｈ  ｇｅｎｅｒａｔｉｏｎ、３Ｇ）通信システム、第４世代（４ｔｈ  ｇｅｎｅｒａｔｉｏｎ、４Ｇ）通信システム、第５世代（５ｔｈ  ｇｅｎｅｒａｔｉｏｎ、５Ｇ）通信システム、及び３Ｇ通信システム、４Ｇ通信システム、又は５Ｇ通信システムに基づく進化型通信システムであってもよいことにさらに留意されたい。
【００９７】
２．本出願における制御プレーンネットワーク要素は、コアネットワークにおける制御プレーンの論理機能を扱い、制御プレーン機能（ｃｏｎｔｒｏｌ  ｐｌａｎｅ  ｆｕｎｃｔｉｏｎ、ＣＰＦ）エンティティと呼ばれることもあり、かつコアネットワークにおけるセッション管理、アクセス及びモビリティ管理、並びにポリシ制御など、制御管理機能の実施を扱うネットワーク要素である。
【００９８】
本出願における制御プレーンネットワーク要素は、主として、セッション管理ネットワーク要素、及びモビリティ管理ネットワーク要素を含む。
【００９９】
セッション管理ネットワーク要素は、例えば、ユーザプレーンネットワーク要素を端末デバイスに割り当てること、及びセッションを確立することなどのセッション管理機能を扱う。例えば、セッション管理ネットワーク要素は、セッション管理機能（ｓｅｓｓｉｏｎ  ｍａｎａｇｅｍｅｎｔ  ｆｕｎｃｔｉｏｎ、ＳＭＦ）エンティティであり得る。端末デバイスのセッションが確立された後、端末デバイスの制御プレーン経路は、１つ又は複数のセッション管理ネットワーク要素を含み得る。
【０１００】
端末デバイスの制御プレーン経路が、１つのセッション管理ネットワーク要素を含むとき、セッション管理ネットワーク要素は、端末デバイスのセッションに関連する１つ又は複数のユーザプレーンネットワーク要素を管理し得る。
【０１０１】
端末デバイスの制御プレーン経路が、複数のセッション管理ネットワーク要素を含むとき、セッション管理ネットワーク要素は、中間セッション管理ネットワーク要素と、アンカーセッション管理ネットワーク要素へと分類される。アンカーセッション管理ネットワーク要素は、端末デバイスのセッションにおいて、データネットワークに接続されたユーザプレーンネットワーク要素を制御する。例えば、アンカーセッション管理ネットワーク要素は、Ａ−ＳＭＦ（ａｎｃｈｏｒ  ＳＭＦ、ａｎｃｈｏｒ  ｓｅｓｓｉｏｎ  ｍａｎａｇｅｍｅｎｔ  ｆｕｎｃｔｉｏｎ）エンティティであり得る。中間セッション管理ネットワーク要素は、端末デバイスのセッションにおいて、基地局に接続されるユーザプレーンネットワーク要素を制御する。例えば、中間セッション管理ネットワーク要素は、Ｉ−ＳＭＦ（ｉｎｔｅｒｍｅｄｉａｔｅ  ＳＭＦ、ｉｎｔｅｒｍｅｄｉａｔｅ  ｓｅｓｓｉｏｎ  ｍａｎａｇｅｍｅｎｔ  ｆｕｎｃｔｉｏｎ）エンティティであり得る。
【０１０２】
モビリティ管理ネットワーク要素は、端末デバイスのアクセス管理及びモビリティ管理などの機能を扱う。実際の用途において、機能は、ロングタームエボリューション（ｌｏｎｇ  ｔｅｒｍ  ｅｖｏｌｕｔｉｏｎ、ＬＴＥ）のネットワークアーキテクチャにおけるモビリティ管理エンティティ（ｍｏｂｉｌｉｔｙ  ｍａｎａｇｅｍｅｎｔ  ｅｎｔｉｔｙ、ＭＭＥ）のモビリティ管理機能を含み、またアクセス管理機能をさらに含む。例えば、モビリティ管理ネットワーク要素は、アクセス及びモビリティ管理機能（ａｃｃｅｓｓ  ａｎｄ  ｍｏｂｉｌｉｔｙ  ｍａｎａｇｅｍｅｎｔ  ｆｕｎｃｔｉｏｎ、ＡＭＦ）エンティティであり得る。
【０１０３】
３．本出願におけるユーザプレーンネットワーク要素は、主として、データパケット転送、サービス品質（ｑｕａｌｉｔｙ  ｏｆ  ｓｅｒｖｉｃｅ、ＱｏＳ）制御、課金情報統計などを扱う。
【０１０４】
端末デバイスのユーザプレーン経路上で、端末デバイスのセッション（例えば、パケットデータユニット（ｐａｃｋｅｔ  ｄａｔａ  ｕｎｉｔ、ＰＤＵ）セッション）が確立された後、１つ又は複数のユーザプレーンネットワーク要素が存在し得る。ユーザプレーン経路上のユーザプレーンネットワーク要素の位置に基づき、ユーザプレーンネットワーク要素は、中間ユーザプレーンネットワーク要素とアンカーユーザプレーンネットワーク要素とに分類され得る。アンカーユーザプレーンネットワーク要素は、データネットワークに接続されるユーザプレーンネットワーク要素である。例えば、アンカーユーザプレーンネットワーク要素は、Ａ−ＵＰＦ（ａｎｃｈｏｒ  ＵＰＦ、ａｎｃｈｏｒ  ｕｓｅｒ  ｐｌａｎｅ  ｆｕｎｃｔｉｏｎ）エンティティであり得る。中間ユーザプレーンネットワーク要素は、基地局に接続されるユーザプレーンネットワーク要素である。例えば、中間ユーザプレーンネットワーク要素は、Ｉ−ＵＰＦ（ｉｎｔｅｒｍｅｄｉａｔｅ  ＵＰＦ、ｉｎｔｅｒｍｅｄｉａｔｅ  ｕｓｅｒ  ｐｌａｎｅ  ｆｕｎｃｔｉｏｎ）エンティティであり得る。
【０１０５】
４．本出願において、ユーザ機器（ｕｓｅｒ  ｅｑｕｉｐｍｅｎｔ、ＵＥ）とも呼ばれる端末デバイスは、例えば、屋内又は屋外デバイス、手持ち式デバイス、又は車両に搭載されたデバイスなど、陸上で展開され得る。代替として、端末デバイスは、水上で（例えば、船上で）展開され得る、又は空中で（例えば、飛行機、気球、又は衛星で）展開され得る。端末デバイスは、移動電話（ｍｏｂｉｌｅ  ｐｈｏｎｅ）、タブレットコンピュータ（パッド）、無線受信／送信機能を備えたコンピュータ、仮想現実（ｖｉｒｔｕａｌ  ｒｅａｌｉｔｙ、ＶＲ）デバイス、拡張現実（ａｕｇｍｅｎｔｅｄ  ｒｅａｌｉｔｙ、ＡＲ）デバイス、産業制御（ｉｎｄｕｓｔｒｉａｌ  ｃｏｎｔｒｏｌ）における無線デバイス、自動運転（ｓｅｌｆ  ｄｒｉｖｉｎｇ）における無線デバイス、遠隔医療（ｒｅｍｏｔｅ  ｍｅｄｉｃａｌ）における無線デバイス、スマートグリッド（ｓｍａｒｔ  ｇｒｉｄ）における無線デバイス、輸送安全（ｔｒａｎｓｐｏｒｔａｔｉｏｎ  ｓａｆｅｔｙ）における無線デバイス、スマートシティ（ｓｍａｒｔ  ｃｉｔｙ）における無線デバイス、スマートホーム（ｓｍａｒｔ  ｈｏｍｅ）における無線デバイスなどであり得る。
【０１０６】
５．本出願におけるアクセスネットワークデバイスは、端末デバイスに対してアクセスサービスを提供し、かつアクセスネットワークを用いることにより、ユーザが移動通信ネットワークにアクセスするのを制御する。ＡＮは、無線アクセスネットワーク（ｒａｄｉｏ  ａｃｃｅｓｓ  ｎｅｔｗｏｒｋ、ＲＡＮ）デバイス、又は別のＡＮデバイスであり得る。例えば、アクセスネットワークデバイスは、ｇＮＢ、ノードＢ（ｎｏｄｅＢ、ＮＢ）、進化型ノードＢ（ｅｖｏｌｖｅｄ  ＮｏｄｅＢ、ｅＮＢ）、無線ネットワーク制御装置（ｒａｄｉｏ  ｎｅｔｗｏｒｋ  ｃｏｎｔｒｏｌｌｅｒ、ＲＮＣ）、基地局制御装置（ｂａｓｅ  ｓｔａｔｉｏｎ  ｃｏｎｔｒｏｌｌｅｒ、ＢＳＣ）、送受信機基地局（ｂａｓｅ  ｔｒａｎｓｃｅｉｖｅｒ  ｓｔａｔｉｏｎ、ＢＴＳ）、ホーム基地局（例えば、Ｈｏｍｅ  ｅＮＢ、又はＨｏｍｅ  ＮｏｄｅＢ）、ベースバンドユニット（ｂａｓｅｂａｎｄ  ｕｎｉｔ、ＢＢＵ）、アクセスポイント（ａｃｃｅｓｓ  ｐｏｉｎｔ、ＡＰ）、又はワールドワイドインターオペラビリティフォーマイクロウェーブアクセス基地局（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ  ｂａｓｅ  ｓｔａｔｉｏｎ、ＷｉＭＡＸ  ＢＳ）であり得る。これは、本出願において限定されない。
【０１０７】
６．本出願におけるセッションは、端末デバイス、アクセスネットワークデバイス、ユーザプレーンネットワーク要素、及びデータネットワークの間の接続であり、端末デバイスとデータネットワークの間でユーザプレーンデータを送信するために使用される。
本出願において、「複数の」は、「２つ以上の」を意味することに留意されたい。
【０１０８】
さらに本出願の記述において、「第１の」、及び「第２の」などの用語は、単に区別及び説明のために使用されるに過ぎないものと理解されるべきであり、相対的な重要性を示す、又は示唆するものと理解されるべきではなく、又はシーケンスを示す、又は示唆するものと理解されるべきではない。
【０１０９】
図１Ａは、本出願による通信方法が適用できる可能な通信システムの概略図である。通信システムは、ターゲット中間セッション管理ネットワーク要素、及びソースセッション管理ネットワーク要素を含み、任意選択で、ターゲット中間セッション管理ネットワーク要素により制御されるターゲット中間ユーザプレーンネットワーク要素、及びソースセッション管理ネットワーク要素により制御されるソース中間ユーザプレーンネットワーク要素をさらに含む。任意選択で、通信システムは、モビリティ管理ネットワーク要素をさらに含み得る。
【０１１０】
通信システムにおいて、１つのセッション管理ネットワーク要素は、１つ又は複数のユーザプレーンネットワーク要素を制御してもよい。記述を簡単にするために、１つのセッション管理ネットワーク要素が、１つのユーザプレーンネットワーク要素を制御する例が、図１Ａの説明用に使用されている。
【０１１１】
端末デバイスのモビリティに起因して、端末デバイスは、現在のセッション管理ネットワーク要素（記述を簡単にするために、以下では、「ソースセッション管理ネットワーク要素」と呼ばれ得る）のサービスエリアから、別のセッション管理ネットワーク要素（以下では、「ターゲット中間セッション管理ネットワーク要素」と呼ばれ得る）のサービスエリアへと移動することがある。
【０１１２】
前述の場合、端末デバイスのセッションの連続性を保証するために、ソースセッション管理ネットワーク要素により制御されるソース中間ユーザプレーンネットワーク要素と、ターゲット中間セッション管理ネットワーク要素により制御されるターゲット中間ユーザプレーンネットワーク要素との間で転送トンネルが確立されて、ソース中間ユーザプレーンネットワーク要素が、転送トンネルを介して、データをターゲット中間ユーザプレーンネットワーク要素に確実に送れるようにする必要がある。
【０１１３】
さらに、ターゲット中間セッション管理ネットワーク要素により制御されるターゲット中間ユーザプレーンネットワーク要素は、アンカーユーザプレーンネットワーク要素とトンネルを確立する必要があり、データネットワークにおけるデータが、ターゲット中間ユーザプレーンネットワーク要素を用いることにより基地局に送られ、次いで、基地局を用いることにより、データが端末デバイスに送られることを保証する。端末デバイスのデータはまた、ターゲット基地局を用いることにより、ターゲット中間ユーザプレーンネットワーク要素に送られ、次いで、ターゲット中間ユーザプレーンネットワーク要素を用いることにより、データはデータネットワークに送られる。
通信システムで転送トンネルを確立する処理において、
【０１１４】
ターゲット中間セッション管理ネットワーク要素は、ソースセッション管理ネットワーク要素に関する情報を取得し、かつソースセッション管理ネットワーク要素に関する情報に基づいて、第１のメッセージをソースセッション管理ネットワーク要素に送るように構成され、また
【０１１５】
ソースセッション管理ネットワーク要素は、第１のメッセージを、ターゲット中間セッション管理ネットワーク要素から受信し、かつ第１のメッセージに基づいて、ソース中間ユーザプレーンネットワーク要素に、転送トンネルを確立するように指示するように構成される。
【０１１６】
第１のメッセージは、ソース中間ユーザプレーンネットワーク要素からターゲット中間ユーザプレーンネットワーク要素へと転送トンネルを確立するために使用され、ソース中間ユーザプレーンネットワーク要素は、ソースセッション管理ネットワーク要素により制御され、かつソース基地局と通信可能に接続されたユーザプレーンネットワーク要素であり、またターゲット中間ユーザプレーンネットワーク要素は、ターゲット中間セッション管理ネットワーク要素により制御され、かつターゲット基地局と通信可能に接続されたユーザプレーンネットワーク要素である。
【０１１７】
可能な実装では、ターゲット中間セッション管理ネットワーク要素から第１のメッセージを受信する前に、ソースセッション管理ネットワーク要素は、転送トンネルが確立される必要があると決定し、次いで、ターゲット中間セッション管理ネットワーク要素に第１の指示情報を送り得る。第１の指示情報は、ターゲット中間セッション管理ネットワーク要素に、転送トンネルを確立するように指示する。
【０１１８】
任意選択で、ターゲット中間セッション管理ネットワーク要素は、第１の指示情報を、ソースセッション管理ネットワーク要素から取得し、次いで、第１の指示情報に従って、ターゲット中間ユーザプレーンネットワーク要素に、転送トンネルを確立するように指示する。
【０１１９】
可能な実装では、ソースセッション管理ネットワーク要素は、セッション情報をターゲット中間セッション管理ネットワーク要素にさらに送ってもよい。セッション情報は、以下の少なくとも一方を含む、即ち、アンカーユーザプレーンネットワーク要素のアップリンクトンネル情報、及びアンカーセッション管理ネットワーク要素に関する情報であり、アンカーセッション管理ネットワーク要素は、アンカーユーザプレーンネットワーク要素を制御するセッション管理ネットワーク要素である。
【０１２０】
任意選択で、ターゲット中間セッション管理ネットワーク要素は、ソースセッション管理ネットワーク要素に関する情報に基づいて、ソースセッション管理ネットワーク要素からセッション情報をさらに取得し、次いで、セッション情報に基づき、ターゲット中間ユーザプレーンネットワーク要素とアンカーユーザプレーンネットワーク要素の間でトンネルを確立し得る。
【０１２１】
任意選択で、ターゲット中間セッション管理ネットワーク要素は、ソースセッション管理ネットワーク要素に関する情報を、モビリティ管理ネットワーク要素から取得する。
【０１２２】
任意選択で、モビリティ管理ネットワーク要素は、ターゲット中間セッション管理ネットワーク要素に関する情報を取得し、次いで、ターゲット中間セッション管理ネットワーク要素に関する情報に基づいて、ソースセッション管理ネットワーク要素に関する情報をターゲット中間セッション管理ネットワーク要素に送るように構成される。
【０１２３】
可能な実装では、モビリティ管理ネットワーク要素は、第１の指示情報を、ターゲット中間セッション管理ネットワーク要素に送る。第１の指示情報は、ターゲット中間セッション管理ネットワーク要素に、ソース中間ユーザプレーンネットワーク要素からターゲット中間ユーザプレーンネットワーク要素への転送トンネルを確立すべきであることを示し、またソース中間ユーザプレーンネットワーク要素は、ソースセッション管理ネットワーク要素により制御され、かつソース基地局と通信可能に接続されたユーザプレーンネットワーク要素である。
【０１２４】
任意選択で、モビリティ管理ネットワーク要素は、転送トンネルが確立される必要があると決定し、第１の指示情報をターゲット中間セッション管理ネットワーク要素に送る。
【０１２５】
任意選択で、モビリティ管理ネットワーク要素は、第１の指示情報をソースセッション管理ネットワーク要素から取得し、第１の指示情報をターゲット中間セッション管理ネットワーク要素に送る。
【０１２６】
任意選択で、モビリティ管理ネットワーク要素が、ソースセッション管理ネットワーク要素から、サービス要求手順をトリガするために使用されるメッセージを受信した場合、モビリティ管理ネットワーク要素は、転送トンネルが確立される必要があると決定する。
【０１２７】
可能な実装では、モビリティ管理ネットワーク要素は、ソースセッション管理ネットワーク要素からセッション情報を受信し、かつセッション情報を、ターゲット中間セッション管理ネットワーク要素に送り、従って、ターゲット中間セッション管理ネットワーク要素は、ターゲット中間ユーザプレーンネットワーク要素とアンカーユーザプレーンネットワーク要素の間にトンネルを確立する。
【０１２８】
図１Ａで示される通信システムに基づいて、本出願の実施形態は、図１Ｂ及び図１Ｃを参照して、通信システムの別の２つの可能なネットワークアーキテクチャの概略図をさらに提供する。図１Ｂ及び図１Ｃで示される通信システムはそれぞれ、ＡＭＦエンティティ、ＳＭＦエンティティ、及びＵＰＦエンティティを含み、また端末デバイス（例えば、諸図において、端末デバイスはＵＥである）、ＡＮデバイスなどをさらに含み得る。
【０１２９】
図１Ａにおけるソースセッション管理ネットワーク要素、及びモビリティ管理ネットワーク要素は、それぞれ、図１ＢのＩ−ＳＭＦ及びＡＭＦに対応する。図１Ａにおけるソース中間ユーザプレーンネットワーク要素、及びアンカーユーザプレーンネットワーク要素は、それぞれ、図１ＢにおけるＩ−ＵＰＦ及びＡ−ＵＰＦに対応する。
【０１３０】
図１Ａのソース中間セッションネットワーク要素、及びモビリティ管理ネットワーク要素は、それぞれ、図１ＣのＡ−ＳＭＦ及びＡＭＦに対応する。図１Ａのソース中間ユーザプレーンネットワーク要素及びアンカーユーザプレーンネットワーク要素は、それぞれ、図１ＣのＩ−ＵＰＦ及びＡ−ＵＰＦに対応する。
【０１３１】
ターゲット中間セッション管理ネットワーク要素及びターゲット中間ユーザプレーンネットワーク要素は、図１Ｂ及び図１Ｃに示されておらず、ターゲット中間セッション管理ネットワーク要素、及びターゲット中間ユーザプレーンネットワーク要素は、図１Ｂ及び図１ＣにおけるＳＭＦエンティティ及びＵＰＦエンティティとは異なっているが、端末デバイスが移動するサービスエリアにおけるＳＭＦエンティティ及びＵＰＦエンティティであることを理解されたい。
【０１３２】
図１Ｂで示される通信システムは、２つのＳＭＦエンティティ（Ａ−ＳＭＦエンティティ及びＩ−ＳＭＦエンティティ）、及び２つのＵＰＦエンティティ（Ａ−ＵＰＦエンティティ及びＩ−ＵＰＦエンティティ）を含み、またＵＥは、Ｉ−ＳＭＦエンティティのサービスエリアに位置する。
【０１３３】
図１Ｃで示されるネットワークアーキテクチャは、１つのＳＭＦエンティティを含み、またＳＭＦエンティティは、データネットワークに接続されたＡ−ＵＰＦエンティティを制御する。この場合、図１Ｃでは、ＳＭＦエンティティは、Ａ−ＳＭＦエンティティであり、またＵＥは、Ａ−ＳＭＦエンティティのサービスエリアに位置する。
【０１３４】
図１Ｂ及び図１ＣにおけるＲＡＮデバイス、ＳＭＦエンティティ、ＵＰＦエンティティ、ＡＭＦエンティティなどは、単に名前であり、名前は、デバイスに対する限定を構成しないことに留意されたい。５Ｇネットワーク及び別の将来のネットワークにおいては、ＲＡＮデバイス、ＳＭＦエンティティ、ＵＰＦエンティティ、ＡＭＦエンティティ、及びＵＤＭに対応するネットワーク要素は、代替として他の名前を有することもあり得る。これは、本出願の実施形態において特に限定されない。
【０１３５】
図１Ｂ及び図１Ｃで示されるネットワークアーキテクチャにおいては、ＲＡＮデバイスは、Ｎ２インターフェースを介してＡＭＦエンティティと通信し、ＲＡＮデバイスは、Ｎ３インターフェースを介してＵＰＦエンティティと通信し、ＵＰＦエンティティは、Ｎ４インターフェースを介してＳＭＦエンティティと通信し、ＵＰＦエンティティは、Ｎ９インターフェースを介して互いに通信し、かつＡＭＦエンティティは、Ｎ１１インターフェースを介してＳＭＦエンティティと通信する。
【０１３６】
説明しやすくするために、本出願においては、図１Ｂ及び図１Ｃで示される通信システムは、本出願の解決策を述べるための具体的な実施形態として使用される。
【０１３７】
図１Ｂ及び図１Ｃで示される通信システムにおいては、１つのＳＭＦエンティティが、複数のＵＰＦエンティティを制御し得る。複数のＵＰＦエンティティの位置のセットは、ＳＭＦエンティティのサービスエリアを形成し得る。ＳＭＦエンティティは、複数のＵＰＦエンティティを制御する、又は言い換えると、ＳＭＦエンティティは、複数のＵＰＦエンティティに対応し得る。
【０１３８】
端末デバイスが、現在の制御プレーン経路上のＳＭＦエンティティのサービスエリアから、別のＳＭＦエンティティのサービスエリアへと移動するとき、２つの異なるＳＭＦエンティティ間を区別しやすくするために、現在の制御プレーン経路上のＳＭＦエンティティは、ソースＳＭＦエンティティと呼ばれ、また端末デバイスが移動するエリアにおけるＳＭＦエンティティは、ターゲットＩ−ＳＭＦエンティティと呼ばれる。端末デバイスのセッション連続性を保証するために、セッションは、再確立される必要があり、また端末デバイスは、ソースＳＭＦエンティティからターゲットＩ−ＳＭＦエンティティへとハンドオーバされる必要がある。しかし、現在、ＳＭＦエンティティ間でハンドオーバを実施するための解決策は存在しない。従って、本出願は、ＳＭＦエンティティ間でハンドオーバを実施するために、図１Ａから図１Ｃで示されたシステムアーキテクチャに適用可能な通信方法を提供する。
【０１３９】
図１Ｂで示される通信システムは、２つのＳＭＦエンティティを含む、即ち、Ｉ−ＳＭＦエンティティとＡ−ＳＭＦエンティティである。端末デバイスは、現在Ｉ−ＳＭＦエンティティのサービスエリアに位置しており、端末デバイスが、現在のＩ−ＳＭＦエンティティのサービスエリアから、別のＩ−ＳＭＦエンティティのサービスエリアに移動した場合、ソースＳＭＦエンティティは、現在の制御プレーン経路上のＩ−ＳＭＦエンティティであり、またターゲットＩ−ＳＭＦエンティティは、端末デバイスが移動したエリアにおけるＳＭＦエンティティである。ソース基地局は、現在のユーザプレーン経路上のアクセスネットワークデバイスであり、またターゲット基地局は、ＳＭＦエンティティ間のハンドオーバの後、ユーザプレーン経路に追加される必要のあるアクセスネットワークデバイスである。
【０１４０】
図１Ｃで示される通信システムは、Ａ−ＳＭＦエンティティを含む。端末デバイスは、Ａ−ＳＭＦエンティティのサービスエリアに現在位置しており、端末デバイスが、現在のＡ−ＳＭＦエンティティのサービスエリアから、別のＳＭＦエンティティのサービスエリアに移動した場合、ＳＭＦエンティティが、Ｉ−ＳＭＦエンティティとして現在の制御プレーン経路に挿入される必要があり、ソースＳＭＦエンティティは、Ａ−ＳＭＦエンティティであり、またターゲットＩ−ＳＭＦエンティティは、現在挿入される必要のあるＳＭＦエンティティである。ソース基地局は、現在のユーザプレーン経路上のアクセスネットワークデバイスであり、またターゲット基地局は、ＳＭＦエンティティ間のハンドオーバの後、ユーザプレーン経路に追加される必要のあるアクセスネットワークデバイスである。
【０１４１】
端末デバイスが、ソースＳＭＦエンティティのサービスエリアからターゲットＩ−ＳＭＦエンティティのサービスエリアへと移動したとき、端末デバイスは、接続モードにあり得ることに留意されたい。言い換えると、ＮＡＳシグナリング接続が、端末デバイスとＡＭＦの間で維持される。代替として、端末デバイスは、アイドルモードにあってもよい。言い換えると、端末デバイスとＡＭＦの間にＮＡＳシグナリング接続は存在しない。本出願で提供される通信方法は、端末デバイスのモードにかかわらず適用可能である。
【０１４２】
図１Ａ、図１Ｂ、及び図１Ｃで示された通信システムのネットワークアーキテクチャに基づき、説明しやすくするために、ソースセッション管理ネットワーク要素がソースＳＭＦエンティティであること、ソースユーザプレーンネットワーク要素がソースＩ−ＵＰＦエンティティであること、ターゲット中間セッション管理ネットワーク要素がターゲットＩ−ＳＭＦエンティティであること、ターゲット中間ユーザプレーンネットワーク要素がターゲットＩ−ＵＰＦエンティティであること、アンカーユーザプレーンネットワーク要素がＡ−ＵＰＦエンティティであること、及びモビリティ管理ネットワーク要素がＡＭＦエンティティであることの例だけが、説明に対して使用される。
【０１４３】
具体的には、本出願で提供される通信方法は、２つの処理を含み得る。処理１：ソースＵＰＦエンティティからターゲットＩ−ＵＰＦエンティティへの転送トンネルを確立すること。処理２：ターゲットＩ−ＵＰＦエンティティとＡ−ＵＰＦエンティティの間にトンネルを確立すること。
【０１４４】
以下では、前述の２つの処理を個別に述べる。
【０１４５】
処理１：ソースＵＰＦエンティティからターゲットＩ−ＵＰＦエンティティへの転送トンネルを確立すること。
【０１４６】
転送トンネルは、以下の２つの通信方法において確立され得る。
【０１４７】
方法１：ターゲットＩ−ＳＭＦエンティティが、ソースＳＭＦエンティティと直接通信し、かつ対話する。
【０１４８】
方法２：ターゲットＩ−ＳＭＦエンティティが、ＡＭＦエンティティを用いることにより、ソースＳＭＦエンティティと通信し、かつ対話する。
【０１４９】
本出願で提供される通信方法を明確に述べるために、以下では、処理１で使用され得る２つの通信方法を個別に述べる。
【０１５０】
図２は、本出願の実施形態による通信方法を示す。前述の処理１における第１の通信方法は、この通信方法で使用される。図２で示されるように、方法の手順は、以下のステップを含む。
【０１５１】
Ｓ２０１：ターゲットＩ−ＳＭＦエンティティは、ソースＳＭＦエンティティに関する情報を取得する。ソースＳＭＦエンティティは、ソース基地局と通信可能に接続されたＵＰＦエンティティを制御するＳＭＦエンティティである。
【０１５２】
Ｓ２０２：ターゲットＩ−ＳＭＦエンティティは、ソースＳＭＦエンティティに関する情報に基づいて、第１のメッセージをソースＳＭＦエンティティに送り、ソースＳＭＦエンティティは、第１のメッセージを受信する。
【０１５３】
Ｓ２０３：ソースＳＭＦエンティティは、第１のメッセージに基づいて、ソースＩ−ＵＰＦエンティティに、転送トンネルを確立するように指示する。
【０１５４】
第１のメッセージは、ソースＩ−ＵＰＦエンティティからターゲットＩ−ＵＰＦエンティティへの転送トンネルを確立するために使用される。ソースＩ−ＵＰＦエンティティは、ソースＳＭＦエンティティにより制御され、かつソース基地局と通信可能に接続されたＵＰＦエンティティであり、またターゲットＩ−ＵＰＦエンティティは、ターゲットＩ−ＳＭＦエンティティにより制御され、かつターゲット基地局と通信可能に接続されたＵＰＦエンティティである。
【０１５５】
ターゲットＩ−ＳＭＦエンティティがソースＳＭＦエンティティと通信できるようにするために、ターゲットＩ−ＳＭＦエンティティは、まずソースＳＭＦエンティティに関する情報を取得する必要がある。
【０１５６】
任意選択で、ソースＳＭＦエンティティに関する情報は、ソースＳＭＦエンティティのアドレス情報、ソースＳＭＦエンティティのＩＤ、又はソースＳＭＦエンティティの完全修飾ドメイン名（ｆｕｌｌｙ  ｑｕａｌｉｆｉｅｄ  ｄｏｍａｉｎ  ｎａｍｅ、ＦＱＤＮ）であり得る。ソースＳＭＦエンティティを識別するために使用可能ないずれの情報も、本出願のこの実施形態におけるソースＳＭＦエンティティに関する情報に適用可能である。このように、ターゲットＩ−ＳＭＦエンティティは、ソースＳＭＦエンティティに関する情報に基づいて、確実にソースＳＭＦエンティティを決定することができ、かつソースＳＭＦエンティティと対話することができるようになる。
【０１５７】
ターゲットＩ−ＳＭＦエンティティが、ソースＳＭＦエンティティに関する情報を取得した後、ターゲットＩ−ＳＭＦエンティティは、ＳＭＦエンティティ間のハンドオーバが現在実施される必要があり、転送トンネルが確立される必要があると決定し得る。言い換えると、ソースＳＭＦエンティティに関する情報は、転送トンネルを確立するように指示するためのメッセージとして使用され得る。ソースＳＭＦエンティティに関する情報を取得した後、ターゲットＩ−ＳＭＦエンティティは、転送トンネルが確立される必要があると決定する。
【０１５８】
可能な実装では、ソースＳＭＦエンティティが、転送トンネルが確立される必要があると決定し、またソースＳＭＦエンティティが、第１の指示情報をターゲットＩ−ＳＭＦエンティティに送ってもよい。第１の指示情報は、ターゲットＩ−ＳＭＦエンティティに、転送トンネルを確立するように指示する。
【０１５９】
ターゲットＩ−ＳＭＦエンティティが、第１の指示情報をソースＳＭＦエンティティから取得した後、ターゲットＩ−ＳＭＦエンティティは、転送トンネルが確立される必要があると決定し得る。
具体的には、ソースＳＭＦエンティティが、転送トンネルが確立される必要があると決定する方法は、これだけに限らないが、以下の方法を含み得る。
【０１６０】
方法１：ソースＳＭＦエンティティが、端末デバイスに送られるダウンリンクデータを有するとき、ソースＳＭＦエンティティは、転送トンネルが確立される必要があると決定する、又はソースＩ−ＵＰＦエンティティが、端末デバイスに送られるダウンリンクデータを有するとき、ソースＩ−ＵＰＦエンティティは、ダウンリンクデータ通知（ｄｏｗｎｌｉｎｋ  ｄａｔａ  ｎｏｔｉｆｉｃａｔｉｏｎ）をソースＳＭＦエンティティに送り、またソースＳＭＦエンティティは、ダウンリンクデータが、現在、端末デバイスに送られる必要があると決定し、かつ転送トンネルが確立される必要があると決定し得る。
【０１６１】
方法２：ソースＳＭＦエンティティが、基地局とソースＩ−ＵＰＦの間でトンネルを確立する要求に使用される要求メッセージを送るとき、ソースＳＭＦエンティティは、セッションが、ターゲットＩ−ＳＭＦへとハンドオーバされる必要があることを知り、ソースＳＭＦエンティティは、転送トンネルが確立される必要があると決定する。
【０１６２】
端末デバイスが接続モードにあるとき、端末デバイスが、ＳＭＦエンティティ間でハンドオーバされる必要がある場合、基地局間でもハンドオーバが存在し、ターゲット基地局は、ターゲット基地局に対応する間接転送トンネル情報を割り当て、ターゲット基地局に対応する割り当てられた間接転送トンネル情報をＡＭＦエンティティに送り、次いで、ＡＭＦエンティティは、間接転送トンネル情報をターゲットＩ−ＳＭＦエンティティに送ることに留意されたい。間接転送トンネル情報を受信した後、ターゲットＩ−ＳＭＦエンティティは、間接転送トンネル情報を、転送トンネル確立表示として使用してもよく、ターゲットＩ−ＳＭＦエンティティは、転送トンネルが確立される必要があると決定する。
【０１６３】
端末デバイスがアイドルモードにあるとき、ソースＳＭＦエンティティ又はソースＩ−ＵＰＦエンティティが端末デバイスに送られるダウンリンクデータを有する場合、ソースＳＭＦエンティティ又はソースＩ−ＵＰＦエンティティは、Ｎ３トンネル確立メッセージをＡＭＦに送り、Ｎ３トンネル確立メッセージは、ＡＭＦエンティティをトリガして、基地局が端末デバイスをページングするように指示する。ページングを受信した後、端末デバイスは、サービス要求メッセージをＡＭＦエンティティに送る。言い換えると、端末デバイスがアイドルモードにあるとき、ソースＳＭＦエンティティによってサービス要求手順がトリガされる、又はソースＳＭＦエンティティ又はソースＩ−ＵＰＦエンティティが、端末デバイスに送られるダウンリンクデータをバッファしているため、サービス要求手順がトリガされる。
【０１６４】
間接転送トンネルは、ソース基地局からソースＩ−ＵＰＦ及びターゲットＩ−ＵＰＦを介してターゲット基地局への転送トンネルであり、かつ端末デバイスが接続モードにあるとき、データが、ソース基地局とターゲット基地局の間で直接転送できないために確立された転送トンネルであり、ソース基地局に送られたダウンリンクデータが、ターゲット基地局を用いることにより、端末デバイスに確実に送られるようにする（本出願のこの実施形態では、例えば、ＡＮデバイスは基地局であり、またソースＡＮデバイス及びターゲットＡＮデバイスは、それぞれ、ソース基地局及びターゲット基地局である）。間接転送トンネルは、ソースＩ−ＵＰＦからターゲットＩ−ＵＰＦへの転送トンネルを含む。
【０１６５】
端末デバイスがアイドルモードにあるとき、ソースＳＭＦエンティティ又はソースＩ−ＵＰＦエンティティが端末デバイスに送られるダウンリンクデータをバッファしている場合、サービス要求手順がトリガされる。ソースＩ−ＳＭＦ又はソースＩ−ＵＰＦにおいて、ダウンリンクデータがバッファされているので、ソースＩ−ＳＭＦ又はソースＩ−ＵＰＦにバッファされたデータが、端末デバイスに確実に送られるようにするために、ソースＩ−ＵＰＦからターゲットＩ−ＵＰＦへの転送トンネルも確立される必要がある。
【０１６６】
ターゲットＩ−ＳＭＦエンティティが、転送トンネルが確立される必要があると決定したとき、ターゲットＩ−ＳＭＦエンティティは、ターゲットＩ−ＳＭＦエンティティにより制御されるＵＰＦエンティティの中から、ターゲットＩ−ＵＰＦエンティティとしてＵＰＦエンティティを選択し、かつ第１の指示情報に従って、ターゲットＩ−ＵＰＦエンティティに、転送トンネルを確立するように指示する。
【０１６７】
ターゲットＩ−ＳＭＦエンティティは、第１の指示情報に従って複数の方法で、ターゲットＩ−ＵＰＦエンティティに、転送トンネルを確立すべきであることを示し得る。以下では、２つの方法を列挙する。
【０１６８】
方法１：ターゲットＩ−ＳＭＦエンティティは、第１の指示情報をターゲットＩ−ＵＰＦエンティティに送る。
【０１６９】
方法２：ターゲットＩ−ＳＭＦエンティティは、第２の表示メッセージをターゲットＩ−ＵＰＦエンティティに送り、ターゲットＩ−ＵＰＦエンティティが転送トンネルを確立するように指示する。
【０１７０】
任意選択で、第１のメッセージは、例えば、転送トンネルのＩＰアドレス又はトンネル識別子など、ターゲットＩ−ＵＰＦエンティティに対応する転送トンネル情報を含み得る。前述の転送トンネル情報は、単に説明用の例に過ぎず、転送トンネルを識別できるいずれの情報も、転送トンネル情報として使用され得る。
【０１７１】
ターゲットＩ−ＵＰＦエンティティに対応する転送トンネル情報は、ターゲットＩ−ＳＭＦエンティティにより決定され、かつ、ターゲットＩ−ＵＰＦエンティティに対応する転送トンネル情報に基づき、ターゲットＩ−ＳＭＦエンティティに送られる第１の指示情報又は第２の表示メッセージにおいて、ターゲットＩ−ＵＰＦエンティティに、転送トンネルを確立するように指示するために使用され得る。代替として、ターゲットＩ−ＵＰＦエンティティが、第１の指示情報又は第２の表示メッセージを受信した後、ターゲットＩ−ＵＰＦエンティティは、ターゲットＩ−ＵＰＦエンティティに対応する転送トンネル情報を決定し、かつ転送トンネルを確立し、またターゲットＩ−ＵＰＦエンティティは、転送トンネル情報をターゲットＩ−ＳＭＦに送る。
【０１７２】
ターゲットＩ−ＳＭＦエンティティは、ソースＩ−ＵＰＦエンティティからターゲットＩ−ＵＰＦエンティティへの転送トンネルを確立するために使用される第１のメッセージを決定し、第１のメッセージをソースＳＭＦエンティティに送る。
【０１７３】
任意選択で、第１のメッセージは、転送トンネルに対応するターゲットＩ−ＵＰＦエンティティに対応する転送トンネル情報を含み得る。代替として、第１のメッセージは、確立された転送トンネルが、間接転送トンネルの一部であるかどうかを示すために使用される指示情報を含み得る。
【０１７４】
第１のメッセージを受信した後、ソースＳＭＦエンティティは、第１のメッセージに基づき、ソースＩ−ＵＰＦエンティティに、転送トンネルを確立するように指示する。
【０１７５】
任意選択で、ソースＩ−ＵＰＦエンティティに、転送トンネルを確立するように指示するとき、ソースＳＭＦエンティティは、ソースＩ−ＵＰＦに、第１のメッセージにおいて、ターゲットＩ−ＵＰＦに対応する転送トンネル情報を送り得る。
【０１７６】
任意選択で、ソースＳＭＦエンティティが、ソースＩ−ＵＰＦエンティティに、転送トンネルを確立するように指示する処理において、ソースＳＭＦは、ソースＩ−ＵＰＦに対応する転送トンネル情報を取得し得る。
【０１７７】
具体的には、ソースＳＭＦは、以下の２つの方法で、ソースＩ−ＵＰＦに対応する転送トンネル情報を取得し得る。方法１：ソースＳＭＦは、ソースＩ−ＵＰＦに対応する転送トンネル情報を割り当て、ソースＩ−ＵＰＦに対応する転送トンネル情報をソースＩ−ＵＰＦに送る。方法２：ソースＳＭＦは、ソースＩ−ＵＰＦに、ソースＩ−ＵＰＦに対応する転送トンネル情報を割り当てるように要求し、ソースＩ−ＵＰＦによって割り当てられたソースＩ−ＵＰＦに対応する転送トンネル情報を受信する。
【０１７８】
任意選択で、転送トンネルを確立した後、ソースＩ−ＵＰＦエンティティは、ソースＳＭＦエンティティにメッセージを送り、転送トンネルが確立されたことをソースＳＭＦエンティティに通知し得る。転送トンネルが確立されたと決定した後、ソースＳＭＦエンティティは、転送トンネル確立完了応答メッセージをターゲットＩ−ＳＭＦエンティティに送り、転送トンネルが確立されたことを、ターゲットＩ−ＳＭＦエンティティに通知し得る。
【０１７９】
任意選択で、応答メッセージにおいて、ソースＳＭＦは、ソースＩ−ＵＰＦに対応する転送トンネル情報をターゲットＩ−ＳＭＦに送る。
【０１８０】
リソースを節約するために、転送トンネルが確立された後、ターゲットＩ−ＳＭＦエンティティ及びソースＳＭＦエンティティは、転送トンネルリリースタイマを設定し得る。転送トンネルリリースタイマが終了したとき、ターゲットＩ−ＳＭＦ及びソースＳＭＦは、それぞれ、ターゲットＩ−ＵＰＦ及びソースＩ−ＵＰＦに、転送トンネルをリリースすべきであると示す。
【０１８１】
ターゲットＩ−ＳＭＦエンティティは、第１のメッセージを送るとき、転送トンネルリリースタイマを設定し得る、ソースＳＭＦエンティティによりフィードバックされた応答メッセージの受信後、転送トンネルリリースタイマを設定し得る、又はターゲットＩ−ＵＰＦエンティティに、転送トンネルを確立すべきであることを示した後、転送トンネルリリースタイマを設定し得る。転送トンネルリリースタイマを設定する前述の方法は、全て説明のための例であり、転送トンネルを確立する処理において、転送トンネルリリースタイマが設定され得るいずれの方法も、本出願のこの実施形態に適用可能である。
【０１８２】
転送トンネルリリースタイマが終了したとき、ターゲットＩ−ＳＭＦエンティティは、ターゲットＩ−ＵＰＦエンティティに、転送トンネルをリリースすべきであると示す。
【０１８３】
ソースＳＭＦエンティティは、ターゲットＩ−ＳＭＦエンティティから第１のメッセージを取得したとき、転送トンネルリリースタイマを設定し得る、ソースＩ−ＵＰＦエンティティに、転送トンネルを確立するように示した後、転送トンネルリリースタイマを設定し得る、又は応答メッセージをターゲットＩ−ＳＭＦに送ったとき、転送トンネルリリースタイマを設定し得る。転送トンネルリリースタイマを設定する前述の方法は、全て説明のための例であり、転送トンネルを確立する処理において、転送トンネルリリースタイマが設定され得る任意の方法が、本出願のこの実施形態に適用可能である。
【０１８４】
転送トンネルリリースタイマが終了したとき、ソースＳＭＦエンティティは、ソースＩ−ＵＰＦエンティティに、転送トンネルをリリースするように指示する。
【０１８５】
図３は、本出願の実施形態による通信方法を示す。前述の処理１における第２の通信方法が、この通信方法で使用される。図で示されるように、方法の手順は、以下のステップを含む。
【０１８６】
Ｓ３０１：ＡＭＦエンティティは、ターゲットＩ−ＳＭＦエンティティに関する情報を取得する。
【０１８７】
Ｓ３０２：ＡＭＦエンティティは、ターゲットＩ−ＳＭＦエンティティに関する情報に基づいて、ソースＳＭＦエンティティに関する情報をターゲットＩ−ＳＭＦエンティティに送り、またターゲットＩ−ＳＭＦエンティティは、ソースＳＭＦエンティティに関する情報を受信する。
【０１８８】
Ｓ３０３：ターゲットＩ−ＳＭＦエンティティは、ソースＳＭＦエンティティに関する情報に基づいて、第１のメッセージをソースＳＭＦエンティティに送り、ソースＳＭＦエンティティは、第１のメッセージを受信する。
【０１８９】
Ｓ３０４：ソースＳＭＦエンティティは、第１のメッセージに基づいて、ソースＩ−ＵＰＦエンティティに、転送トンネルを確立するように指示する。
【０１９０】
ソースＳＭＦエンティティは、ソース基地局に通信可能に接続されたＵＰＦエンティティを制御するＳＭＦエンティティであり、ターゲットＩ−ＳＭＦエンティティは、ターゲット基地局と通信可能に接続されたターゲットＩ−ＵＰＦエンティティを制御するＳＭＦエンティティである。
【０１９１】
図３で示された実施形態では、図２で示された実施形態と同じであり、ターゲットＩ−ＳＭＦエンティティはまた、ソースＳＭＦエンティティに関する情報を取得する必要があり、ソースＳＭＦエンティティに関する情報に基づいて、第１のメッセージをソースＳＭＦエンティティに送る。第１のメッセージを受信した後、ソースＳＭＦエンティティは、第１のメッセージに基づいて、ソースＩ−ＵＰＦエンティティに、転送トンネルを確立するように指示する。具体的な処理については、図２で示された実施形態を参照のこと、繰り返しを再度述べないものとする。
【０１９２】
可能な実装では、ＡＭＦエンティティが、第１の指示情報をターゲットＩ−ＳＭＦエンティティに送り、第１の指示情報は、ターゲットＩ−ＳＭＦエンティティに、ソースＩ−ＵＰＦエンティティからターゲットＩ−ＵＰＦエンティティへの転送トンネルを確立するように指示する。
【０１９３】
ターゲットＩ−ＳＭＦエンティティが、第１の指示情報を取得した後、ターゲットＩ−ＳＭＦエンティティは、転送トンネルが確立される必要があると決定し得る。
【０１９４】
具体的には、ＡＭＦエンティティは、多くの方法で、第１の指示情報をターゲットＩ−ＳＭＦエンティティに送るが、以下では、説明のために２つの方法を列挙する。
【０１９５】
方法１：ＡＭＦエンティティは、転送トンネルが確立される必要があると決定する。
【０１９６】
転送トンネルが確立される必要があると決定するとき、ＡＭＦエンティティは、第１の指示情報を生成し、かつ第１の指示情報をターゲットＩ−ＳＭＦエンティティに送る。
【０１９７】
具体的には、ＡＭＦエンティティが、ソースＳＭＦエンティティから、サービス要求手順をトリガするために使用されるメッセージを受信した場合、ＡＭＦエンティティは、転送トンネルが確立される必要があると決定する。
【０１９８】
端末デバイスのセッションが活動化されていない場合、セッションに対応する基地局とソースＩ−ＵＰＦの間でＮ３トンネルが、この場合、確立されていない。ソースＳＭＦエンティティ又はソースＩ−ＵＰＦが、端末デバイスに送られるダウンリンクデータを有する場合、ソースＳＭＦエンティティは、ＡＭＦエンティティにセッションを活動化するためのメッセージを送る（即ち、Ｎ３トンネルを確立することを求める要求メッセージ）。端末デバイスが、現在、ターゲットＩ−ＳＭＦエンティティのサービスエリアに位置する場合、ＡＭＦエンティティは、転送トンネルが確立される必要があると決定し、第１の指示情報をターゲットＩ−ＳＭＦエンティティに送る。この場合、ソースＳＭＦエンティティは、サービス要求手順をトリガする。
【０１９９】
ターゲットＩ−ＳＭＦエンティティに関する情報を取得したとき、ＡＭＦエンティティは、まず端末デバイスの位置情報を取得し得る。端末デバイスの位置情報に基づいて、端末デバイスが、ソースＩ−ＳＭＦエンティティのサービスエリアから外に移動すると決定した後、ＡＭＦエンティティは、端末デバイスの位置情報に基づいて、ターゲットＩ−ＳＭＦエンティティを選択する。
【０２００】
任意選択で、ＡＭＦエンティティが、ターゲットＩ−ＳＭＦエンティティに関する情報を取得したとき、ソースＳＭＦエンティティは、ターゲットＩ−ＳＭＦエンティティを選択した後、ターゲットＩ−ＳＭＦエンティティに関する情報をＡＭＦエンティティに送り得る。
【０２０１】
方法２：ＡＭＦエンティティは、第１の指示情報をソースＳＭＦエンティティから取得する。
【０２０２】
ＡＭＦエンティティによりターゲットＩ−ＳＭＦエンティティに送られる第１の指示情報は、代替として、ＡＭＦエンティティを使用することにより、ソースＳＭＦエンティティによって、ターゲットＩ−ＳＭＦエンティティに転送され得る。
【０２０３】
転送トンネルが確立される必要があると決定したとき、ソースＳＭＦエンティティは、第１の指示情報をＡＭＦエンティティに送り、第１の指示情報は、ターゲットＩ−ＳＭＦエンティティに、転送トンネルを確立するように指示する。
【０２０４】
ソースＳＭＦエンティティが、転送トンネルは確立される必要があると決定する方法については、図２で示された実施形態を参照のこと。詳細をここで再度述べないものとする。
【０２０５】
次に、ターゲットＩ−ＳＭＦエンティティが、転送トンネルは確立される必要があると決定し、かつ転送トンネルを確立する方法、及びソースＳＭＦエンティティが、第１のメッセージに基づいて、転送トンネルを確立する方法は、図２で示された実施形態におけるものと同じである。詳細をここで再度述べないものとする。
【０２０６】
リソースを節約するために、転送トンネルが確立された後、ターゲットＩ−ＳＭＦエンティティ及びソースＳＭＦエンティティは転送トンネルリリースタイマを設定し得る。転送トンネルリリースタイマが終了したとき、転送トンネルがリリースされる。転送トンネルリリースタイマの説明については、図２で示された実施形態を参照のこと。詳細をここで再度述べないものとする。
【０２０７】
処理２：ターゲットＩ−ＵＰＦエンティティとＡ−ＵＰＦエンティティの間にトンネルを確立する。
【０２０８】
ターゲットＩ−ＵＰＦエンティティとＡ−ＵＰＦエンティティの間のトンネルは、以下の２つの通信方法で確立され得る。
【０２０９】
方法１：ターゲットＩ−ＳＭＦエンティティは、ソースＳＭＦエンティティと直接通信し、かつ対話する。
【０２１０】
方法２：ターゲットＩ−ＳＭＦエンティティは、ＡＭＦエンティティを用いることにより、ソースＳＭＦエンティティと通信し、かつ対話する。
【０２１１】
本出願で提供される通信方法を明確に述べるために、以下では、処理２で使用され得る２つの通信方法を個別に述べる。
【０２１２】
図４は、本出願の実施形態による通信方法を示す。前述の処理２における第１の通信方法が、この通信方法で使用される。図４で示されるように、方法の手順は、以下のステップを含む。
【０２１３】
Ｓ４０１：ソースＳＭＦエンティティは、セッション情報をターゲットＩ−ＳＭＦエンティティに送り、ターゲットＩ−ＳＭＦエンティティは、セッション情報をソースＳＭＦエンティティから取得する。
【０２１４】
Ｓ４０２：ターゲットＩ−ＳＭＦエンティティは、セッション情報に基づいて、ターゲットＩ−ＵＰＦエンティティとＡ−ＵＰＦエンティティの間でトンネルを確立する。
【０２１５】
セッション情報は、以下の少なくとも一方を含む、即ち、Ａ−ＵＰＦエンティティのアップリンクトンネル情報、及びＡ−ＳＭＦエンティティに関する情報である。Ａ−ＳＭＦエンティティは、Ａ−ＵＰＦエンティティを制御するＳＭＦエンティティである。
【０２１６】
ターゲットＩ−ＳＭＦエンティティは、ソースＳＭＦエンティティに関する情報に基づいて、ソースＳＭＦエンティティのアドレス情報を決定し、ソースＳＭＦエンティティのアドレス情報に基づいて、セッション情報を要求するために使用されるメッセージを、ソースＳＭＦエンティティに送り得る。
【０２１７】
セッション情報を要求するために使用されるメッセージを受信した後、ソースＳＭＦエンティティは、セッション情報をターゲットＩ−ＳＭＦエンティティに送る。
【０２１８】
セッション情報を受信した後、ターゲットＩ−ＳＭＦエンティティは、ターゲットＩ−ＵＰＦエンティティとＡ−ＵＰＦエンティティの間にトンネルを確立し得る。
【０２１９】
セッション情報は、セッションコンテキスト情報であり得る。セッション情報は、Ａ−ＵＰＦエンティティのアップリンクトンネル情報、及びＡ−ＳＭＦエンティティに関する情報の少なくとも一方を含む。セッション情報が、Ａ−ＵＰＦエンティティのアップリンクトンネル情報を含むとき、ターゲットＩ−ＳＭＦエンティティは、Ａ−ＵＰＦエンティティのアップリンクトンネル情報をターゲットＩ−ＵＰＦエンティティに送り、ターゲットＩ−ＵＰＦエンティティとＡ−ＵＰＦエンティティの間にアップリンクトンネルを確立し得る。セッション情報が、Ａ−ＳＭＦエンティティに関する情報を含むとき、ターゲットＩ−ＳＭＦエンティティは、ターゲットＩ−ＵＰＦのダウンリンクトンネル情報をＡ−ＳＭＦエンティティに送ってもよく、Ａ−ＳＭＦエンティティは、Ａ−ＵＰＦからＩ−ＵＰＦへのダウンリンクトンネルを確立するために、ターゲットＩ−ＵＰＦエンティティのダウンリンクトンネル情報をＡ−ＵＰＦエンティティに送る。
【０２２０】
図５は、本出願の実施形態による通信方法を示す。前述の処理２における第２の通信法が、この通信方法で使用される。図５で示されるように、方法の手順は、以下のステップを含む。
【０２２１】
Ｓ５０１：ソースＳＭＦエンティティは、セッション情報をＡＭＦエンティティに送り、ＡＭＦエンティティは、セッション情報を受信する。
【０２２２】
Ｓ５０２：ＡＭＦエンティティは、セッション情報をターゲットＩ−ＳＭＦエンティティに送り、ターゲットＩ−ＳＭＦエンティティは、セッション情報を受信する。
【０２２３】
Ｓ５０３：ターゲットＩ−ＳＭＦエンティティは、セッション情報に基づいて、ターゲットＩ−ＵＰＦエンティティとＡ−ＵＰＦエンティティの間でトンネルを確立する。
【０２２４】
セッション情報は、以下の少なくとも一方を含む、即ち、Ａ−ＵＰＦエンティティのアップリンクトンネル情報、及びＡ−ＳＭＦエンティティに関する情報である。Ａ−ＳＭＦエンティティは、Ａ−ＵＰＦエンティティを制御するＳＭＦエンティティである。
【０２２５】
任意選択で、セッション情報は、透過型コンテナにカプセル化され得る、またＡＭＦエンティティは、透過型コンテナ内のセッション情報を構文解析しないこともあり得る。
【０２２６】
図５で示される実施形態では、ＡＭＦエンティティは転送機能を有し、ソースＳＭＦエンティティのセッション情報をターゲットＩ−ＳＭＦエンティティに送る。セッション情報の説明については、図４で示された実施形態を参照のこと。詳細をここで再度述べないものとする。
【０２２７】
前述の２つの処理において、ターゲットＩ−ＳＭＦエンティティは、ソースＳＭＦエンティティに関する情報を取得する必要があり、ソースＳＭＦエンティティに関する情報を、複数の方法で取得し得ることに留意されたい。例えば、ソースＳＭＦエンティティに関する情報は、ＡＭＦエンティティに事前記憶されてもよく、ＳＭＦエンティティ間でハンドオーバが実施される必要のある場合、ＡＭＦエンティティは、ソースＳＭＦエンティティに関する情報を、ターゲットＩ−ＳＭＦエンティティに送る。代替として、ソースＳＭＦエンティティが、ソースＳＭＦエンティティに関する情報をＡＭＦエンティティに送り得る、次いで、ＡＭＦエンティティは、ソースＳＭＦエンティティに関する情報をターゲットＩ−ＳＭＦエンティティに転送する。ソースＳＭＦエンティティに関する情報、及び他のセッション情報は、透過型コンテナ内に共にカプセル化される。
【０２２８】
処理１における２つの通信法、及び処理２における２つの通信法は、ランダムに組み合わされ得ることを理解されたい。例えば、転送トンネルは、図２で示された通信方法を用いることにより確立され、ターゲットＩ−ＵＰＦエンティティとＡ−ＵＰＦエンティティの間のトンネルは、図４で示される通信方法を用いることにより確立される。別の例では、転送トンネルは、図３で示される通信方法を用いることにより確立され、またターゲットＩ−ＵＰＦエンティティとＡ−ＵＰＦエンティティの間のトンネルは、図５で示される通信方法を用いることにより確立される。さらに別の例では、転送トンネルは、図２で示される通信方法を用いることにより確立され、またターゲットＩ−ＵＰＦエンティティとＡ−ＵＰＦエンティティの間のトンネルは、図４で示される通信方法を用いることにより確立される。
【０２２９】
処理１及び処理２は、同時に実施され得る、又は連続して実施され得ることに留意されたい。
【０２３０】
情報をＡＭＦエンティティ又はターゲットＩ−ＳＭＦエンティティに送るとき、ソースＳＭＦエンティティは、送信用の１つのシグナリングに複数の情報を加え得る。例えば、セッション情報をＡＭＦエンティティ又はターゲットＩ−ＳＭＦエンティティに送るとき、ソースＳＭＦエンティティは、ソースＳＭＦエンティティに関する情報をセッション情報に加えてもよく、又は第１の指示情報をセッション情報に加えてもよく、又はソースＳＭＦエンティティに関する情報と第１の指示情報の両方をセッション情報に加えてもよい。
【０２３１】
情報をターゲットＩ−ＳＭＦエンティティに送るとき、ＡＭＦエンティティは、送信用の１つのシグナリングに複数の情報を加え得る。例えば、セッション情報をターゲットＩ−ＳＭＦエンティティに送るとき、ＡＭＦエンティティは、ソースＳＭＦエンティティに関する情報をセッション情報に加えてもよく、又は第１の指示情報をセッション情報に加えてもよく、又はソースＳＭＦエンティティに関する情報と第１の指示情報の両方をセッション情報に加えてもよい。
【０２３２】
本出願の実施形態における図２から図５で示される通信方法は、以下の特定のシナリオに適用され、また本出願における通信方法は、以下の実施形態１から実施形態４を用いることによりさらに述べられる。
【０２３３】
実施形態１は、図１Ｂで示されたネットワークアーキテクチャに適用される。ソースＳＭＦエンティティは、ソースＩ−ＳＭＦエンティティであり、ＵＥが接続モードにあるとき、ＵＥは、ソースＩ−ＳＭＦエンティティのサービスエリアの外に移動し、ターゲットＩ−ＳＭＦエンティティのサービスエリアの中へと移動する。図６で示されるように、実施形態１の具体的な手順は、以下のステップを含む。
【０２３４】
Ｓ６０１：ソース基地局は、ＡＭＦエンティティに、ハンドオーバ要求メッセージを送り、ＡＭＦエンティティは、ハンドオーバ要求メッセージを受信する。ハンドオーバ要求メッセージは、ハンドオーバされるセッションのセッション識別子（例えば、ＰＤＵセッションＩＤ）、ハンドオーバされるセッションに対応するＳＭ  Ｎ２要求メッセージ、及びＵＥの位置情報を含む。ハンドオーバされるセッションに対応するＳＭ  Ｎ２要求メッセージは、セッションのハンドオーバ中に、転送トンネルが確立される必要があるかどうか、また転送トンネルは、コアネットワークを貫通する必要があるかどうかを示す。
【０２３５】
Ｓ６０２：ＡＭＦエンティティは、ハンドオーバされるセッションのセッション識別子に基づき、セッションに対応するソースＩ−ＳＭＦエンティティを決定し、ＡＭＦエンティティは、セッション更新要求メッセージをソースＩ−ＳＭＦエンティティに送り、ソースＩ−ＳＭＦエンティティは、セッション更新要求メッセージを受信する。ＡＭＦエンティティは、セッション更新要求メッセージにおいて、ハンドオーバされるセッションのセッション識別子、ハンドオーバされるセッションに対応するＳＭ  Ｎ２メッセージ、及びＵＥの位置情報をソースＩ−ＳＭＦエンティティに送る。
【０２３６】
Ｓ６０３：ソースＩ−ＳＭＦエンティティは、ＵＥの位置情報及びソースＩ−ＳＭＦエンティティのサービスエリアに基づいて、ＵＥが、ソースＩ−ＳＭＦエンティティのサービスエリアの外に移動するかどうかを決定する。ＵＥが、ソースＩ−ＳＭＦエンティティのサービスエリアの外に移動する場合、ソースＩ−ＳＭＦエンティティは、第１の応答メッセージをＡＭＦエンティティに送り、ＡＭＦエンティティは、第１の応答メッセージを受信する。
【０２３７】
第１の応答メッセージは、ＡＭＦエンティティに、ターゲットＩ−ＳＭＦエンティティを選択するように指示するために使用される指示情報を含み得る、又はターゲットＩ−ＳＭＦエンティティに関する情報を含み得る。ターゲットＩ−ＳＭＦエンティティは、ＵＥの位置情報に基づいて、ソースＩ−ＳＭＦエンティティにより選択される。
【０２３８】
第１の応答メッセージは、セッション情報をさらに含み、またセッション情報は、Ａ−ＵＰＦエンティティのアップリンクトンネル情報、及びＡ−ＳＭＦに関する情報の少なくとも一方を含む。
【０２３９】
任意選択で、セッション情報は、ソースＩ−ＳＭＦエンティティに関する情報をさらに含む（例えば、ソースＩ−ＳＭＦエンティティの識別情報、又はソースＩ−ＳＭＦエンティティのアドレス情報など）。
【０２４０】
具体的な実装では、ソースＩ−ＳＭＦエンティティは、セッション情報を透過型コンテナにカプセル化し、透過型コンテナをＡＭＦエンティティに送り得る。ＡＭＦエンティティは、透過型コンテナ内のコンテンツを構文解析することなく、透過型コンテナをターゲットＩ−ＳＭＦエンティティに転送し得る。
【０２４１】
任意選択で、ソースＩ−ＳＭＦエンティティが、ハンドオーバされるセッションに対応するＳＭ  Ｎ２メッセージを受信し、かつそれがＡＭＦエンティティにより送られる場合、ＡＭＦエンティティはＳＭ  Ｎ２メッセージを記憶しないため、ソースＩ−ＳＭＦエンティティはまた、第１の応答メッセージを送るとき、ＳＭ  Ｎ２メッセージをＡＭＦエンティティに送り得る。
【０２４２】
Ｓ６０４：ＡＭＦエンティティは、ＡＭＦエンティティに、ターゲットＩ−ＳＭＦエンティティを選択するように指示するために使用される指示情報を受信した場合、ＡＭＦエンティティは、ＵＥの位置情報に基づいて、ターゲットＩ−ＳＭＦエンティティを選択する。
【０２４３】
Ｓ６０５：ＡＭＦエンティティは、セッション確立要求をターゲットＩ−ＳＭＦエンティティに送り、かつターゲットＩ−ＳＭＦエンティティに、ハンドオーバされるセッションに対応するＳＭ  Ｎ２要求メッセージ、ＵＥの位置情報、及びソースＩ−ＳＭＦエンティティから取得されたセッション情報を送る。ターゲットＩ−ＳＭＦエンティティは、セッション確立要求を受信し、かつハンドオーバされるセッションに対応するＳＭ  Ｎ２要求メッセージ、ＵＥの位置情報、及びソースＩ−ＳＭＦエンティティから取得されたセッション情報を取得する。
【０２４４】
任意選択で、ＡＭＦエンティティは、ソースＩ−ＳＭＦエンティティに関する情報をターゲットＩ−ＳＭＦエンティティに送る。
【０２４５】
Ｓ６０６：ターゲットＩ−ＳＭＦエンティティは、ＵＥの位置情報に基づいてターゲットＩ−ＵＰＦエンティティを選択し、かつセッション情報におけるＡ−ＵＰＦエンティティのアップリンクトンネル情報をターゲットＩ−ＵＰＦエンティティに送る。ターゲットＩ−ＵＰＦエンティティは、Ａ−ＵＰＦエンティティのアップリンクトンネル情報を受信し、かつＡ−ＵＰＦエンティティのアップリンクトンネル情報に基づいて、ターゲットＩ−ＵＰＦエンティティからＡ−ＵＰＦエンティティへのアップリンクトンネルを確立する。
【０２４６】
Ｓ６０６において、ターゲットＩ−ＵＰＦエンティティからＡ−ＵＰＦエンティティへのアップリンクトンネルが確立される。ＵＥが、ターゲット基地局にハンドオーバされた後、Ｉ−ＵＰＦエンティティは、ターゲット基地局から受信されたＵＥのアップリンクデータパケットを、アップリンクトンネルを介して、Ａ−ＵＰＦエンティティに送り得る。
【０２４７】
特定の実装中に、Ｓ６０６において、ターゲットＩ−ＳＭＦエンティティは、Ｉ−ＵＰＦエンティティに、Ｎ３アップリンクトンネルと、ターゲットＩ−ＵＰＦエンティティからＮ９インターフェースへのダウンリンクトンネルとを確立するようにさらに示し得る。Ｓ６０６の後、ターゲットＩ−ＳＭＦエンティティは、ターゲットＩ−ＵＰＦエンティティのＮ３インターフェースアップリンクトンネルに関する情報、及びターゲットＩ−ＵＰＦエンティティからＮ９インターフェースへのダウンリンクトンネルに関する情報を取得する。
【０２４８】
任意選択で、ターゲットＩ−ＳＭＦは、ＳＭ  Ｎ２要求メッセージに存在する表示と、転送トンネルが確立される必要があるかどうか、また転送トンネルがコアネットワークを貫通する必要があるかどうかを示す表示とに基づいて、間接転送トンネルが確立され得るかどうかを決定する。
【０２４９】
Ｓ６０７：ターゲットＩ−ＳＭＦエンティティは、第２の応答メッセージをＡＭＦエンティティに送り、またＡＭＦエンティティは、第２の応答メッセージを受信する。第２の応答メッセージは、ターゲットＩ−ＳＭＦエンティティによりターゲット基地局に送られるＳＭ  Ｎ２応答メッセージを含み、ＳＭ  Ｎ２応答メッセージは、ターゲットＩ−ＵＰＦエンティティのＮ３アップリンクトンネル情報、及び間接転送トンネルがサポートされるかどうかを示す表示を含む。
【０２５０】
Ｓ６０８：ＡＭＦエンティティは、ハンドオーバ要求をターゲット基地局に送り、またそのハンドオーバ要求で、ターゲットＩ−ＳＭＦエンティティによりターゲット基地局に送られたＳＭ  Ｎ２応答メッセージをターゲット基地局に送る。ターゲット基地局は、ハンドオーバ要求を受信し、ＳＭ  Ｎ２応答メッセージを取得する。
【０２５１】
Ｓ６０９：ターゲット基地局は、ハンドオーバ要求応答をＡＭＦエンティティに送り、ＡＭＦエンティティは、ハンドオーバ要求応答を受信する。間接転送トンネルが確立される必要がある場合、ターゲット基地局は、間接転送トンネル情報を割り当て、かつ間接転送トンネル情報をＡＭＦエンティティに送り、ＡＭＦエンティティは、間接転送トンネル情報を受信する。
【０２５２】
Ｓ６１０：ＡＭＦエンティティは、ターゲット基地局の間接転送トンネル情報をターゲットＩ−ＳＭＦエンティティに送り、ターゲットＩ−ＳＭＦエンティティは、間接転送トンネル情報を受信する。
【０２５３】
Ｓ６１１：ターゲットＩ−ＳＭＦエンティティは、ターゲット基地局により送られた間接転送トンネル情報に基づいて、間接転送トンネルが確立される必要があると決定する。ターゲットＩ−ＳＭＦエンティティは、ターゲット基地局の間接転送トンネル情報をターゲットＩ−ＵＰＦエンティティに送り、ターゲットＩ−ＵＰＦに、間接転送トンネルを確立するように指示する。間接転送トンネルは、ターゲットＩ−ＵＰＦエンティティからターゲット基地局へと確立されたダウンリンク転送トンネルと、転送トンネルとを含む。ターゲットＩ−ＵＰＦは、間接転送トンネル情報を受信し、間接転送トンネルを確立する。
【０２５４】
任意選択で、ターゲットＩ−ＳＭＦエンティティは、ターゲットＩ−ＵＰＦに対応する間接転送トンネル情報を割り当て、ターゲットＩ−ＵＰＦに対応する間接転送トンネル情報をターゲットＩ−ＵＰＦに送る。代替として、ターゲットＩ−ＳＭＦエンティティは、ターゲットＩ−ＵＰＦに、間接転送トンネル情報を割り当てるように要求し、ターゲットＩ−ＵＰＦは、間接転送トンネル情報をターゲットＩ−ＳＭＦに送る。
【０２５５】
Ｓ６１１において、ターゲットＩ−ＳＭＦエンティティは、ターゲットＩ−ＵＰＦエンティティの転送トンネル情報を取得し、ターゲットＩ−ＵＰＦエンティティに対応する転送トンネル情報を第１のメッセージに加える。ターゲットＩ−ＵＰＦエンティティの転送トンネル情報は、ターゲットＩ−ＳＭＦエンティティにより割り当てられ得る、又はターゲットＩ−ＵＰＦエンティティにより割り当てられ得る。任意選択で、第１のメッセージは、ソースＩ−ＵＰＦからターゲットＩ−ＵＰＦへの転送トンネルが、間接転送トンネルの一部であることを示すために使用される間接転送トンネル表示をさらに含み得る。
【０２５６】
Ｓ６１２：ターゲットＩ−ＳＭＦエンティティは、例えば、セッションサービスに対応するユニフォームリソースロケータ（ｕｎｉｆｏｒｍ  ｒｅｓｏｕｒｃｅ  ｌｏｃａｔｏｒ、ＵＲＬ）など、ソースＩ−ＳＭＦエンティティに関して受信された情報に基づいて、ソースＩ−ＳＭＦエンティティのアドレス情報を取得し、第１のメッセージをソースＩ−ＳＭＦエンティティに送る。第１のメッセージは、ソースＩ−ＳＭＦエンティティに、ソースＩ−ＵＰＦエンティティからターゲットＩ−ＵＰＦエンティティへの転送トンネルを確立するように要求するために使用される。ターゲットＩ−ＳＭＦエンティティは、ターゲットＩ−ＵＰＦエンティティに対応する間接転送トンネル情報を、ソースＩ−ＳＭＦエンティティに送り、ソースＩ−ＳＭＦエンティティは、第１のメッセージ、及びターゲットＩ−ＵＰＦエンティティに対応する間接転送トンネル情報を受信する。
【０２５７】
Ｓ６１３：ソースＩ−ＳＭＦエンティティは、ターゲットＩ−ＵＰＦエンティティに対応する転送トンネル情報をソースＩ−ＵＰＦエンティティに送り、かつソースＩ−ＵＰＦエンティティに、転送トンネルを確立するように要求する。ソースＩ−ＵＰＦエンティティは、ターゲットＩ−ＵＰＦエンティティに対応する転送トンネル情報を受信し、転送トンネルを確立する。
【０２５８】
任意選択で、ソースＩ−ＳＭＦは、第１のメッセージにおける間接転送トンネル表示に基づいて、ソースＩ−ＵＰＦエンティティに対応する間接転送トンネル情報を取得する。ソースＩ−ＳＭＦエンティティは、ソースＩ−ＵＰＦに対応する間接転送トンネル情報を割り当て、ソースＩ−ＵＰＦに対応する間接転送トンネル情報をソースＩ−ＵＰＦに送る。代替として、ソースＩ−ＳＭＦエンティティは、ソースＩ−ＵＰＦに、間接転送トンネル情報を割り当てるように要求し、ソースＩ−ＵＰＦは、間接転送トンネル情報をソースＩ−ＳＭＦに送る。
【０２５９】
Ｓ６１４：ソースＩ−ＳＭＦエンティティは、ソースＩ−ＵＰＦエンティティに対応する転送トンネル情報をターゲットＩ−ＳＭＦエンティティに送り、またターゲットＩ−ＳＭＦエンティティは、ソースＩ−ＵＰＦエンティティに対応する転送トンネル情報を受信する。
【０２６０】
Ｓ６１５：ターゲットＩ−ＳＭＦエンティティは、ソースＩ−ＵＰＦエンティティに対応する転送トンネル情報をＡＭＦエンティティに送り、ＡＭＦエンティティは、ソースＩ−ＵＰＦエンティティに対応する転送トンネル情報を受信する。
【０２６１】
Ｓ６１６：ＡＭＦエンティティは、ハンドオーバコマンドをソース基地局に送る。ハンドオーバコマンドは、ソースＩ−ＵＰＦエンティティに対応する転送トンネル情報を搬送する。ソース基地局は、ハンドオーバコマンドを受信し、かつソースＩ−ＵＰＦエンティティに対応する転送トンネル情報を取得する。
【０２６２】
ハンドオーバ準備段階は、ここで終了する。ハンドオーバ準備段階では、ターゲット基地局と基地局の間で間接転送トンネルが確立され、その間接転送トンネルの経路は、次のようになる、即ち、ソース基地局→ソースＩ−ＵＰＦエンティティ→ターゲットＩ−ＵＰＦエンティティ→ターゲット基地局である。
【０２６３】
Ｓ６１７：ハンドオーバ準備が完了した後、ハンドオーバ実行処理が実施される。ハンドオーバ処理において、ＵＥの無線インターフェースは、ソース基地局からターゲット基地局へとハンドオーバされ、Ａ−ＵＰＦエンティティのダウンリンクトンネルは、ソースＩ−ＵＰＦエンティティからターゲットＩ−ＵＰＦエンティティにハンドオーバされる。ハンドオーバ実行処理の詳細については、５Ｇ関連のプロトコルを参照のこと。その詳細は、本出願のこの実施形態では述べないものとする。
【０２６４】
実施形態２：実施形態１では、ソースＳＭＦエンティティは、ターゲットＩ−ＳＭＦエンティティを選択する、又はソースＳＭＦエンティティは、ＡＭＦエンティティに、ターゲットＩ−ＳＭＦエンティティを選択するように指示する。実際には、ＡＭＦエンティティは、代替として、ソースＳＭＦエンティティにより送られる表示を必要とすることなく、ターゲットＩ−ＳＭＦエンティティを選択し得る。実施形態２は、ＡＭＦエンティティが、ターゲットＩ−ＳＭＦエンティティを選択する方法を提供する。
【０２６５】
実施形態２では、セッション情報を取得する２つの方法がさらに提供される。
【０２６６】
方法１：ＡＭＦエンティティは、セッション情報を、ソースＩ−ＳＭＦエンティティから取得し、セッション情報をターゲットＩ−ＳＭＦエンティティに送る。
【０２６７】
方法２：ＡＭＦエンティティは、ソースＩ−ＳＭＦエンティティに関する情報をターゲットＩ−ＳＭＦエンティティに送り、ターゲットＩ−ＳＭＦエンティティは、セッション情報を、ソースＩ−ＳＭＦエンティティから取得する。
【０２６８】
図７Ａは、本出願の実施形態による通信方法を示す。その通信方法では、セッション情報を取得する第１の方法が使用される。図で示されるように、方法の手順は、以下のステップを含む。
【０２６９】
Ｓ７０１：実施形態１のＳ６０１と同じ。
【０２７０】
Ｓ７０２：ＡＭＦエンティティは、ソースＩ−ＳＭＦエンティティのサービスエリア、及びＵＥの位置情報に基づいて、ターゲットＩ−ＳＭＦエンティティを選択する。
【０２７１】
ソースＩ−ＳＭＦエンティティのサービスエリアに関する情報は、ＡＭＦエンティティにおいて構成され得る。代替として、ソースＩ−ＳＭＦエンティティのサービスエリアに関する情報は、ネットワークリポジトリ機能（ｎｅｔｗｏｒｋ  ｒｅｐｏｓｉｔｏｒｙ  ｆｕｎｃｔｉｏｎ、ＮＲＦ）エンティティにおいて構成され得る、またＡＭＦエンティティは、ソースＩ−ＳＭＦエンティティのサービスエリアに関する情報をＮＲＦエンティティから取得する。
【０２７２】
Ｓ７０３：ＡＭＦエンティティがターゲットＩ−ＳＭＦエンティティを選択した後、ＡＭＦエンティティは、ソースＩ−ＳＭＦエンティティに、ハンドオーバされるセッションのセッション識別子を送り、ソースＩ−ＳＭＦエンティティに、セッション情報をＡＭＦエンティティに送るように要求する。
【０２７３】
セッション情報は、Ａ−ＵＰＦエンティティのアップリンクトンネル情報、及びＡ−ＳＭＦに関する情報の少なくとも一方を含む。
【０２７４】
Ｓ７０４：ソースＩ−ＳＭＦエンティティは、セッション情報をＡＭＦエンティティに送る。
【０２７５】
任意選択で、セッション情報は、例えば、ソースＩ−ＳＭＦエンティティのアドレス情報、又は識別情報など、ソースＩ−ＳＭＦエンティティに関する情報をさらに含む。ソースＩ−ＳＭＦエンティティは、セッション情報を透過型コンテナにカプセル化し、透過型コンテナをＡＭＦエンティティに送り、かつＡＭＦエンティティを用いることにより、透過型コンテナをターゲットＩ−ＳＭＦエンティティに送り得る。
【０２７６】
Ｓ７０５：ＡＭＦエンティティは、セッション確立要求をターゲットＩ−ＳＭＦエンティティに送り、ソースＩ−ＳＭＦエンティティから受信されたセッション情報をターゲットＩ−ＳＭＦエンティティに送る。
【０２７７】
任意選択で、ＡＭＦエンティティは、ソースＩ−ＳＭＦエンティティに関する情報を、ターゲットＩ−ＳＭＦエンティティに送る。
【０２７８】
Ｓ７０６からＳ７１７は、実施形態１におけるＳ６０６からＳ６１７と同じであり、詳細を再度ここで述べないものとする。
【０２７９】
図７Ｂは、本出願の実施形態による通信方法を示す。通信方法において、セッション情報を取得する第２の方法が使用される。図で示されるように、方法の手順は、以下のステップを含む。
【０２８０】
Ｓ７０１：実施形態１のＳ６０１と同じ。
【０２８１】
Ｓ７０２：ＡＭＦエンティティは、ソースＩ−ＳＭＦエンティティのサービスエリア、及びＵＥの位置情報に基づいて、ターゲットＩ−ＳＭＦエンティティを選択する。
【０２８２】
ソースＩ−ＳＭＦエンティティのサービスエリアは、ＡＭＦエンティティにおいて構成され得る。代替として、ソースＩ−ＳＭＦのサービスエリアに関する情報は、ＮＲＦエンティティにおいて構成されてもよく、ＡＭＦエンティティは、ＮＲＦエンティティからソースＩ−ＳＭＦエンティティのサービスエリアを取得する。
【０２８３】
Ｓ７０３：ターゲットＩ−ＳＭＦエンティティを選択した後、ＡＭＦエンティティは、セッション確立要求をターゲットＩ−ＳＭＦエンティティに送り、かつソースＩ−ＳＭＦエンティティに関する情報をターゲットＩ−ＳＭＦエンティティに送る。ターゲットＩ−ＳＭＦエンティティは、セッション確立要求を受信し、かつソースＩ−ＳＭＦエンティティに関する情報を取得する。
【０２８４】
Ｓ７０４：ターゲットＩ−ＳＭＦエンティティは、ソースＩ−ＳＭＦエンティティに関する情報に基づいて、ソースＩ−ＳＭＦエンティティのアドレス情報を決定し、かつセッション情報を要求する要求メッセージをソースＩ−ＳＭＦエンティティに送る。
【０２８５】
セッション情報は、Ａ−ＵＰＦエンティティのアップリンクトンネル情報、及びＡ−ＳＭＦに関する情報の少なくとも一方を含む。
【０２８６】
Ｓ７０５：ソースＩ−ＳＭＦエンティティは、要求メッセージを受信し、ソースＩ−ＳＭＦエンティティは、セッション情報をターゲットＩ−ＳＭＦエンティティに送る。
【０２８７】
Ｓ７０６からＳ７１７は、実施形態１のＳ６０６からＳ６１７と同じであり、詳細をここで再度述べないものとする。
【０２８８】
実施形態３は、図１Ｂで示されたネットワークアーキテクチャに適用される。ＵＥがアイドルモードにあるとき、ＵＥは、サービス要求処理において、ＳＭＦエンティティ間でハンドオーバされる必要がある。実施形態３では、ターゲットＩ−ＳＭＦエンティティがまた、ソースＩ−ＳＭＦエンティティに関する情報を取得する必要がある。ターゲットＩ−ＳＭＦエンティティにより、ソースＩ−ＳＭＦエンティティに関する情報を取得するための方法については、実施形態１及び実施形態２を参照のこと。任意選択で、ターゲットＩ−ＳＭＦエンティティは、セッション情報をさらに取得し得る。ターゲットＩ−ＳＭＦエンティティによりセッション情報を取得するための方法については、実施形態１及び実施形態２を参照のこと。
【０２８９】
実施形態３では、第１の指示情報を受信したとき、ターゲットＩ−ＳＭＦエンティティは、転送トンネルが確立される必要があると決定する。実施形態３では、第１の指示情報は、ＡＭＦエンティティによりターゲットＩ−ＳＭＦエンティティに送られ得る、又はＡＭＦエンティティを用いることにより、ソースＩ−ＳＭＦエンティティによりターゲットＩ−ＳＭＦエンティティに送られ得る。
【０２９０】
図８で示されるように、本出願の実施形態は通信方法を提供する。方法の手順は、以下のステップを含む。
【０２９１】
Ｓ８０１：ＵＥは、サービス要求メッセージをＡＭＦエンティティに送る。メッセージは、活動化されるセッションのセッション識別子、及びＵＥの位置情報を含む。ＡＭＦエンティティは、サービス要求メッセージを受信する。
【０２９２】
Ｓ８０２からＳ８０５：ＡＭＦエンティティは、ターゲットＩ−ＳＭＦエンティティに関する情報を取得し、セッション確立要求をターゲットＩ−ＳＭＦエンティティに送る。ターゲットＩ−ＳＭＦエンティティは、ソースＩ−ＳＭＦエンティティに関する情報、及び第１の指示情報を取得する。
【０２９３】
任意選択で、ターゲットＩ−ＳＭＦエンティティは、Ｓ８０２からＳ８０５において、セッション情報をさらに取得し得る。ＡＭＦエンティティがターゲットＩ−ＳＭＦエンティティに関する情報を取得する方法、ターゲットＩ−ＳＭＦエンティティがソースＩ−ＳＭＦエンティティに関する情報を取得する方法、及びターゲットＩ−ＳＭＦエンティティがセッション情報を取得する方法は、実施形態１及び実施形態２におけるものと同じである。詳細を再度述べないものとする。
【０２９４】
ターゲットＩ−ＳＭＦエンティティは、以下の２つの特定の方法で第１の指示情報を取得する。
【０２９５】
（１）ソースＩ−ＳＭＦエンティティは、転送トンネルが確立される必要があるかどうかを決定する。
【０２９６】
ソースＩ−ＳＭＦエンティティは、サービス要求手順がトリガされたかどうかに応じて、転送トンネルが、確立される必要があるかどうかを決定し得る。ソースＩ−ＳＭＦが、サービス要求手順をトリガした場合、転送トンネルは確立される必要があると決定される。代替として、ソースＩ−ＳＭＦエンティティは、ソースＩ−ＳＭＦエンティティ又はソースＩ−ＵＰＦエンティティが、ＵＥに送られるダウンリンクデータをバッファしたかどうかに応じて、転送トンネルが確立される必要があるかどうかを決定し得る。ソースＩ−ＳＭＦエンティティ又はソースＩ−ＵＰＦエンティティが、ＵＥに送られるダウンリンクデータをバッファした場合、ソースＩ−ＳＭＦエンティティは、転送トンネルが確立される必要があると決定する。
【０２９７】
この方法では、ソースＩ−ＳＭＦエンティティが、第１の指示情報を送る必要がある。具体的には、ＡＭＦエンティティが、ソースＩ−ＳＭＦエンティティからセッション情報を取得し得るとき（例えば、図６で示されるＳ６０２及びＳ６０３、また図７Ａで示されるＳ７０３及びＳ７０４）、ソースＩ−ＳＭＦエンティティは、セッション情報に第１の指示情報を加えて、セッション情報をＡＭＦエンティティに送る。次いで、ＡＭＦエンティティは、第１の指示情報をセッション確立要求においてターゲットＩ−ＳＭＦエンティティに送る（例えば、図６で示されるＳ６０５、及び図７Ａで示されるＳ７０５）。
【０２９８】
第１の指示情報及びセッション情報は、透過型コンテナにカプセル化され、ＡＭＦエンティティを用いることにより、ターゲットＩ−ＳＭＦエンティティに送られ得る。ＡＭＦエンティティが、透過型コンテナにおけるコンテンツを構文解析する必要はない。
【０２９９】
ターゲットＩ−ＳＭＦエンティティが、ソースＩ−ＳＭＦエンティティから、直接セッション情報を取得する場合（例えば、図７Ｂで示されるＳ７０４及びＳ７０５など）、ソースＩ−ＳＭＦエンティティは、第１の指示情報を直接ターゲットＩ−ＳＭＦエンティティに送り得る。
【０３００】
（２）ＡＭＦエンティティは、転送トンネルが確立される必要があるかどうかを決定する。
【０３０１】
ＡＭＦエンティティは、セッションに対応するソースＩ−ＳＭＦエンティティが、サービス要求手順をトリガするかどうかに応じて、転送トンネルが確立される必要があるかどうかを決定し得る。セッションに対応するソースＩ−ＳＭＦエンティティが、サービス要求手順をトリガしたとき、ＡＭＦエンティティは、転送トンネルが確立される必要があると決定する。例えば、サービス要求手順をトリガするためにソースＳＭＦエンティティにより使用されるメッセージを受信したとき、ＡＭＦエンティティは、転送トンネルが確立される必要があると決定する。
【０３０２】
転送トンネルが確立される必要があると決定したとき、ＡＭＦエンティティは、第１の指示情報をターゲットＩ−ＳＭＦエンティティに送る必要がある。具体的には、ＡＭＦエンティティは、セッション確立要求をターゲットＩ−ＳＭＦエンティティに送るとき、セッション確立要求に第１の指示情報を加え得る（例えば、図６で示されるＳ６０５、図７Ａで示されるＳ７０５、及び図７Ｂで示されるＳ７０３など）。
【０３０３】
Ｓ８０６：ターゲットＩ−ＳＭＦエンティティは、ＵＥの位置情報に基づいてターゲットＩ−ＵＰＦエンティティを選択する。第１の指示情報を受信した後、ターゲットＩ−ＳＭＦエンティティは、ターゲットＩ−ＵＰＦエンティティに送られるＮ４セッション確立要求メッセージに、第１の指示情報又は第２の指示情報を加えて、ターゲットＩ−ＵＰＦエンティティに、転送トンネルを確立するように指示する。ターゲットＩ−ＵＰＦエンティティは、Ｎ４セッション確立要求メッセージを受信し、かつ第１の指示情報又は第２の指示情報を取得する。
【０３０４】
Ｓ８０６において、ターゲットＩ−ＳＭＦエンティティは、ターゲットＩ−ＵＰＦエンティティに対応する転送トンネル情報を取得し、ターゲットＩ−ＵＰＦエンティティに対応する転送トンネル情報を第１のメッセージに加える。
【０３０５】
ターゲットＩ−ＳＭＦエンティティは、以下の２つの方法で、ターゲットＩ−ＵＰＦエンティティに対応する転送トンネル情報を取得し得る。
【０３０６】
方法１：ターゲットＩ−ＳＭＦエンティティは、ターゲットＩ−ＵＰＦエンティティに対応する転送トンネル情報を割り当て、ターゲットＩ−ＵＰＦエンティティに対応する転送トンネル情報をターゲットＩ−ＵＰＦに送る。
【０３０７】
方法２：ターゲットＩ−ＳＭＦは、ターゲットＩ−ＵＰＦエンティティに、ターゲットＩ−ＵＰＦエンティティに対応する転送トンネル情報を割り当てるように要求し、ターゲットＩ−ＵＰＦは、転送トンネル情報をターゲットＩ−ＳＭＦに送る。
【０３０８】
Ｓ８０２からＳ８０５において、ターゲットＩ−ＳＭＦエンティティがセッション情報を取得し、またセッション情報が、Ａ−ＵＰＦエンティティのアップリンクトンネル情報を含む場合、Ｓ８０６において、ターゲットＩ−ＳＭＦエンティティは、Ａ−ＵＰＦエンティティのアップリンクトンネル情報をターゲットＩ−ＵＰＦエンティティに送り、ターゲットＩ−ＵＰＦエンティティとＡ−ＵＰＦエンティティの間にトンネルを確立する。
【０３０９】
Ｓ８０７：ターゲットＩ−ＳＭＦエンティティは、Ａ−ＳＭＦエンティティと対話し、Ａ−ＵＰＦエンティティとターゲットＩ−ＵＰＦエンティティの間でダウンリンクトンネルを確立する。
【０３１０】
Ｓ８０８：ターゲットＩ−ＳＭＦエンティティが第１の指示情報を受信した場合、ターゲットＩ−ＳＭＦエンティティは、ソースＩ−ＳＭＦエンティティに関する情報に基づいて、ソースＩ−ＳＭＦエンティティのアドレス情報を決定し、第１のメッセージをソースＩ−ＳＭＦエンティティに送る。第１のメッセージは、ターゲットＩ−ＵＰＦに対応する転送トンネル情報を含む。ソースＩ−ＳＭＦエンティティは、第１のメッセージを受信する。
【０３１１】
任意選択で、第１のメッセージは、転送トンネルが、間接転送トンネルの一部ではないことを示すために使用される非間接転送トンネル表示をさらに含む。
【０３１２】
Ｓ８０９：ソースＩ−ＳＭＦエンティティは、ソースＩ−ＵＰＦエンティティからターゲットＩ−ＵＰＦエンティティへの転送トンネルを確立するように指示するために、ターゲットＩ−ＵＰＦに対応する転送トンネル情報をソースＩ−ＵＰＦエンティティに送る。ソースＩ−ＵＰＦエンティティは、ターゲットＩ−ＵＰＦに対応する転送トンネル情報を受信し、ソースＩ−ＵＰＦエンティティからターゲットＩ−ＵＰＦエンティティへの転送トンネルを確立する。
【０３１３】
Ｓ８１０：ソースＩ−ＳＭＦエンティティは、転送トンネルを確立した後、応答メッセージをターゲットＩ−ＳＭＦエンティティに送り、ターゲットＩ−ＳＭＦエンティティは、応答メッセージを受信し、かつソースＩ−ＳＭＦが、転送トンネルを確立したと決定する。
【０３１４】
Ｓ８１１：ソースＩ−ＳＭＦエンティティ及びターゲットＩ−ＳＭＦエンティティは、それぞれ、転送トンネルリリースタイマを設定する。
【０３１５】
Ｓ８１２：ターゲットＩ−ＳＭＦエンティティは、ＡＭＦエンティティを用いることにより、ターゲット基地局と対話し、ターゲット基地局とターゲットＩ−ＵＰＦエンティティの間でアップリンク／ダウンリンクトンネルを確立する。具体的な実装については、既存のプロトコルの記述を参照のこと。詳細を本出願のこの実施形態では述べないものとする。
【０３１６】
Ｓ８１３：転送トンネルリリースタイマが終了したとき、ソースＩ−ＳＭＦエンティティは、ソースＩ−ＵＰＦエンティティに、転送トンネルをリリースするように示し、またターゲットＩ−ＳＭＦエンティティは、ターゲットＩ−ＵＰＦエンティティに、転送トンネルをリリースするように指示する。
【０３１７】
Ｓ８０７は、Ｓ８０９の後に実施されてもよいことに留意されたい。具体的には、ソースＩ−ＵＰＦとターゲットＩ−ＵＰＦの間の転送トンネルがまず確立され、次いで、ターゲットＩ−ＵＰＦとＡ−ＵＰＦの間のトンネルが確立される。代替として、Ｓ８０７は、ステップ８０６の前に実施されてもよい。具体的には、Ａ−ＵＰＦからターゲットＩ−ＵＰＦへのダウンリンクトンネルは、ターゲットＩ−ＵＰＦからＡ−ＵＰＦへのアップリンクトンネルが確立される前に確立される。これは、本出願のこの実施形態に限定されない。
【０３１８】
実施形態４は、図１Ｃで示されたネットワークアーキテクチャに適用される。ソースＳＭＦエンティティは、Ａ−ＳＭＦエンティティであり、ＵＥが、Ａ−ＳＭＦエンティティのサービスエリアの外に移動し、ターゲットＩ−ＳＭＦエンティティのサービスエリア内に移動する。ターゲットＩ−ＳＭＦは、ＵＥの制御プレーン経路に挿入される必要がある。実施形態４では、ターゲットＩ−ＳＭＦエンティティはまた、Ａ−ＳＭＦエンティティに関する情報を取得する必要がある。ターゲットＩ−ＳＭＦエンティティにより、Ａ−ＳＭＦエンティティに関する情報を取得するための方法は、実施形態１及び実施形態２で、ソースＩ−ＳＭＦエンティティに関する情報を取得するための方法を参照のこと。
【０３１９】
図９で示されるように、本出願の実施形態は、通信方法を提供する。方法の手順は、以下のステップを含む。
【０３２０】
Ｓ９０１：ＵＥは、サービス要求メッセージをＡＭＦエンティティに送る。メッセージは、活動化されるセッションのセッション識別子、及びＵＥの位置情報を含む。ＡＭＦエンティティは、サービス要求メッセージを受信する。
【０３２１】
Ｓ９０２からＳ９０５：ＡＭＦエンティティは、ターゲットＩ−ＳＭＦエンティティに関する情報を取得し、セッション確立要求をターゲットＩ−ＳＭＦエンティティに送る。ターゲットＩ−ＳＭＦエンティティは、Ａ−ＳＭＦエンティティに関する情報、及び第１の指示情報を取得する。
【０３２２】
任意選択で、Ｓ９０２からＳ９０５において、ターゲットＩ−ＳＭＦエンティティは、Ａ−ＳＭＦエンティティからセッション情報をさらに取得し得る。ＡＭＦエンティティがターゲットＩ−ＳＭＦエンティティに関する情報を取得する方法、ターゲットＩ−ＳＭＦエンティティがＡ−ＳＭＦエンティティに関する情報を取得する方法、及びターゲットＩ−ＳＭＦエンティティがセッション情報を取得する方法は、実施形態１及び実施形態２におけるものと同様である。詳細を再度述べないものとする。Ａ−ＳＭＦエンティティは、実施形態１及び実施形態２におけるソースＳＭＦエンティティに対応することに留意されたい。従って、Ａ−ＳＭＦエンティティに関する情報を取得するための方法は、実施形態１及び実施形態２におけるソースＳＭＦエンティティに関する情報を取得するための方法と同様である。
【０３２３】
任意選択で、Ｓ９０２からＳ９０５において、ターゲットＩ−ＳＭＦエンティティは、第１の指示情報をさらに取得する。Ａ−ＳＭＦエンティティは、実施形態３におけるソースＳＭＦエンティティに対応しており、第１の指示情報を取得するための方法は、実施形態３におけるものと同様である。
【０３２４】
Ｓ９０６：ターゲットＩ−ＳＭＦエンティティは、ＵＥの位置情報に基づいて、ターゲットＩ−ＵＰＦエンティティを選択する。第１の指示情報を受信した後、ターゲットＩ−ＳＭＦエンティティは、ターゲットＩ−ＵＰＦエンティティに送られるＮ４セッション確立要求メッセージに、第１の指示情報、又は第２の指示情報を加えて、ターゲットＩ−ＵＰＦエンティティに、転送トンネルを確立するように指示する。ターゲットＩ−ＵＰＦエンティティは、Ｎ４セッション確立要求メッセージを受信し、第１の指示情報又は第２の指示情報を取得する。
【０３２５】
Ｓ９０６において、ターゲットＩ−ＳＭＦエンティティは、ターゲットＩ−ＵＰＦエンティティに対応する転送トンネル情報を取得し、ターゲットＩ−ＵＰＦエンティティに対応する転送トンネル情報を第２のメッセージに加える。
【０３２６】
ターゲットＩ−ＳＭＦエンティティにより、ターゲットＩ−ＵＰＦエンティティに対応する転送トンネル情報を取得する方法については、実施形態２におけるターゲットＩ−ＳＭＦエンティティにより、ターゲットＩ−ＵＰＦエンティティに対応する転送トンネル情報を取得する方法を参照のこと。詳細をここで再度述べないものとする。
【０３２７】
ターゲットＩ−ＳＭＦエンティティが、Ｓ９０２からＳ９０５においてセッション情報を取得した場合、Ｓ９０６において、ターゲットＩ−ＳＭＦエンティティは、Ａ−ＵＰＦエンティティのアップリンクトンネル情報をターゲットＩ−ＵＰＦエンティティに送り、ターゲットＩ−ＵＰＦエンティティとＡ−ＵＰＦエンティティの間でトンネルを確立する。
【０３２８】
Ｓ９０７：ターゲットＩ−ＳＭＦエンティティは、第２のメッセージをＡ−ＳＭＦエンティティに送り、Ａ−ＳＭＦエンティティは、第１のメッセージを受信する。
【０３２９】
任意選択で、ターゲットＩ−ＳＭＦエンティティは、ソースＩ−ＵＰＦエンティティからターゲットＩ−ＵＰＦエンティティへの転送トンネルを確立するように指示するために使用される転送トンネル確立指示情報を第２のメッセージに加える。
【０３３０】
任意選択で、第２のメッセージは、ターゲットＩ−ＵＰＦエンティティのダウンリンクトンネル情報をさらに含み、ターゲットＩ−ＵＰＦエンティティのダウンリンクトンネル情報は、ターゲットＩ−ＵＰＦとＡ−ＵＰＦの間でトンネルを確立するために使用される。
【０３３１】
Ｓ９０８：転送トンネルが確立される必要がある場合、Ａ−ＳＭＦエンティティは、ターゲットＩ−ＵＰＦエンティティに対応する転送トンネル情報を第２のメッセージでソースＩ−ＵＰＦエンティティに送り、かつソースＩ−ＵＰＦエンティティに転送トンネルを確立するように指示する指示情報を、ソースＩ−ＵＰＦエンティティに送る。ソースＩ−ＵＰＦエンティティは、ターゲットＩ−ＵＰＦエンティティに対応する転送トンネル情報、及び指示情報を受信し、転送トンネルを確立する。
【０３３２】
任意選択で、Ａ−ＳＭＦエンティティは、ターゲットＩ−ＵＰＦエンティティのダウンリンクトンネル情報をＡ−ＵＰＦエンティティに送り、ターゲットＩ−ＵＰＦエンティティとＡ−ＵＰＦエンティティの間でトンネルを確立する。
【０３３３】
Ｓ９０９：Ａ−ＳＭＦエンティティが、転送トンネルが確立されたと決定した後、Ａ−ＳＭＦエンティティは、ターゲットＩ−ＳＭＦエンティティに応答メッセージを送り、ターゲットＩ−ＳＭＦエンティティに、転送トンネルが確立されたことを通知する。ターゲットＩ−ＳＭＦエンティティは、応答メッセージを受信し、Ａ−ＳＭＦが転送トンネルを確立したと決定する。
【０３３４】
Ｓ９１０：Ａ−ＳＭＦエンティティ及びターゲットＩ−ＳＭＦエンティティは、それぞれ転送トンネルリリースタイマを設定する。
【０３３５】
Ｓ９１１：ターゲットＩ−ＳＭＦエンティティは、ＡＭＦエンティティを使用することによりターゲット基地局と対話し、ターゲット基地局とターゲットＩ−ＵＰＦエンティティの間にアップリンク／ダウンリンクトンネルを確立する。具体的な実装については、既存のプロトコルの記述を参照のこと。その詳細は、本出願のこの実施形態では述べないものとする。
【０３３６】
Ｓ９１２：転送トンネルリリースタイマが終了したとき、Ａ−ＳＭＦエンティティは、ソースＵＰＦエンティティに、転送トンネルをリリースするように示し、またターゲットＩ−ＳＭＦエンティティは、ターゲットＩ−ＵＰＦエンティティに転送トンネルをリリースするように指示する。
【０３３７】
方法実施形態と同じ発明の概念に基づいて、本出願の実施形態は、前述の実施形態のいずれか１つにおいて、ターゲットＩ−ＳＭＦエンティティにより実施される方法を実施するように構成された装置をさらに提供する。関連する特徴については、前述の方法実施形態を参照のこと。詳細をここで再度述べないものとする。図１０で示されるように、装置は、処理ユニット１００１及びトランシーバユニット１００２を含む。
【０３３８】
具体的には、処理ユニット１００１は、ソースセッション管理ネットワーク要素に関する情報を取得するように構成される。
【０３３９】
トランシーバユニット１００２は、ソースセッション管理ネットワーク要素に関する情報に基づいて、ソースセッション管理ネットワーク要素に第１のメッセージを送るように構成される。
【０３４０】
ソースセッション管理ネットワーク要素は、ソース基地局と通信可能に接続されたユーザプレーンネットワーク要素を制御するセッション管理ネットワーク要素である。第１のメッセージは、ソース中間ユーザプレーンネットワーク要素からターゲット中間ユーザプレーンネットワーク要素への転送トンネルを確立するために使用される。ソース中間ユーザプレーンネットワーク要素は、ソースセッション管理ネットワーク要素により制御され、かつソース基地局と通信可能に接続されたユーザプレーンネットワーク要素であり、またターゲット中間ユーザプレーンネットワーク要素は、ターゲット中間セッション管理ネットワーク要素により制御され、かつターゲット基地局と通信可能に接続されたユーザプレーンネットワーク要素である。
【０３４１】
ソースセッション管理ネットワーク要素に関する情報に基づいて、ソースセッション管理ネットワーク要素に第１のメッセージを送る前に、トランシーバユニット１００２は、第１の指示情報をさらに取得してもよく、第１の指示情報は、ターゲット中間セッション管理ネットワーク要素に、転送トンネルを確立するように指示する。
【０３４２】
具体的には、トランシーバユニット１００２は、以下の２つの方法で、第１の指示情報を取得し得る。
【０３４３】
方法１：トランシーバユニット１００２は、第１の指示情報を、ソースセッション管理ネットワーク要素から取得する。
【０３４４】
方法２：トランシーバユニット１００２は、第１の指示情報を、モビリティ管理ネットワーク要素から取得する。
【０３４５】
第１の指示情報を取得した後、処理ユニット１００１は、第１の指示情報に従って、ターゲット中間ユーザプレーンネットワーク要素に、転送トンネルを確立するように指示する。
【０３４６】
任意選択で、第１のメッセージは、ターゲット中間ユーザプレーンネットワーク要素に対応する転送トンネル情報を含む。
【０３４７】
処理ユニット１００１は、モビリティ管理ネットワーク要素からソースセッション管理ネットワーク要素に関する情報を取得してもよい。
【０３４８】
可能な実装では、処理ユニット１００１は、転送トンネルリリースタイマをさらに設定し、転送トンネルリリースタイマが終了したとき、中間ユーザプレーンネットワーク要素に、転送トンネルをリリースするように示し得る。
【０３４９】
可能な実装では、装置は、ターゲット中間ユーザプレーンネットワーク要素と、アンカーユーザプレーンネットワーク要素の間でトンネルをさらに確立し得る。
【０３５０】
具体的には、トランシーバユニット１００２は、ソースセッション管理ネットワーク要素に関する情報に基づいて、ソースセッション管理ネットワーク要素からセッション情報を取得する、又はモビリティ管理ネットワーク要素からセッション情報を受信する。
【０３５１】
処理ユニット１００１は、セッション情報に基づいて、ターゲット中間ユーザプレーンネットワーク要素とアンカーユーザプレーンネットワーク要素の間でトンネルを確立する。
【０３５２】
セッション情報は、以下の少なくとも一方を含む、即ち、アンカーユーザプレーンネットワーク要素のアップリンクトンネル情報、及びアンカーセッション管理ネットワーク要素に関する情報であり、アンカーセッション管理ネットワーク要素は、アンカーユーザプレーンネットワーク要素を制御するセッション管理ネットワーク要素である。
【０３５３】
方法実施形態と同じ発明の概念に基づき、本出願の実施形態は、前述の実施形態のいずれか１つにおけるソースＳＭＦエンティティにより実施される方法を実施するように構成された装置をさらに提供する。関連する特徴については、前述の方法実施形態を参照のこと。詳細をここで再度述べないものとする。図１１で示されるように、装置は、処理ユニット１１０１及びトランシーバユニット１１０２を含む。
【０３５４】
具体的には、トランシーバユニット１１０２は、ターゲット中間セッション管理ネットワーク要素から第１のメッセージを受信し、処理ユニット１１０１は、第１のメッセージに基づいて、ソース中間ユーザプレーンネットワーク要素に、転送トンネルを確立するように指示する。
【０３５５】
第１のメッセージは、ソース中間ユーザプレーンネットワーク要素からターゲット中間ユーザプレーンネットワーク要素への転送トンネルを確立するために使用される。ソース中間ユーザプレーンネットワーク要素は、ソースセッション管理ネットワーク要素により制御され、かつソース基地局と通信可能に接続されたユーザプレーンネットワーク要素であり、またターゲット中間セッション管理ネットワーク要素は、ターゲット基地局と通信可能に接続されたターゲット中間ユーザプレーンネットワーク要素を制御するセッション管理ネットワーク要素である。
【０３５６】
装置は、第１の表示メッセージを送るようにさらに構成され得る。
【０３５７】
具体的には、処理ユニット１１０１は、まず転送トンネルが確立される必要があると決定し、次いで、トランシーバユニット１１０２は、第１の指示情報を、ターゲット中間セッション管理ネットワーク要素、又はモビリティ管理ネットワーク要素に送る。第１の指示情報は、ターゲット中間セッション管理ネットワーク要素に、転送トンネルを確立するように指示する。
【０３５８】
可能な実装では、ソースセッション管理ネットワーク要素、又はソース中間ユーザプレーンネットワーク要素が、端末デバイスに送られるダウンリンクデータを有するとき、処理ユニット１１０１は、転送トンネルが確立される必要があると決定する。
【０３５９】
任意選択で、第１のメッセージは、ターゲット中間ユーザプレーンネットワーク要素に対応する転送トンネル情報を含む。
【０３６０】
処理ユニット１１０１は、転送トンネルリリースタイマを設定し、転送トンネルリリースタイマが終了したとき、ソース中間ユーザプレーンネットワーク要素に、転送トンネルをリリースするように示し得る。
【０３６１】
可能な実装では、装置は、ターゲット中間ユーザプレーンネットワーク要素とアンカーユーザプレーンネットワーク要素の間でトンネルをさらに確立し得る。
【０３６２】
具体的には、トランシーバユニット１１０２は、セッション情報をターゲット中間セッション管理ネットワーク要素に送り、ターゲット中間セッション管理ネットワーク要素が、ターゲット中間ユーザプレーンネットワーク要素とアンカーユーザプレーンネットワーク要素の間でトンネルを確立するようにする、又は
トランシーバユニット１１０２は、セッション情報をモビリティ管理ネットワーク要素に送り、モビリティ管理ネットワーク要素は、セッション情報をターゲット中間セッション管理ネットワーク要素に送るようにする。
【０３６３】
セッション情報は、以下の少なくとも一方を含む、即ち、アンカーユーザプレーンネットワーク要素のアップリンクトンネル情報、及びアンカーセッション管理ネットワーク要素に関する情報であり、またアンカーセッション管理ネットワーク要素は、アンカーユーザプレーンネットワーク要素を制御するセッション管理ネットワーク要素である。
【０３６４】
方法実施形態と同じ発明の概念に基づき、本出願の実施形態は、前述の実施形態のいずれか１つにおけるＡＭＦエンティティにより実施される方法を実施するように構成された装置をさらに提供する。関連する特徴に関しては、前述の方法実施形態を参照のこと。詳細をここで再度述べないものとする。図１２で示されるように、装置は、処理ユニット１２０１及びトランシーバユニット１２０２を含む。
【０３６５】
処理ユニット１２０１は、ターゲット中間セッション管理ネットワーク要素に関する情報を取得するように構成される。
【０３６６】
トランシーバユニット１２０２は、ターゲット中間セッション管理ネットワーク要素に関する情報に基づき、ソースセッション管理ネットワーク要素に関する情報を、ターゲット中間セッション管理ネットワーク要素に送るように構成され、ここで、ソースセッション管理ネットワーク要素は、ソース基地局と通信可能に接続されたユーザプレーンネットワーク要素を制御するセッション管理ネットワーク要素であり、またターゲット中間セッション管理ネットワーク要素は、ターゲット基地局と通信可能に接続されたターゲット中間ユーザプレーンネットワーク要素を制御するセッション管理ネットワーク要素である。
【０３６７】
トランシーバユニット１２０２は、第１の指示情報を、ターゲット中間セッション管理ネットワーク要素にさらに送り得る、ここで、第１の指示情報は、ターゲット中間セッション管理ネットワーク要素に、ソース中間ユーザプレーンネットワーク要素からターゲット中間ユーザプレーンネットワーク要素への転送トンネルを確立するように示し、またソース中間ユーザプレーンネットワーク要素は、ソースセッション管理ネットワーク要素により制御され、かつソース基地局と通信可能に接続されたユーザプレーンネットワーク要素である。
【０３６８】
可能な実装では、トランシーバユニット１２０２が、第１の指示情報をターゲット中間セッション管理ネットワーク要素に送る前に、処理ユニット１２０１は、転送トンネルが確立される必要があると決定する。
【０３６９】
可能な実装では、トランシーバユニット１２０２が、第１の指示情報をターゲット中間セッション管理ネットワーク要素に送る前に、トランシーバユニット１２０２は、第１の指示情報をソースセッション管理ネットワーク要素から取得する。
【０３７０】
具体的には、処理ユニット１２０１が、ソースセッション管理ネットワーク要素から、サービス要求手順をトリガするために使用されるメッセージを受信した場合、処理ユニット１２０１は、転送トンネルが確立される必要があると決定する。
処理ユニット１２０１は、ターゲット中間セッション管理ネットワーク要素に関する情報を、以下の２つの方法で取得し得る。
【０３７１】
方法１：処理ユニット１２０１は、端末デバイスの位置情報を取得し、端末デバイスの位置情報に基づいて、ターゲット中間セッション管理ネットワーク要素に関する情報を選択する。
【０３７２】
方法２：処理ユニット１２０１は、ソースセッション管理ネットワーク要素からターゲット中間セッション管理ネットワーク要素に関する情報を受信する。
【０３７３】
可能な実装では、装置１２００は、ターゲット中間ユーザプレーンネットワーク要素とアンカーユーザプレーンネットワーク要素の間でトンネルを確立するとき、セッション情報を送り得る。
【０３７４】
具体的には、トランシーバユニット１２０２は、ソースセッション管理ネットワーク要素からセッション情報を受信し、次いでセッション情報を、ターゲット中間セッション管理ネットワーク要素に送り、従って、ターゲット中間セッション管理ネットワーク要素が、ターゲット中間ユーザプレーンネットワーク要素とアンカーユーザプレーンネットワーク要素の間でトンネルを確立するようにする。
【０３７５】
セッション情報は、以下の少なくとも一方を含む、即ち、アンカーユーザプレーンネットワーク要素のアップリンクトンネル情報、及びアンカーセッション管理ネットワーク要素に関する情報であり、またアンカーセッション管理ネットワーク要素は、アンカーユーザプレーンネットワーク要素を制御するセッション管理ネットワーク要素である。
【０３７６】
本出願の実施形態において、ユニットへの分割は例であり、単に論理的な機能分割に過ぎず、実際に行われる実装において他の分割もあり得る。さらに、本出願の実施形態における機能的なユニットは、１つのプロセッサに統合されてもよく、又は物理的に単独で存在してもよく、又は２つ以上のユニットが、１つのモジュールへと統合される。前述の統合されるユニットは、ハードウェアの形態で実装され得る、又はソフトウェア機能モジュールの形態で実装され得る。
【０３７７】
統合されたユニットが、ソフトウェア機能ユニットの形態で実施され、独立した製品として販売又は使用される場合、統合されたユニットは、コンピュータ可読記録媒体に記憶され得る。このような理解に基づいて、本質的に本出願の、又は従来技術に寄与する部分の技術的な解決策、又は全て又はいくつかの技術的な解決策は、ソフトウェア製品の形態で実施され得る。コンピュータソフトウェア製品は、記録媒体に記憶され、かつ端末デバイス（パーソナルコンピュータ、移動電話、ネットワークデバイス、又は同様のものであり得る）、又はプロセッサ（ｐｒｏｃｅｓｓｏｒ）に、本出願の実施形態における方法ステップの全て又はいくつかを実施するように指示するためのいくつかの表示を含む。記録媒体は、ＵＳＢフラッシュドライブ、取外し可能なハードディスク、読出し専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、又は光ディスクなど、プログラムコードを記憶できる様々な媒体を含む。
【０３７８】
本出願の実施形態では、ターゲット中間セッション管理ネットワーク要素（ターゲットＩ−ＳＭＦ）、ソースセッション管理ネットワーク要素（ソースＳＭＦ）、及びモビリティ管理ネットワーク要素（ＡＭＦ）は全て、統合により得られた機能モジュールの形態で提示され得る。本明細書における「モジュール」は、特定のＡＳＩＣ、回路、１つ又は複数のソフトウェア又はファームウェアプログラムを実行するプロセッサ、メモリ、統合された論理回路、及び／又は前述の機能を提供できる別のデバイスであり得る。簡単な実施形態では、当業者は、ターゲット中間セッション管理ネットワーク要素（ターゲットＩ−ＳＭＦ）、ソースセッション管理ネットワーク要素（ソースＳＭＦ）、及びモビリティ管理ネットワーク要素（ＡＭＦ）は、図１３で示された形態であり得ることが分かるはずである。
【０３７９】
図１３で示される装置１３００は、少なくともプロセッサ１３１、及びメモリ１３２を含み、そして、任意選択で、通信インターフェース１３４をさらに含み得る。
【０３８０】
メモリ１３２は、ランダムアクセスメモリなど、揮発性メモリであり得る。代替として、メモリ１３２は、読出し専用メモリ、フラッシュメモリ、ハードディスクドライブ（ｈａｒｄ  ｄｉｓｋ  ｄｒｉｖｅ、ＨＤＤ）、又はソリッドステートドライブ（ｓｏｌｉｄ−ｓｔａｔｅ  ｄｒｉｖｅ、ＳＳＤ）など不揮発性メモリであり得る。代替として、メモリ１３２は、期待されるプログラムコードを、コマンド又はデータ構造の形態で担持又は記憶するために使用されることができ、かつコンピュータによってアクセスされることができる任意の他の媒体である。しかし、これは限定されない。メモリ１３２は、前述のメモリの組合せとしてもよい。
【０３８１】
本出願のこの実施形態では、プロセッサ１３１とメモリ１３２の間の特定の接続媒体は限定されない。本出願のこの実施形態では、メモリ１３２及びプロセッサ１３１は、図においてバス１３３を用いることにより接続される。バス１３３は、図では、太い線を用いることにより示されている。他の構成要素間の接続法は、単に説明用の例であり、限定を課すものではない。バス１３３は、アドレスバス、データバス、制御バス、又は同様のものに分類され得る。表現を分かりやすくするために、図１３において、バスを表すために、１つの太い線だけが使用されるが、これは、１つだけのバス、又は１つのタイプだけのバスがあることを意味するものではない。
【０３８２】
プロセッサ１３１は、データ受信機能及び送信機能を有してもよく、別のデバイスと通信することができる。図１３で示される装置では、代替として、独立したデータ送受信機モジュールが設定され得る。例えば、通信インターフェース１３４は、データを受信し、送るように構成される。プロセッサ１３１が別のデバイスと通信するとき、データは、通信インターフェース１３４を介して送信され得る。
【０３８３】
ターゲット中間セッション管理ネットワーク要素が、図１３で示される形態であるとき、図１３におけるプロセッサ１３１は、メモリ１３２に記憶されたコンピュータ実行可能命令を呼び出し得る、従って、ターゲット中間セッション管理ネットワーク要素は、前述の方法実施形態のいずれか１つにおけるターゲットＩ−ＳＭＦにより実施される方法を実施することができる。
【０３８４】
ソースセッション管理ネットワーク要素が、図１３で示される形態であるとき、図１３のプロセッサ１３１は、メモリ１３２に記憶されたコンピュータ実行可能命令を呼び出し得る、従って、ソースセッション管理ネットワーク要素は、前述の方法実施形態のいずれか１つにおけるソースＳＭＦにより実施される方法を実施することができる。
【０３８５】
モビリティ管理ネットワーク要素が図１３で示される形態であるとき、図１３におけるプロセッサ１３１は、メモリ１３２に記憶されたコンピュータ実行可能命令を呼び出し得る、従って、モビリティ管理ネットワーク要素は、前述の方法実施形態のいずれか１つにおけるＡＭＦにより実施される方法を実施することができる。
【０３８６】
具体的には、図１０から図１２において、トランシーバユニット及び処理ユニットの機能／実装処理は、メモリ１３２に記憶されたコンピュータ実行可能命令を呼び出すことにより、図１３におけるプロセッサ１３１により実施され得る。代替として、図１０から図１２において、処理ユニットの機能／実装処理は、メモリ１３２に記憶されたコンピュータ実行可能命令を呼び出すことにより、図１３におけるプロセッサ１３１により実施され、また図１０から図１２において、トランシーバユニットの機能／実装処理は、図１３における通信インターフェース１３４により実施され得る。
【０３８７】
プロセッサ１３１は、例えば、図１３におけるＣＰＵ０及びＣＰＵ１など、１つ又は複数のＣＰＵを含み得る。
【０３８８】
装置１３００は、例えば、図１３におけるプロセッサ１３１及びプロセッサ１３５など、複数のプロセッサを含み得る。
【０３８９】
本出願のこの実施形態で提供される装置は、前述の通信方法を実施し得る。従って、本装置により得られる技術的な効果については、前述の方法実施形態を参照のこと。詳細をここで再度述べないものとする。
【０３９０】
本出願において、ターゲット中間セッション管理ネットワーク要素に関する情報を取得した後、モビリティ管理ネットワーク要素は、ソースセッション管理ネットワーク要素に関する情報を、ターゲットセッション管理ネットワーク要素に送る。ソースセッション管理ネットワーク要素に関する情報を取得した後、ターゲットセッション管理ネットワーク要素は、ソースセッション管理ネットワーク要素に関する情報に基づいて、第１のメッセージをソースセッション管理ネットワーク要素に送る。第１のメッセージは、ソース中間ユーザプレーンネットワーク要素からターゲット中間ユーザプレーンネットワーク要素への転送トンネルを確立するために使用される。ターゲット中間セッション管理ネットワーク要素から第１のメッセージを受信した後、ソースセッション管理ネットワーク要素は、第１のメッセージに基づいて、ソース中間ユーザプレーンネットワーク要素に転送トンネルを確立するように指示する。本出願の実施形態における方法に従って、ソース中間ユーザプレーンネットワーク要素からターゲット中間ユーザプレーンネットワーク要素への転送トンネルが確立され、従って、ソース中間ユーザプレーンネットワーク要素は、データを、転送トンネルを介して、ターゲット中間ユーザプレーンネットワーク要素に転送し、ターゲット中間セッション管理ネットワーク要素からソースセッション管理ネットワーク要素へのハンドオーバを実施し、セッションを維持し、かつ端末デバイスのサービス連続性を保証することができる。
【０３９１】
本出願は、本出願による方法、デバイス（システム）、及びコンピュータプログラム製品のフロー図、及び／又はブロック図を参照して述べられる。コンピュータプログラム命令は、フロー図及び／又はブロック図における各処理及び／又は各ブロックを実施するために、並びにフロー図及び／又はブロック図における処理及び／又はブロックの組合せを実施するために使用され得ることを理解されたい。これらのコンピュータプログラム命令は、汎用コンピュータ、専用コンピュータ、組み込まれたプロセッサ、又は任意の他のプログラム可能なデータ処理デバイスのプロセッサに提供されてマシンを生成してもよく、従って、コンピュータ、又は任意の他のプログラム可能なデータ処理デバイスのプロセッサにより実行される命令は、フロー図における１つ又は複数の処理、及び／又はブロック図における１つ又は複数のブロックにおける特定の機能を実施するための装置を生成する。
【０３９２】
コンピュータ又は任意の他のプログラム可能なデータ処理デバイスに、特定の方法で動作するように命令できるこれらのコンピュータプログラム命令は、コンピュータ可読メモリに記憶されてもよく、従って、コンピュータ可読メモリに記憶された命令は、命令装置を含む人工物を生成する。命令装置は、フロー図における１つ又は複数の処理、及び／又はブロック図における１つ又は複数のブロックの特定の機能を実施する。
【０３９３】
これらのコンピュータプログラム命令は、コンピュータに、又は任意の他のプログラム可能なデータ処理デバイスに搭載されてもよく、従って、オペレーション及びステップのシリーズは、コンピュータ又は任意の他のプログラム可能なデバイスで実施され、それにより、コンピュータで実施される処理を生成する。従って、コンピュータ又は任意の他のプログラム可能なデバイスで実行される命令は、フロー図における１つ又は複数のプロセスの、及び／又はブロック図における１つ又は複数のブロックの特定の機能を実施するためのステップを提供する。
【０３９４】
当業者が、本出願の趣旨及び範囲から逸脱することなく、本出願に対して様々な修正及び変形を行うことができることは明らかである。本出願は、それらが添付の特許請求の範囲、及びそれらの均等な技術の範囲に含まれるならば、本出願のこれらの修正及び変形を含むように意図される。
【国際調査報告】
2021517430.tif 000019
2021517430.tif 000020
2021517430.tif 000021
2021517430.tif 000022